(57)【要約】【課題】複数のリーダライタを装着して、薄型装置または小型装置に搭載することができ、異なる周波数で交信する複数の記憶媒体を処理することができる記憶媒体処理装置、記憶媒体処理方法、台間機、発券機、精算機、記憶媒体処理システムおよび遊技管理方法を提供することを目的とする。【解決手段】ＩＣカード４０の搬送路およびＩＣコイン４１の搬送路のどちらか一方の搬送路の所定の位置に対して壁部を介して面するように、ＩＣカード４０と所定の周波数で交信するＩＣカード用リーダライタ１９と、そのＩＣカード用リーダライタ１９とは異なる周波数でＩＣコイン４１と交信するＩＣコイン用リーダライタ１１とが取り外し可能に設置されている。これによって、異なる周波数で交信する複数の記憶媒体を処理することができ、リーダライタの種類の変更、増設などを任意に行うことができる。【選択図】      図１
2004313353.tif 000002
【特許請求の範囲】
【請求項１】
記憶素子およびアンテナを有する電子タグを備えた第１の記憶媒体と交信する第１のアンテナ部と、
記憶素子およびアンテナを有する電子タグを備えた第２の記憶媒体と前記第１のアンテナ部と異なる所定の周波数で交信する第２のアンテナ部と
を有する記憶媒体処理部本体を具備する記憶媒体処理装置であって、
前記記憶媒体処理部本体に、前記第１のアンテナ部および前記第２のアンテナ部のうち少なくとも一方が取り外し可能に設置されたことを特徴とする記憶媒体処理装置。
【請求項２】
前記記憶媒体処理部本体に設置され、前記第１のアンテナ部が取り外し可能に装着される第１のアンテナ装着部と、
前記第１のアンテナ部に設置され、前記第２のアンテナ部が取り外し可能に装着される第２のアンテナ装着部と
を具備することを特徴とする請求項１記載の記憶媒体処理装置。
【請求項３】
前記記憶媒体処理部本体に設けられ、前記第１のアンテナ部が取り外し可能に装着される凹部形状を有する第１のアンテナ挿入部と、
前記記憶媒体処理部本体の第１のアンテナ挿入部とは異なる位置に設けられ、前記第２のアンテナ部が取り外し可能に装着される凹部形状を有する第２のアンテナ挿入部と
を具備することを特徴とする請求項１記載の記憶媒体処理装置。
【請求項４】
記憶素子およびアンテナを有する電子タグを備える第１の記憶媒体を受け入れる第１の記憶媒体受入部と、
記憶素子およびアンテナを有する電子タグを備える第２の記憶媒体を受け入れる第２の記憶媒体受入部と、
前記第１の記憶媒体受入部で受け入れられた前記第１の記憶媒体を搬送路に沿って搬送する第１の記憶媒体搬送部と、
前記第２の記憶媒体受入部で受け入れられた前記第２の記憶媒体を搬送路に沿って搬送する第２の記憶媒体搬送部と、
前記第１の記憶媒体の搬送路の所定の位置に対応させて設置され、前記第１の記憶媒体と所定の周波数で交信する第１のアンテナ部と、
前記第２の記憶媒体の搬送路の所定の位置に対応させて設置され、前記第１のアンテナ部とは異なる周波数で前記第２の記憶媒体と交信する第２のアンテナ部と
を具備し、
前記第１のアンテナ部および前記第２のアンテナ部のうち少なくとも一方が取り外し可能に設置されたことを特徴とする記憶媒体処理装置。
【請求項５】
前記第１のアンテナ部および前記第２のアンテナ部が、少なくとも記憶素子およびアンテナが封入された板状の筐体で構成されることを特徴とする請求項４項記載の記憶媒体処理装置。
【請求項６】
記憶素子およびアンテナを有する電子タグを備える第１の記憶媒体を受け入れる第１の記憶媒体受入部と、
記憶素子およびアンテナを有する電子タグを備える第２の記憶媒体を受け入れる第２の記憶媒体受入部と、
前記第１の記憶媒体受入部で受け入れられた前記第１の記憶媒体を搬送路に沿って搬送する第１の記憶媒体搬送部と、
前記第２の記憶媒体受入部で受け入れられた前記第２の記憶媒体を搬送路に沿って搬送する第２の記憶媒体搬送部と、
前記第１の記憶媒体の搬送路および前記第２の記憶媒体の搬送路のどちらか一方の搬送路の所定の位置に対応するように、または、前記第１の記憶媒体の搬送路および前記第２の記憶媒体の搬送路の双方の搬送路の所定の位置に対応するように、取り外し可能に設置され、前記第１の記憶媒体と所定の周波数で交信する第１のアンテナ部材と、該第１のアンテナ部材とは異なる周波数で前記第２の記憶媒体と交信する第２のアンテナ部材とを併設する併設アンテナ部と
を具備することを特徴とする記憶媒体処理装置。
【請求項７】
前記併設アンテナ部の前記第１のアンテナ部材が、
前記第２のアンテナ部材を取り外し可能に装着するための凹部を有することを特徴とする請求項６項記載の記憶媒体処理装置。
【請求項８】
前記併設アンテナ部の前記第２のアンテナ部材が、
前記第１のアンテナ部材を取り外し可能に装着するための凹部を有することを特徴とする請求項６項記載の記憶媒体処理装置。
【請求項９】
前記第１の記憶媒体の搬送路を形成する側壁および前記第２の記憶媒体の搬送路を形成する側壁に、前記第１の記憶媒体の搬送路および前記第２の記憶媒体の搬送路に突出することなく、発光部と受光部とが対向して対になって設置される複数の光学検知部をさらに具備したことを特徴とする請求項４乃至６のいずれか１項記載の記憶媒体処理装置。
【請求項１０】
前記第１のアンテナ部材および前記第２のアンテナ部材が、前記第１の記憶媒体搬送部または前記第２の記憶媒体搬送部によって、所定の位置に搬送された記憶媒体に、異なる所定の質問信号を順次送信し、該記憶媒体からの応答信号に基づいて、前記第１の記憶媒体または前記第２の記憶媒体のいずれを受け入れたかの判定をさらに行うことを特徴とする請求項６乃至または８のいずれか１項記載の記憶媒体処理装置。
【請求項１１】
前記第１の記憶媒体の搬送路から前記第１の記憶媒体を外部に排出する第１の記憶媒体排出部と、
前記第２の記憶媒体の搬送部から前記第２の記憶媒体を外部に排出するか、または内部に貯留する、のいずれかを行う第２の記憶媒体排出部と
を具備し、
前記第１の記憶媒体が、カード形状を有し、前記第２の記憶媒体が、コイン形状を有することを特徴とする請求項４乃至１０のいずれか１項記載の記憶媒体処理装置。
【請求項１２】
記憶素子およびアンテナを有する電子タグを備える第１の記憶媒体、または記憶素子およびアンテナを有する電子タグを備える第２の記憶媒体を受け入れる受入ステップと、
前記受入ステップで、前記第１の記憶媒体および前記第２の記憶媒体のいずれかが受け入れられたかを判定する受入検知ステップと、
前記受入検知ステップで、前記第１の記憶媒体または前記第２の記憶媒体のいずれかが受け入れられたことに対応して、第１の記憶媒体対応処理ステップまたは第２の記憶媒体対応処理ステップのいずれかが実行される実行ステップを具備する記憶媒体処理方法であって、
前記第１の記憶媒体対応処理ステップが、
前記受入ステップで受け入れられた前記第１の記憶媒体を搬送する第１の記憶媒体搬送ステップと、
前記第１の記憶媒体搬送ステップで所定の位置に搬送された前記第１の記憶媒体と所定の周波数で交信する第１の交信ステップと、
前記第１の交信ステップで交信後、前記第１の記憶媒体を外部に排出する第１の排出ステップと
を有し、
前記第２の記憶媒体対応処理ステップが、
前記受入ステップで受け入れられた前記第２の記憶媒体を搬送する第２の記憶媒体搬送ステップと、
前記第２の記憶媒体搬送ステップで所定の位置に搬送された前記第２の記憶媒体と前記第１の交信ステップの周波数とは異なる所定の周波数で交信する第２の交信ステップと、
前記第２の交信ステップで交信後、前記第２の記憶媒体の外部への排出、または内部に貯留、のいずれかを行う第２の排出ステップと
を有することを特徴とする記憶媒体処理方法。
【請求項１３】
前記受入検知ステップが、光学的に検知することによって、前記第１の記憶媒体または前記第２の記憶媒体のいずれを受け入れたかを判定することを特徴とする請求項１２記載の記憶媒体処理方法。
【請求項１４】
前記第１の交信ステップおよび前記第２の交信ステップが、前記第１の記憶媒体搬送ステップまたは前記第２の記憶媒体搬送ステップによって所定の位置に搬送された記憶媒体に、異なる所定の質問信号を順次送信し、該記憶媒体からの応答信号に基づいて、前記第１の記憶媒体または前記第２の記憶媒体のいずれを受け入れたかの判定をさらに行うことを特徴とする請求項１２または１３記載の記憶媒体処理方法。
【請求項１５】
前記第１の記憶媒体が、カード形状を有し、前記第２の記憶媒体が、コイン形状を有することを特徴とする請求項１２乃至１４のいずれか１項記載の記憶媒体処理方法。
【請求項１６】
請求項４乃至１１のいずれか１項記載の記憶媒体処理装置を搭載し、有価価値を特定可能な有価価値特定情報が記憶された記憶媒体を用いて、その特定された有価価値の範囲で遊技に供する遊技媒体の貸し出しが可能な台間機であって、
貨幣を受け入れて該貨幣を識別する貨幣識別部と、
会員登録を受けた遊技者に発行されたカード形状記憶媒体を受け入れるカード受入手段と、前記カード受入手段が受け入れた前記カード形状記憶媒体から有価価値特定情報を読み取るカード読取手段と、前記貨幣識別部により識別された貨幣の金額に対応して前記カード受入手段が受け入れたカード形状記憶媒体の有価価値特定情報によって特定される有価価値を更新するカード更新手段と、を有するカード処理部と、
コイン形状記憶媒体を受け入れるコイン受入手段と、前記コイン受入手段が受け入れた前記コイン形状記憶媒体から有価価値特定情報を読み取るコイン読取手段と、前記貨幣識別部により識別された貨幣の金額に対応して前記コイン受入手段が受け入れた前記コイン形状記憶媒体の有価価値特定情報によって特定される有価価値を更新するコイン更新手段と、貯留されたコイン形状記憶媒体に対し前記貨幣識別部により識別された貨幣の金額に対応する有価価値を特定する有価価値特定情報を書き込んで発行するコイン発行手段と、を有するコイン処理部と
を具備することを特徴とする台間機。
【請求項１７】
前記カード処理部が、前記カード形状記憶媒体を受け入れた場合に、前記カード形状記憶媒体が受け入れられた場合特有の第１の処理を少なくとも行う第１の処理手段と、
前記コイン処理部が、前記コイン形状記憶媒体を受け入れた場合に、前記第１の処理と異なる第２の処理を行う第２の処理手段と
を具備することを特徴とする請求項１６記載の台間機。
【請求項１８】
前記貨幣識別部が、紙幣の貯留が可能な紙幣貯留部を有し、かつ前記記憶媒体処理装置の本体と別体であることを特徴とする請求項１６または１７記載の台間機。
【請求項１９】
請求項４乃至１１のいずれか１項記載の記憶媒体処理装置を搭載し、有価価値を特定可能な有価価値特定情報が記録された記憶媒体を用いて、その特定された有価価値の範囲で貨幣の払い戻しが可能な精算機であって、
会員登録を受けた遊技者に発行されたカード形状記憶媒体を受け入れるカード受入手段と、前記カード受入手段が受け入れた前記カード形状記憶媒体から有価価値特定情報を読み取るカード読取手段と、前記カード読取手段により読み取られた有価価値特定情報によって特定される有価情報に基づいて貨幣を払い戻すカード対応紙幣払戻手段と、前記カード対応紙幣払戻手段で払い戻された貨幣に対応して前記カード形状記憶媒体の有価価値特定情報によって特定される有価価値を更新するカード更新手段と、を有するカード精算処理部と、
コイン形状記憶媒体を受け入れるコイン受入手段と、前記コイン受入手段が受け入れた前記コイン形状記憶媒体から有価価値特定情報を読み取るコイン読取手段と、前記コイン読取手段により読み取られた有価価値特定情報によって特定される有価情報に基づいて貨幣を払い戻すコイン対応紙幣払戻手段と、前記コイン対応紙幣払戻手段で払い戻された貨幣に対応して前記コイン形状記憶媒体の有価価値特定情報によって特定される有価価値を更新するコイン更新手段と、を有するコイン精算処理部と
を具備することを特徴とする精算機。
【請求項２０】
前記カード精算処理部が、前記カード形状記憶媒体を受け入れた場合に、前記カード形状記憶媒体が受け入れられた場合特有の第１の処理を少なくとも行う第１の処理手段と、
前記コイン精算処理部が、前記コイン形状記憶媒体を受け入れた場合に、前記第１の処理と異なる第２の処理を行う第２の処理手段と
を具備することを特徴とする請求項１９記載の精算機。
【請求項２１】
請求項４乃至１１のいずれか１項記載の記憶媒体処理装置を搭載し、貨幣を受け入れて、該貨幣に対応する有価価値を特定可能な有価価値特定情報が記憶された記憶媒体を発行する発券機であって、
貨幣を受け入れて該貨幣を識別する貨幣識別部と、
会員登録を受けた遊技者に発行されたカード形状記憶媒体を受け入れるカード受入手段と、前記カード受入手段が受け入れた前記カード形状記憶媒体から有価価値特定情報を読み取るカード読取手段と、前記貨幣識別部により識別された貨幣の金額に対応して前記カード受入手段が受け入れたカード形状記憶媒体の有価価値特定情報によって特定される有価価値を更新するカード更新手段と、を有するカード処理部と、
貯留されたコイン形状記憶媒体に対し前記貨幣識別部により識別された貨幣の金額に対応する有価価値を特定する有価価値特定情報を書き込んで発行するコイン発行手段と、を有するコイン処理部と
を具備することを特徴とする発券機。
【請求項２２】
前記カード処理部が、前記カード形状記憶媒体を受け入れた場合に、前記カード形状記憶媒体が受け入れられた場合特有の第１の処理を少なくとも行う第１の処理手段と、
前記コイン処理部が、前記コイン形状記憶媒体を受け入れた場合に、前記第１の処理と異なる第２の処理を行う第２の処理手段と
を具備することを特徴とする請求項２１記載の発券機。
【請求項２３】
請求項１６に記載の台間機、請求項１９記載の精算機、請求項２１記載の発券機および管理装置を具備し、前記台間機と、前記精算機と、前記発券機と、前記管理装置とがそれぞれ通信可能に接続された記憶媒体処理システムであって、
前記管理装置が、
会員登録を受けた遊技者に発行されたカード形状記憶媒体が利用されたときの処理管理をすべく、
前記記憶媒体処理装置で投入された金額に対応して前記カード形状記憶媒体の有価価値特定情報によって特定される有価価値、前記発券機で投入された金額に対応して前記カード形状記憶媒体の有価価値特定情報によって特定される有価価値、前記精算機で払い戻された貨幣に対応して前記カード形状記憶媒体の有価価値特定情報によって特定される有価価値を管理するカード有価価値情報管理手段と、
前記発券機で投入または払い戻された貨幣の金額を管理するカード貨幣情報管理手段と
を有するカード情報管理部と、
コイン形状記憶媒体が利用されたときの処理管理をすべく、
前記記憶媒体処理装置で投入された金額に対応して前記コイン形状記憶媒体の有価価値特定情報によって特定される有価価値、前記発券機で投入された金額に対応して前記コイン形状記憶媒体の有価価値特定情報によって特定される有価価値、前記精算機で払い戻された貨幣に対応して前記コイン形状記憶媒体の有価価値特定情報によって特定される有価価値を管理するコイン有価価値情報管理手段と、
前記発券機で投入または払い戻された貨幣の金額を管理するコイン貨幣情報管理手段と
を有するコイン情報管理部と
を具備することを特徴とする記憶媒体処理システム。
【請求項２４】
請求項１９記載の精算機、請求項２１記載の発券機、計数機、景品払出機、再プレー受付機のいずれか少なくとも１つと、請求項１６に記載の台間機と、管理装置とを具備し、前記発券機、前記精算機、前記計数機、前記景品払出機、前記再プレー受付機のいずれか少なくとも１つと、前記台間機と、前記管理装置とがそれぞれ通信可能に接続された記憶媒体処理システムであって、
前記計数機が、
遊技媒体を受け入れて該遊技媒体の数を計数する計数部と、
会員登録を受けた遊技者に発行されたカード形状記憶媒体を受け入れる第１のカード受入手段と、前記第１のカード受入手段が受け入れた前記カード形状記憶媒体から遊技媒体貯数を特定する遊技媒体貯数特定情報を読み取る第１のカード読取手段と、前記計数部により計数した遊技媒体数に対応して前記第１のカード受入手段が受け入れたカード形状記憶媒体の遊技媒体貯数特定情報によって特定される遊技媒体貯数を更新する第１のカード更新手段と、を有する第１のカード処理部と、
前記計数部により計数した遊技媒体数を、遊技媒体貯数を特定可能な遊技媒体貯数特定情報として、貯留された記録媒体に記録する記録媒体記録手段と、前記記録媒体記録手段で記録された前記記録媒体を発券する記録媒体発券手段と、を有する第１の記録媒体処理部と
を具備し、
前記景品払出機が、
会員登録を受けた遊技者に発行されたカード形状記憶媒体を受け入れる第２のカード受入手段と、前記第２のカード受入手段が受け入れた前記カード形状記憶媒体から遊技媒体貯数を特定する遊技媒体貯数特定情報を読み取る第２のカード読取手段と、前記第２のカード読取手段により読み取られた遊技媒体貯数特定情報によって特定される遊技媒体貯数に基づいて景品を払い出すか、または、払い出す景品の種別と数量を表示するカード景品処理手段と、前記カード景品処理手段で払い出された景品または払い出す景品の種別と数量に対応して前記カード形状記憶媒体の遊技媒体貯数特定情報によって特定される遊技媒体貯数を更新する第２のカード更新手段と、を有する第２のカード処理部と、
遊技媒体貯数を特定可能な遊技媒体貯数特定情報が記録された記録媒体の該遊技媒体貯数特定情報を読み取る記録媒体読取手段と、前記記録媒体読取手段により読み取られた遊技媒体貯数特定情報によって特定される遊技媒体貯数に基づいて景品を払い出すか、または、払い出す景品の種別と数量を表示する記録媒体景品処理手段と、を有する第２の記録媒体処理部と
を具備し、
前記再プレー受付機が、
会員登録を受けた遊技者に発行されたカード形状記憶媒体を受け入れる第３のカード受入手段と、
前記第３のカード受入手段が受け入れた前記カード形状記憶媒体から遊技媒体貯数を特定する遊技媒体貯数特定情報を読み取る第３のカード読取手段と、
前記第３のカード読取手段によって読み取られた遊技媒体貯数特定情報により特定される遊技媒体貯数のうち所定の遊技媒体貯数を再プレー用の遊技媒体貯数に変更するための出力を行う再プレー出力手段と
を有する第３のカード処理部を具備し、
前記管理装置が、
会員登録を受けた遊技者に発行されたカード形状記憶媒体が利用されたときの処理管理をすべく、
前記記憶媒体処理装置で投入された金額に対応して前記カード形状記憶媒体の有価価値特定情報によって特定される有価価値、前記発券機で投入された金額に対応して前記カード形状記憶媒体の有価価値特定情報によって特定される有価価値、前記精算機で払い戻された貨幣に対応して前記カード形状記憶媒体の有価価値特定情報によって特定される有価価値を管理するカード有価価値情報管理手段と、
前記発券機で投入または払い戻された貨幣の金額を管理するカード貨幣情報管理手段と、
前記計数機で計数された遊技媒体数および前記景品払出機で交換された遊技媒体数を管理するカード遊技媒体数情報管理手段と、
前記景品払出機で景品毎の交換回数の履歴、交換された遊技媒体数の履歴を管理する景品記憶媒体履歴情報管理手段と、
前記再プレー受付機で受付され、前記カード遊技媒体数情報管理手段で管理される遊技媒体貯数特定情報により特定される遊技媒体貯数のうち所定の遊技媒体貯数を再プレー用の遊技媒体貯数として変更した再プレー用の遊技媒体貯数を管理する再プレー用遊技媒体貯数情報管理手段と
を有するカード情報管理部と、
コイン形状記憶媒体が利用されたときの処理管理をすべく、
前記記憶媒体処理装置で投入された金額に対応して前記コイン形状記憶媒体の有価価値特定情報によって特定される有価価値、前記発券機で投入された金額に対応して前記コイン形状記憶媒体の有価価値特定情報によって特定される有価価値、前記精算機で払い戻された貨幣に対応して前記コイン形状記憶媒体の有価価値特定情報によって特定される有価価値を管理するコイン有価価値情報管理手段と、
前記発券機で投入または払い戻された貨幣の金額を管理するコイン貨幣情報管理手段と、
前記計数機で計数された遊技媒体数を管理するコイン遊技媒体数情報管理手段と
を有するコイン情報管理部と
を具備することを特徴とする記憶媒体処理システム。
【請求項２５】
有価価値を特定可能な有価価値特定情報、遊技媒体数を特定可能な遊技媒体貯数特定情報および再プレー用遊技媒体数を特定可能な再プレー用遊技媒体貯数特定情報を少なくとも管理している管理装置を用いた遊技管理方法であって、
貨幣を受け入れて、該貨幣に対応する有価価値を特定する有価価値特定情報をコイン形状記憶媒体に記録して発行するコイン形状記憶媒体発行手段と、少なくとも前記有価価値特定情報の通信を行う第１通信ステップと、
貨幣およびカード形状記憶媒体、または、貨幣および前記コイン形状記憶媒体を受け入れて、前記有価価値特定情報を処理することによって該貨幣に対応する有価価値を更新し、該更新された有価価値の範囲で遊技媒体を貸し出すと共に、前記有価価値特定情報を処理することによって貸し出された該遊技媒体に対応する有価価値を更新する第１の遊技媒体貸出手段と、少なくとも前記有価価値特定情報の通信を行う第２通信ステップと、
遊技媒体を計数し、前記カード形状記憶媒体を受け入れた場合には、該カード形状記憶媒体より前記遊技媒体貯数特定情報を読み出して前記遊技媒体貯数を更新するか、または、前記カード形状記憶媒体を受け入れない場合には、計数された該遊技媒体の数を特定するための遊技媒体貯数特定情報を記録した記録媒体を発券する遊技媒体計数手段と、少なくとも前記遊技媒体貯数特定情報の通信を行う第３通信ステップと、
前記記録媒体、または、前記カード形状記憶媒体の前記遊技媒体貯数特定情報によって特定された遊技媒体数に基づいて、景品との交換を行うか、または、景品との交換を行うために交換すべき景品の種別と交換すべき景品数を表示するか、少なくとも一方を行い、前記遊技媒体貯数特定情報を処理して交換された該景品に対応する遊技媒体数に基づいて該更新された遊技媒体貯数をさらに更新する景品払出手段と、少なくとも前記遊技媒体貯数特定情報の通信を行う第４通信ステップと、
前記カード形状記憶媒体を受け入れて、前記遊技媒体計数手段において更新された遊技媒体貯数特定情報で特定された遊技媒体数の少なくとも一部を再プレー用遊技媒体貯数に変更し、該再プレー用遊技媒体貯数に基づいて、前記遊技媒体貯数特定情報を処理して前記更新された遊技媒体貯数を更新し、前記再プレー用遊技媒体貯数特定情報を処理して前記再プレー用遊技媒体貯数を更新する再プレー受付手段と、少なくとも前記遊技媒体数特定情報と前記再プレー用遊技媒体貯数特定情報の通信を行う第５通信ステップと、
前記カード形状記憶媒体を受け入れて、前記再プレー用遊技媒体貯数特定情報を処理することによって前記再プレー用遊技媒体貯数の範囲で遊技媒体を貸し出すと共に、前記再プレー用遊技媒体貯数特定情報を処理することによって貸し出された該遊技媒体に対応する再プレー用遊技媒体貯数を更新する第２の遊技媒体貸出手段と、少なくとも前記再プレー用遊技媒体貯数特定情報の通信を行う第６通信ステップと
を有することを特徴とする遊技管理方法。
【発明の詳細な説明】
【０００１】
【発明の属する分野】
本発明は、電磁波を媒体として非接触に交信するＲＦＩＤを用い、アンテナ部を取り外し可能に装着でき、薄型および小型の装置への適用が可能な記憶媒体処理装置、記憶媒体処理方法に関し、さらに、この記憶媒体処理装置を備えた台間機、発券機、精算機、記憶媒体処理システムおよび遊技管理方法に関する。
【０００２】
【従来の技術】
電磁波を媒体として非接触に交信するＲＦＩＤを用いたＩＣタグ（電子タグ）用として、一般的に売られているアンテナ駆動回路を含むＡＳＩＣは、国際的に利用可能な周波数帯域である１３．５６ＭＨｚ用と、１２５ｋＨｚに対応したものが多い。これらのＩＣタグは、記憶素子およびアンテナを有し、例えば、交信周波数はアンテナを形成するコイルの巻数などによって異なる。これらＩＣタグが１３．５６ＭＨｚの場合には、アンテナコイルの巻数が５周であるので、薄型にするのに適しているが、周囲に金属が存在するとその影響を受けやすく、交信できないことがある。一方、ＩＣタグが１２５ｋＨｚの場合には、周囲の金属があっても影響を受け難いが、アンテナコイルの巻数が２００周と多く、ＩＣタグの厚みが増加する。
【０００３】
ＩＣタグは、例えば、物品販売においては、値段や商品名称を自動認識して販売や在庫管理を行う場合に用いられることがあるが、流通ルートの環境、梱包方法、製造メーカの都合などによって、交信する周波数の異なる複数種のＩＣタグを取り扱う場合と１種類の周波数のＩＣタグを取り扱う場合などがある。例えば、周波数の異なる２つのＩＣタグを取り扱う場合には、それぞれの単一周波数で質問可能な２種類のリーダライタを購入しなければならず不経済であった。また、２種類の周波数で質問可能なリーダライダも存在するがアンテナ部が固定されているため、交信する周波数に応じて、任意にアンテナ部をカートリッジ方式に交換することができなかった。
【０００４】
同様に、例えば、台間機のような薄型の装置に、異なる周波数で交信する複数のＩＣタグを有する記録媒体を受け入れる場合、それぞれの周波数に対応したリーダライタを装着しなければならず、上述したように不経済であり、さらに、２種類のリーダライタが装着されるので、薄型を維持して装置を構成することは困難であった。
【０００５】
一方、パチンコ店においては、店員による使用済みのＩＣカードの回収作業の労力を省力するために、例えば、貯留および再発行を簡易な装置構成で実現することができるＩＣタグを備えたコイン形状記録媒体を用いることがある。そして例えば、交信周波数が同じで、形状が異なるコイン形状とカード形状の２種の記憶媒体を１つのリーダライタで処理する記憶媒体処理装置が開示されている（例えば、特許文献１。）。
【０００６】
【特許文献１】
特開２００１−６２１２３号公報
【０００７】
【発明が解決しようとする課題】
上記したように、ＩＣタグを構成するコイルの巻数は、例えば、交信周波数が１３．５６ＭＨｚの場合には５周、周波数が１２５ｋＨｚの場合には２００周となり、交信周波数が高い方がコイルの巻数が少なく、記憶媒体を薄型に構成しやすく、交信周波数が低い方がコイルの巻数が多く、記憶媒体を必然的に厚く構成しなければならない。
【０００８】
一方、コイン形状記憶媒体は、外周部に金属リングを巻くと、装置内を転がり易く、また、デザイン的に重厚感が出されて好ましいのであるが、上記したように外周部に金属リングを巻くと、１３．５６ＭＨｚの交信周波数ではうまく交信できないという問題があった。そこで、このように周波数の異なる複数のＩＣタグを取り扱う場合には、それぞれの単一周波数で質問可能な２種類のリーダライタを従来の記憶媒体処理装置に搭載しなければならず、経済的な問題があった。また、２種類の周波数で質問可能なリーダライダも存在するがアンテナ部が固定されているため、交信する周波数に応じて、任意にアンテナ部をカートリッジ方式に交換することができず、アンテナ部の変更や増設などを任意に行うことができないという問題があった。
【０００９】
パチンコ店においては、例えば、非会員向けには、貯留および再発行を簡易な装置構成で実現することができるＩＣタグを備えたコイン形状記録媒体を、会員向けには、携帯が容易なＩＣタグを備えたカード形状記録媒体を用い、会員、非会員の区別を行えるようにすることが好ましい。そして、それぞれの記憶媒体の形状の差や周囲の金属の有無によって交信する周波数を異なるものが要求される。
【００１０】
また、パチンコ店においては、初めに高価な会員管理コンピュータ等からなる会員管理システムを設けずに、安価な非会員用カードシステムのみで運用することを選択できることが望ましい。
【００１１】
そこで、この安価な非会員用カードシステムのみで運用することが選択され、上記した従来の２種類の周波数で質問可能な記憶媒体処理装置を各種装置に搭載する場合には、使用することが明らかでない、会員向けのカード形状記憶媒体に対応した１３．５６ＭＨｚの周波数で交信するアンテナコイルやアンテナ駆動回路を含むＡＳＩＣを併設しなければならず、不経済（約２５００円）となる。また、この場合には、会員向けのカード形状記憶媒体に対応した１３．５６ＭＨｚの周波数で交信するアンテナコイルやアンテナ駆動回路を含むＡＳＩＣが不要となる以外に、リーダライタを構成する筐体、カード搬送機構、制御回路、制御ＣＰＵなども併設しなければならず、不経済（約１５０００円）となる。
【００１２】
また、安価な非会員用カードシステムのみで運用することが選択され、単一周波数で質問可能な２種類のリーダライタを従来の記憶媒体処理装置に搭載しなければならず、この２種の記憶媒体処理装置を、薄型４ｃｍ幅が要求される台間機に搭載する場合には、記録媒体処理装置が台間機に占める空間的な割合が増加し、コイン形状記録媒体の貯留部の縮小化、製造コストの増加などを生じるという問題があった。
【００１３】
また、例えば、特許文献１記載の発明のように１つのリーダライタで交信する場合、２種の１３．５６ＭＨｚ、１２５ｋＨｚのような著しく異なる周波数を処理することは、例えば、アンテナ部を共通とし、コンデンサ容量をスイッチングしても対応できないという問題があった。
【００１４】
そこで本発明では、このような課題を解決するためになされたもので、異なる周波数のＩＣタグに対応可能とし、必要に応じて変更、増設などを任意に行うことができる安価な記録媒体処理装置、記録媒体処理方法を提供することを主たる目的とする。
【００１５】
また、複数の記録媒体処理装置を装着して、台間機のような薄型装置、または小型の装置に搭載することができ、異なる周波数で交信する複数の記録媒体を処理することができる記録媒体処理装置および記録媒体処理方法を提供することを目的とする。
【００１６】
さらに、本発明の記録媒体処理装置を搭載することで上記目的を達成可能な発券機、台間機、精算機、記録媒体処理システムおよび遊技管理方法を提供することを目的とする。
【００１７】
【課題を解決するための手段】
上記目的を達成するために、本発明の請求項１記載の記憶媒体処理装置は、記憶素子およびアンテナを有する電子タグを備えた第１の記憶媒体と交信する第１のアンテナ部と、記憶素子およびアンテナを有する電子タグを備えた第２の記憶媒体と前記第１のアンテナ部と異なる所定の周波数で交信する第２のアンテナ部とを有する記憶媒体処理部本体を具備する記憶媒体処理装置であって、前記記憶媒体処理部本体に、前記第１のアンテナ部および前記第２のアンテナ部のうち少なくとも一方が取り外し可能に設置されたことを特徴とする。
【００１８】
この記憶媒体処理装置では、異なる周波数で交信する複数のアンテナ部を備えることで、複数の記憶媒体と交信することができる。また、少なくとも一方のアンテナ部が取り外し可能に設けられているので、さらに異なる周波数で交信するアンテナ部を任意に取り付けることができる。また、１つのアンテナ部のみ設けて、必要に応じて、他のアンテナ部を増設するような、アンテナ部の段階的な導入もできる。ここで、アンテナ部は、アンテナのみによる構成、共振周波数を定めるアンテナとコンデンサによる構成、これら構成に加えてアンテナ駆動回路を含むＡＳＩＣを有する構成、これら構成に加えて記憶媒体搬送部などを含む構成とすることもできる。このようにアンテナ部は、リーダライタとしての各部を有するものである。
【００１９】
また、本発明の請求項２記載の記憶媒体処理装置は、前記記憶媒体処理部本体に設置され、前記第１のアンテナ部が取り外し可能に装着される第１のアンテナ装着部と、前記第１のアンテナ部に設置され、前記第２のアンテナ部が取り外し可能に装着される第２のアンテナ装着部とを具備することを特徴とする。
【００２０】
この記憶媒体処理装置では、すべてのアンテナ部が取り外し可能に設けられており、異なる周波数で交信するアンテナ部を任意に取り付けることができる。また、１つのアンテナ部のみ設けて、必要に応じて、他のアンテナ部を増設するような、アンテナ部の段階的な導入もできる。
【００２１】
さらに、本発明の請求項３記載の記憶媒体処理装置は、前記記憶媒体処理部本体に設けられ、前記第１のアンテナ部が取り外し可能に装着される凹部形状を有する第１のアンテナ挿入部と、前記記憶媒体処理部本体の第１のアンテナ挿入部とは異なる位置に設けられ、前記第２のアンテナ部が取り外し可能に装着される凹部形状を有する第２のアンテナ挿入部とを具備することを特徴とする。
【００２２】
この記憶媒体処理装置では、すべてのアンテナ部が取り外し可能に設けられており、異なる周波数で交信するアンテナ部を任意に取り付けることができる。また、１つのアンテナ部のみ設けて、必要に応じて、他のアンテナ部を増設するような、アンテナ部の段階的な導入もできる。さらに、アンテナ部を薄型の筐体で構成することができ、装置の小型化を図ることができる。
【００２３】
また、本発明の請求項４記載の記憶媒体処理装置は、記憶素子およびアンテナを有する電子タグを備える第１の記憶媒体を受け入れる第１の記憶媒体受入部と、記憶素子およびアンテナを有する電子タグを備える第２の記憶媒体を受け入れる第２の記憶媒体受入部と、前記第１の記憶媒体受入部で受け入れられた前記第１の記憶媒体を搬送路に沿って搬送する第１の記憶媒体搬送部と、前記第２の記憶媒体受入部で受け入れられた前記第２の記憶媒体を搬送路に沿って搬送する第２の記憶媒体搬送部と、前記第１の記憶媒体の搬送路の所定の位置に対応させて設置され、前記第１の記憶媒体と所定の周波数で交信する第１のアンテナ部と、前記第２の記憶媒体の搬送路の所定の位置に対応させて設置され、前記第１のアンテナ部とは異なる周波数で前記第２の記憶媒体と交信する第２のアンテナ部とを具備し、前記第１のアンテナ部および前記第２のアンテナ部のうち少なくとも一方が取り外し可能に設置されたことを特徴とする。
【００２４】
この記憶媒体処理装置では、異なる周波数で交信する複数のアンテナ部を備えることで、複数の記憶媒体と交信することができる。また、少なくとも一方のアンテナ部が取り外し可能に設けられているので、さらに異なる周波数で交信するアンテナ部を任意に取り付けることができる。また、１つのアンテナ部のみ設けて、必要に応じて、他のアンテナ部を増設するような、アンテナ部の段階的な導入もできる。さらに、第１の記憶媒体と第２の記憶媒体が、それぞれ異なる記憶媒体搬送部によって搬送され、それそれが別個に異なる周波数で処理されるため、第１の記憶媒体と第２の記憶媒体とが混在することなく、また、それぞれの情報を的確に区分して管理することができる。ここで、アンテナ部は、アンテナのみ、共振周波数を定めるアンテナとコンデンサ、アンテナとコンデンサと記憶媒体搬送部などの駆動回路などを具備して構成することもできる。また、第１のアンテナ部および第２のアンテナ部の双方を取り外し可能に装着することもできる。
【００２５】
また、本発明の請求項５記載の記憶媒体処理装置では、前記第１のアンテナ部および前記第２のアンテナ部が、少なくとも記憶素子およびアンテナが封入された板状の筐体で構成されてもよい。これによって、アンテナ部を薄型の筐体で構成することができ、装置の小型化を図ることができる。
【００２６】
さらに、本発明の請求項６記載の記憶媒体処理装置では、記憶素子およびアンテナを有する電子タグを備える第１の記憶媒体を受け入れる第１の記憶媒体受入部と、記憶素子およびアンテナを有する電子タグを備える第２の記憶媒体を受け入れる第２の記憶媒体受入部と、前記第１の記憶媒体受入部で受け入れられた前記第１の記憶媒体を搬送路に沿って搬送する第１の記憶媒体搬送部と、前記第２の記憶媒体受入部で受け入れられた前記第２の記憶媒体を搬送路に沿って搬送する第２の記憶媒体搬送部と、前記第１の記憶媒体の搬送路および前記第２の記憶媒体の搬送路のどちらか一方の搬送路の所定の位置に対応するように、または、前記第１の記憶媒体の搬送路および前記第２の記憶媒体の搬送路の双方の搬送路の所定の位置に対応するように、取り外し可能に設置され、前記第１の記憶媒体と所定の周波数で交信する第１のアンテナ部材と、該第１のアンテナ部材とは異なる周波数で前記第２の記憶媒体と交信する第２のアンテナ部材とを併設する併設アンテナ部とを具備することを特徴とする。
【００２７】
この記憶媒体処理装置では、異なる周波数で交信する第１および２のアンテナ部を１つの併設アンテナ部に併設することで、アンテナ部の小型化を図ることができ、さらに、このアンテナ部の小型化に伴って装置の小型化も図ることができる。また、併設アンテナ部が取り外し可能に設けられているので、さらに異なる周波数で交信するアンテナ部を任意に取り付けることができる。さらに、第１の記憶媒体と第２の記憶媒体が、それぞれ異なる記憶媒体搬送部によって搬送され、それそれが別個に異なる周波数で処理されるため、第１の記憶媒体と第２の記憶媒体とが混在することなく、また、それぞれの情報を的確に区分して管理することができる。ここで、アンテナ部は、アンテナのみによる構成、共振周波数を定めるアンテナとコンデンサによる構成、これら構成に加えてアンテナ駆動回路を含むＡＳＩＣを有する構成、これら構成に加えて記憶媒体搬送部などを含む構成とすることもできる。このようにアンテナ部は、リーダライタとしての各部を有するものである。
【００２８】
また、本発明の請求項７記載の記憶媒体処理装置では、前記併設アンテナ部の前記第１のアンテナ部材が、前記第２のアンテナ部材を取り外し可能に装着するための凹部を有することを特徴とする。また、本発明の請求項８記載の記憶媒体処理装置では、前記併設アンテナ部の前記第２のアンテナ部材が、前記第１のアンテナ部材を取り外し可能に装着するための凹部を有することを特徴とする。
【００２９】
この記憶媒体処理装置では、異なる周波数で交信する第１および２のアンテナ部を１つの併設アンテナ部に併設することで、アンテナ部の小型化を図ることができ、さらに、このアンテナ部の小型化に伴って装置の小型化も図ることができる。また、第１のアンテナ部材が、第２のアンテナ部材を取り外し可能に、または、第２のアンテナ部材が、第１のアンテナ部材を取り外し可能に設けられているので、任意に異なる周波数のアンテナ部材を組み合わせることができる。さらに、１つのアンテナ部材のみ設けて、必要に応じて、他のアンテナ部を増設するような、アンテナ部の段階的な導入もできる。さらに、第１の記憶媒体と第２の記憶媒体が、それぞれ異なる記憶媒体搬送部によって搬送され、それそれが別個に異なる周波数で処理されるため、第１の記憶媒体と第２の記憶媒体とが混在することなく、また、それぞれの情報を的確に区分して管理することができる。
【００３０】
さらに、本発明の請求項９記載の記憶媒体処理装置では、前記第１の記憶媒体の搬送路を形成する側壁および前記第２の記憶媒体の搬送路を形成する側壁に、前記第１の記憶媒体の搬送路および前記第２の記憶媒体の搬送路に突出することなく、発光部と受光部とが対向して対になって設置される複数の光学検知部をさらに具備したことを特徴とする。
【００３１】
この記憶媒体処理装置では、光学検知部を設けることにより、装置内における記憶媒体の存在の有無、存在する位置の検知などをすることができ、記憶媒体の搬送状態などを的確に把握することができる。また、光学検知部は、搬送路を形成する側壁に設けられる以外にも、例えば、光学検知部をアンテナ部に設け、搬送路を形成する側壁には、そのアンテナ部に設けられた光学検知部に対応して、開口部を設けることもできる。
【００３２】
また、本発明の請求項１０記載の記憶媒体処理装置では、前記第１のアンテナ部材および前記第２のアンテナ部材が、前記第１の記憶媒体搬送部または前記第２の記憶媒体搬送部によって、所定の位置に搬送された記憶媒体に、異なる所定の質問信号を順次送信し、該記憶媒体からの応答信号に基づいて、前記第１の記憶媒体または前記第２の記憶媒体のいずれを受け入れたかの判定をさらに行うことを特徴とする。
【００３３】
この記憶媒体処理装置では、装置に受け入れられた記憶媒体に、第１のアンテナ部材および第２のアンテナ部材が質問信号を順次送信して、装置に受け入れられた記憶媒体の種類などを自動的に判定することがきる。
【００３４】
さらに、本発明の請求項１１記載の記憶媒体処理装置では、前記第１の記憶媒体の搬送路から前記第１の記憶媒体を外部に排出する第１の記憶媒体排出部と、前記第２の記憶媒体の搬送部から前記第２の記憶媒体を外部に排出するか、または内部に貯留する、のいずれかを行う第２の記憶媒体排出部とを具備し、前記第１の記憶媒体が、カード形状を有し、前記第２の記憶媒体が、コイン形状を有することを特徴とする。
【００３５】
この記憶媒体処理装置では、所定の条件を満たした第２の記憶媒体、つまりコイン形状の記憶媒体を装置に貯留し、その貯留された第２の記憶媒体を必要に応じて、例えば、ＩＤなどを付与して発行することができる。
【００３６】
本発明の請求項１２記載の記憶媒体処理方法は、記憶素子およびアンテナを有する電子タグを備える第１の記憶媒体、または記憶素子およびアンテナを有する電子タグを備える第２の記憶媒体を受け入れる受入ステップと、前記受入ステップで、前記第１の記憶媒体および前記第２の記憶媒体のいずれかが受け入れられたかを判定する受入検知ステップと、前記受入検知ステップで、前記第１の記憶媒体または前記第２の記憶媒体のいずれかが受け入れられたことに対応して、第１の記憶媒体対応処理ステップまたは第２の記憶媒体対応処理ステップのいずれかが実行される実行ステップを具備する記憶媒体処理方法であって、前記第１の記憶媒体対応処理ステップが、前記受入ステップで受け入れられた前記第１の記憶媒体を搬送する第１の記憶媒体搬送ステップと、前記第１の記憶媒体搬送ステップで所定の位置に搬送された前記第１の記憶媒体と所定の周波数で交信する第１の交信ステップと、前記第１の交信ステップで交信後、前記第１の記憶媒体を外部に排出する第１の排出ステップとを有し、前記第２の記憶媒体対応処理ステップが、前記受入ステップで受け入れられた前記第２の記憶媒体を搬送する第２の記憶媒体搬送ステップと、前記第２の記憶媒体搬送ステップで所定の位置に搬送された前記第２の記憶媒体と前記第１の交信ステップの周波数とは異なる所定の周波数で交信する第２の交信ステップと、前記第２の交信ステップで交信後、前記第２の記憶媒体の外部への排出、または内部に貯留、のいずれかを行う第２の排出ステップとを有することを特徴とする。
【００３７】
この記憶媒体処理方法では、異なる周波数で交信する複数のアンテナ部を備えることで、複数の記憶媒体と交信することができ、また、第１の記憶媒体と第２の記憶媒体が、それぞれ異なる記憶媒体搬送部によって搬送され、それそれが別個に異なる周波数で処理されるため、第１の記憶媒体と第２の記憶媒体とが混在することなく、また、それぞれの情報を的確に区分して管理することができる。さらに、所定の条件を満たした第２の記憶媒体、つまりコイン形状の記憶媒体を装置に貯留し、その貯留された第２の記憶媒体を必要に応じて、例えば、ＩＤなどを付与して発行することができる。
【００３８】
また、本発明の請求項１３記載の記憶媒体処理方法では、前記受入検知ステップが、光学的に検知することによって、前記第１の記憶媒体または前記第２の記憶媒体のいずれを受け入れたかを判定することができる。前記受入検知ステップが、光学的に検知することによって、装置内における記憶媒体の存在の有無、存在する位置の検知などをすることができ、記憶媒体の搬送状態などを的確に把握することができる。
【００３９】
さらに、本発明の請求項１４記載の記憶媒体処理方法は、前記第１の交信ステップおよび前記第２の交信ステップが、前記第１の記憶媒体搬送ステップまたは前記第２の記憶媒体搬送ステップによって所定の位置に搬送された記憶媒体に、異なる所定の質問信号を順次送信し、該記憶媒体からの応答信号に基づいて、前記第１の記憶媒体または前記第２の記憶媒体のいずれを受け入れたかの判定をさらに行うことを特徴とする。
【００４０】
この記憶媒体処理方法では、装置に受け入れられた記憶媒体に、第１のアンテナ部材および第２のアンテナ部材が質問信号を順次送信して、装置に受け入れられた記憶媒体の種類などを自動的に判定することがきる。
【００４１】
また、本発明の請求項１５記載の記憶媒体処理方法では、前記第１の記憶媒体が、カード形状を有し、前記第２の記憶媒体が、コイン形状を有するしている。このような異なる形状の第１の記憶媒体と第２の記憶媒体を用い、例えば、所定の条件を有する者に第１の記憶媒体を使用させ、それ以外の者に第２の記憶媒体を使用させることで、利用者ごとの異なる管理処理などを効率よく行うことができる。
【００４２】
本発明の請求項１６記載の台間機は、請求項４乃至１１のいずれか１項記載の記憶媒体処理装置を搭載し、有価価値を特定可能な有価価値特定情報が記憶された記憶媒体を用いて、その特定された有価価値の範囲で遊技に供する遊技媒体の貸し出しが可能な台間機であって、貨幣を受け入れて該貨幣を識別する貨幣識別部と、会員登録を受けた遊技者に発行されたカード形状記憶媒体を受け入れるカード受入手段と、前記カード受入手段が受け入れた前記カード形状記憶媒体から有価価値特定情報を読み取るカード読取手段と、前記貨幣識別部により識別された貨幣の金額に対応して前記カード受入手段が受け入れたカード形状記憶媒体の有価価値特定情報によって特定される有価価値を更新するカード更新手段と、を有するカード処理部と、コイン形状記憶媒体を受け入れるコイン受入手段と、前記コイン受入手段が受け入れた前記コイン形状記憶媒体から有価価値特定情報を読み取るコイン読取手段と、前記貨幣識別部により識別された貨幣の金額に対応して前記コイン受入手段が受け入れた前記コイン形状記憶媒体の有価価値特定情報によって特定される有価価値を更新するコイン更新手段と、貯留されたコイン形状記憶媒体に対し前記貨幣識別部により識別された貨幣の金額に対応する有価価値を特定する有価価値特定情報を書き込んで発行するコイン発行手段と、を有するコイン処理部とを具備することを特徴とする。
【００４３】
この台間機は、請求項４乃至１１のいずれか１項記載の記憶媒体処理装置を搭載することで、異なる周波数で交信する複数のアンテナ部を備えることで、複数の記憶媒体と交信することができる。また、アンテナ部が取り外し可能に設けられているので、さらに異なる周波数で交信するアンテナ部を任意に取り付けることができる。また、１つのアンテナ部のみ設けて、必要に応じて、他のアンテナ部を増設するような、アンテナ部の段階的な導入もできる。
【００４４】
また、会員登録を受けた遊技者にカード形状記憶媒体を、会員登録を受けていない遊技者にコイン形状記憶媒体を利用させ、会員と非会員とに利用される記憶媒体を区別することで、会員と非会員との異なる管理処理などを効率よく行うことができる。また、カード形状記憶媒体またはコイン形状記憶媒体を有する遊技者、または、カード形状記憶媒体またはコイン形状記憶媒体を有しない遊技者のすべてに対して、別体の発券機にてプリペイドカードを購入することなくいきなり高額紙幣を入金して遊技することができる。これによって、遊技者による遊技の停止時間を削減でき、遊技機の稼働率の向上を図ることができ、別体の発券機が不要となるので遊技場の経営コストの削減を図ることができる。
【００４５】
さらに、コイン形状記憶媒体は、多数ストック可能なので、店員がコイン形状記憶媒体の補充または回収を頻繁に行う手間を省くことができる。ここで、カード処理部、コイン処理部には、リーダライタなどを用いることができる。有価価値特定情報には、例えば、遊技者を互いに識別するためのＩＤ、ＩＤと入金された金額を度数化した度数、または、度数のみなどの情報が含まれる。遊技媒体には、例えば、パチンコ玉、メダルなどを用いることができる。貨幣には、硬貨、紙幣を含む。
【００４６】
また、本発明の請求項１７記載の台間機は、前記カード処理部が、前記カード形状記憶媒体を受け入れた場合に、前記カード形状記憶媒体が受け入れられた場合特有の第１の処理を少なくとも行う第１の処理手段と、前記コイン処理部が、前記コイン形状記憶媒体を受け入れた場合に、前記第１の処理と異なる第２の処理を行う第２の処理手段とを具備することを特徴とする。
【００４７】
この台間機では、会員としての処理と、非会員としての処理の一部を相違させ差別化を図り、会員だけに特典を付与することで、会員の再来店を促すことができる。ここで、コイン形状記憶媒体を受け入れた場合とは、記憶媒体処理装置の外部からコイン形状記憶媒体を受け入れた場合と、記憶媒体処理装置の内部から発行するコイン形状記憶媒体を受け入れた場合とを含む。
【００４８】
また、第１の処理とは、ポイントの付与（貸玉数に応じて貸玉ポイント付与、カードをその営業日にはじめて挿入した時に付与される来店ポイント付与、アウト数とセーフ数の差である勝敗に応じて勝敗ポイント付与などがある。）、パチンコ台上部や台間機に設置されたデータ表示機へのその会員の遊技結果や遊技台データの表示、再プレー（遊技の結果獲得した遊技媒体を計数して貯玉化し、その貯玉の少なくとも一部を再び遊技に供するために貸玉する。）、管理装置による会員毎、所定の会員グループ（例えば、年齢層別グループ）毎のデータ集計（例えば、遊技結果のリストやグラフ表示）、検索、ダイレクトメール発信のための広告用のはがきへの住所の印刷などの処理を含むが、これらに限られるものではない。また、会員向けの特典や処理は種々のものがあり、会員特有の処理である第１の処理は、非会員向けの第２の処理では行われない。つまり、第１の処理手段は、会員特有の処理である第１の処理を少なくとも含み、その他に、第２の処理と共通する処理を含むこともある。
【００４９】
さらに、本発明の請求項１８記載の台間機では、前記貨幣識別部が、紙幣の貯留が可能な紙幣貯留部を有し、かつ前記記憶媒体処理装置の本体と別体でもよい。これによって、カード処理部、コイン処理部などの装着スペースを確保することができる。また、使用されている台間機との交換が可能で、交換も容易に行うことができる。
【００５０】
本発明の請求項１９記載の精算機は、請求項４乃至１１のいずれか１項記載の記憶媒体処理装置を搭載し、有価価値を特定可能な有価価値特定情報が記録された記憶媒体を用いて、その特定された有価価値の範囲で貨幣の払い戻しが可能な精算機であって、会員登録を受けた遊技者に発行されたカード形状記憶媒体を受け入れるカード受入手段と、前記カード受入手段が受け入れた前記カード形状記憶媒体から有価価値特定情報を読み取るカード読取手段と、前記カード読取手段により読み取られた有価価値特定情報によって特定される有価情報に基づいて貨幣を払い戻すカード対応紙幣払戻手段と、前記カード対応紙幣払戻手段で払い戻された貨幣に対応して前記カード形状記憶媒体の有価価値特定情報によって特定される有価価値を更新するカード更新手段と、を有するカード精算処理部と、コイン形状記憶媒体を受け入れるコイン受入手段と、前記コイン受入手段が受け入れた前記コイン形状記憶媒体から有価価値特定情報を読み取るコイン読取手段と、前記コイン読取手段により読み取られた有価価値特定情報によって特定される有価情報に基づいて貨幣を払い戻すコイン対応紙幣払戻手段と、前記コイン対応紙幣払戻手段で払い戻された貨幣に対応して前記コイン形状記憶媒体の有価価値特定情報によって特定される有価価値を更新するコイン更新手段と、を有するコイン精算処理部とを具備することを特徴とする。
【００５１】
この精算機は、請求項４乃至１１のいずれか１項記載の記憶媒体処理装置を搭載することで、異なる周波数で交信する複数のアンテナ部を備えることで、複数の記憶媒体と交信することができる。また、アンテナ部が取り外し可能に設けられているので、さらに異なる周波数で交信するアンテナ部を任意に取り付けることができる。また、１つのアンテナ部のみ設けて、必要に応じて、他のアンテナ部を増設するような、アンテナ部の段階的な導入もできる。さらに、会員登録を受けた遊技者が利用するカード形状記憶媒体と、会員登録を受けていない遊技者が利用するコイン形状記憶媒体との処理部を区別することで、会員と非会員との異なる管理処理などを効率よく行うことができる。
【００５２】
また、本発明の請求項２０記載の精算機は、前記カード精算処理部が、前記カード形状記憶媒体を受け入れた場合に、前記カード形状記憶媒体が受け入れられた場合特有の第１の処理を少なくとも行う第１の処理手段と、前記コイン精算処理部が、前記コイン形状記憶媒体を受け入れた場合に、前記第１の処理と異なる第２の処理を行う第２の処理手段とを具備することを特徴とする。
【００５３】
この精算機は、会員としての処理と、非会員の処理の一部を相違させ差別化を図り、会員だけに特典を付与することで、会員の再来店を促すことができる。また、第１の処理とは、ポイントの付与（精算時に付与する精算ポイント付与、未精算の有価価値に応じて付与される未精算ポイント付与などがある。）、その会員の遊技結果に応じてコメントを精算機の液晶に表示するコメント表示、管理装置による会員毎、所定の会員グループ（例えば年齢層別グループ）毎の精算データ集計（例えば精算結果のリストやグラフ表示）、店員による検索、ダイレクトメール発信のための広告用のはがきへの住所の印刷などの処理を含むが、これらに限られるものではない。また、会員向けの特典や処理は種々のものがあり、会員特有の処理である第１の処理は、非会員向けの第２の処理では行われない。つまり、第１の処理手段は、会員特有の処理である第１の処理を少なくとも含み、その他に、第２の処理と共通する処理を含むこともある。
【００５４】
本発明の請求項２１記載の発券機は、請求項４乃至１１のいずれか１項記載の記憶媒体処理装置を搭載し、貨幣を受け入れて、該貨幣に対応する有価価値を特定可能な有価価値特定情報が記憶された記憶媒体を発行する発券機であって、貨幣を受け入れて該貨幣を識別する貨幣識別部と、会員登録を受けた遊技者に発行されたカード形状記憶媒体を受け入れるカード受入手段と、前記カード受入手段が受け入れた前記カード形状記憶媒体から有価価値特定情報を読み取るカード読取手段と、前記貨幣識別部により識別された貨幣の金額に対応して前記カード受入手段が受け入れたカード形状記憶媒体の有価価値特定情報によって特定される有価価値を更新するカード更新手段と、を有するカード処理部と、貯留されたコイン形状記憶媒体に対し前記貨幣識別部により識別された貨幣の金額に対応する有価価値を特定する有価価値特定情報を書き込んで発行するコイン発行手段と、を有するコイン処理部とを具備することを特徴とする。
【００５５】
この発券機では、請求項４乃至１１のいずれか１項記載の記憶媒体処理装置を搭載することで、異なる周波数で交信する複数のアンテナ部を備えることで、複数の記憶媒体と交信することができる。また、アンテナ部が取り外し可能に設けられているので、さらに異なる周波数で交信するアンテナ部を任意に取り付けることができる。また、１つのアンテナ部のみ設けて、必要に応じて、他のアンテナ部を増設するような、アンテナ部の段階的な導入もできる。
【００５６】
さらに、会員登録を受けた遊技者が利用するカード形状記憶媒体と、会員登録を受けていない遊技者に発行されるコイン形状記憶媒体との処理部を区別することで、会員と非会員との異なる管理処理などを効率よく行うことができる。ここで、本発明の発券機は、台間機と別体式の発券機に限定されるものではなく、台間機自体に本発明の発券機を搭載することもできる。
【００５７】
また、本発明の請求項２２記載の発券機は、前記カード処理部が、前記カード形状記憶媒体を受け入れた場合に、前記カード形状記憶媒体が受け入れられた場合特有の第１の処理を少なくとも行う第１の処理手段と、前記コイン処理部が、前記コイン形状記憶媒体を受け入れた場合に、前記第１の処理と異なる第２の処理を行う第２の処理手段とを具備することを特徴とする。
【００５８】
この発券機では、会員としての処理と、非会員の処理の一部を相違させ差別化を図り、会員だけに特典を付与することで、会員の再来店を促すことができる。また、第１の処理とは、ポイントの付与（発券時に付与する発券ポイント付与、発券した有価価値に応じて付与される発券有価価値ポイント付与などがある。）、その会員の前日までの遊技結果に応じてコメントを発券機の液晶に表示するコメント表示、管理装置による会員毎、所定の会員グループ（例えば年齢層別グループ）毎の精算データ集計（例えば精算結果のリストやグラフ表示）、店員による検索、ダイレクトメール発信のための広告用のはがきへの住所の印刷などの処理を含むが、これらに限られるものではない。また、会員向けの特典や処理は種々のものがあり、会員特有の処理である第１の処理は、非会員向けの第２の処理では行われない。つまり、第１の処理手段は、会員特有の処理である第１の処理を少なくとも含み、その他に、第２の処理と共通する処理を含むこともある。
【００５９】
本発明の請求項２３記載の記憶媒体処理システムは、請求項１６に記載の台間機、請求項１９記載の精算機、請求項２１記載の発券機および管理装置を具備し、前記台間機と、前記精算機と、前記発券機と、前記管理装置とがそれぞれ通信可能に接続された記憶媒体処理システムであって、前記管理装置が、会員登録を受けた遊技者に発行されたカード形状記憶媒体が利用されたときの処理管理をすべく、前記記憶媒体処理装置で投入された金額に対応して前記カード形状記憶媒体の有価価値特定情報によって特定される有価価値、前記発券機で投入された金額に対応して前記カード形状記憶媒体の有価価値特定情報によって特定される有価価値、前記精算機で払い戻された貨幣に対応して前記カード形状記憶媒体の有価価値特定情報によって特定される有価価値を管理するカード有価価値情報管理手段と、前記発券機で投入または払い戻された貨幣の金額を管理するカード貨幣情報管理手段とを有するカード情報管理部と、コイン形状記憶媒体が利用されたときの処理管理をすべく、前記記憶媒体処理装置で投入された金額に対応して前記コイン形状記憶媒体の有価価値特定情報によって特定される有価価値、前記発券機で投入された金額に対応して前記コイン形状記憶媒体の有価価値特定情報によって特定される有価価値、前記精算機で払い戻された貨幣に対応して前記コイン形状記憶媒体の有価価値特定情報によって特定される有価価値を管理するコイン有価価値情報管理手段と、前記発券機で投入または払い戻された貨幣の金額を管理するコイン貨幣情報管理手段とを有するコイン情報管理部とを具備することを特徴とする。
【００６０】
この記憶媒体処理システムでは、台間機と、発券機と、精算機と、管理装置とがそれぞれ通信を行うよう接続され、台間機、発券機および精算機の情報を管理装置で管理することができる。また、管理装置における管理情報は、会員登録を受けた遊技者にカード形状記憶媒体を、会員登録を受けていない遊技者にコイン形状記憶媒体を利用させ、会員と非会員とに利用される記憶媒体が区別されているので、会員と非会員との管理情報などを別個に管理することができ、さらに、会員と非会員との異なる管理処理などを効率よく行うことができる。
【００６１】
また、本発明の請求項２４記載の記憶媒体処理システムは、請求項１９記載の精算機、請求項２１記載の発券機、計数機、景品払出機、再プレー受付機のいずれか少なくとも１つと、請求項１６に記載の台間機と、管理装置とを具備し、前記発券機、前記精算機、前記計数機、前記景品払出機、前記再プレー受付機のいずれか少なくとも１つと、前記台間機と、前記管理装置とがそれぞれ通信可能に接続された記憶媒体処理システムであって、前記計数機が、遊技媒体を受け入れて該遊技媒体の数を計数する計数部と、会員登録を受けた遊技者に発行されたカード形状記憶媒体を受け入れる第１のカード受入手段と、前記第１のカード受入手段が受け入れた前記カード形状記憶媒体から遊技媒体貯数を特定する遊技媒体貯数特定情報を読み取る第１のカード読取手段と、前記計数部により計数した遊技媒体数に対応して前記第１のカード受入手段が受け入れたカード形状記憶媒体の遊技媒体貯数特定情報によって特定される遊技媒体貯数を更新する第１のカード更新手段と、を有する第１のカード処理部と、前記計数部により計数した遊技媒体数を、遊技媒体貯数を特定可能な遊技媒体貯数特定情報として、貯留された記録媒体に記録する記録媒体記録手段と、前記記録媒体記録手段で記録された前記記録媒体を発券する記録媒体発券手段と、を有する第１の記録媒体処理部とを具備し、前記景品払出機が、会員登録を受けた遊技者に発行されたカード形状記憶媒体を受け入れる第２のカード受入手段と、前記第２のカード受入手段が受け入れた前記カード形状記憶媒体から遊技媒体貯数を特定する遊技媒体貯数特定情報を読み取る第２のカード読取手段と、前記第２のカード読取手段により読み取られた遊技媒体貯数特定情報によって特定される遊技媒体貯数に基づいて景品を払い出すか、または、払い出す景品の種別と数量を表示するカード景品処理手段と、前記カード景品処理手段で払い出された景品または払い出す景品の種別と数量に対応して前記カード形状記憶媒体の遊技媒体貯数特定情報によって特定される遊技媒体貯数を更新する第２のカード更新手段と、を有する第２のカード処理部と、遊技媒体貯数を特定可能な遊技媒体貯数特定情報が記録された記録媒体の該遊技媒体貯数特定情報を読み取る記録媒体読取手段と、前記記録媒体読取手段により読み取られた遊技媒体貯数特定情報によって特定される遊技媒体貯数に基づいて景品を払い出すか、または、払い出す景品の種別と数量を表示する記録媒体景品処理手段と、を有する第２の記録媒体処理部とを具備し、前記再プレー受付機が、会員登録を受けた遊技者に発行されたカード形状記憶媒体を受け入れる第３のカード受入手段と、前記第３のカード受入手段が受け入れた前記カード形状記憶媒体から遊技媒体貯数を特定する遊技媒体貯数特定情報を読み取る第３のカード読取手段と、前記第３のカード読取手段によって読み取られた遊技媒体貯数特定情報により特定される遊技媒体貯数のうち所定の遊技媒体貯数を再プレー用の遊技媒体貯数に変更するための出力を行う再プレー出力手段とを有する第３のカード処理部を具備し、前記管理装置が、会員登録を受けた遊技者に発行されたカード形状記憶媒体が利用されたときの処理管理をすべく、前記記憶媒体処理装置で投入された金額に対応して前記カード形状記憶媒体の有価価値特定情報によって特定される有価価値、前記発券機で投入された金額に対応して前記カード形状記憶媒体の有価価値特定情報によって特定される有価価値、前記精算機で払い戻された貨幣に対応して前記カード形状記憶媒体の有価価値特定情報によって特定される有価価値を管理するカード有価価値情報管理手段と、前記発券機で投入または払い戻された貨幣の金額を管理するカード貨幣情報管理手段と、前記計数機で計数された遊技媒体数および前記景品払出機で交換された遊技媒体数を管理するカード遊技媒体数情報管理手段と、前記景品払出機で景品毎の交換回数の履歴、交換された遊技媒体数の履歴を管理する景品記憶媒体履歴情報管理手段と、前記再プレー受付機で受付され、前記カード遊技媒体数情報管理手段で管理される遊技媒体貯数特定情報により特定される遊技媒体貯数のうち所定の遊技媒体貯数を再プレー用の遊技媒体貯数として変更した再プレー用の遊技媒体貯数を管理する再プレー用遊技媒体貯数情報管理手段とを有するカード情報管理部と、コイン形状記憶媒体が利用されたときの処理管理をすべく、前記記憶媒体処理装置で投入された金額に対応して前記コイン形状記憶媒体の有価価値特定情報によって特定される有価価値、前記発券機で投入された金額に対応して前記コイン形状記憶媒体の有価価値特定情報によって特定される有価価値、前記精算機で払い戻された貨幣に対応して前記コイン形状記憶媒体の有価価値特定情報によって特定される有価価値を管理するコイン有価価値情報管理手段と、前記発券機で投入または払い戻された貨幣の金額を管理するコイン貨幣情報管理手段と、前記計数機で計数された遊技媒体数を管理するコイン遊技媒体数情報管理手段とを有するコイン情報管理部とを具備することを特徴とする。
【００６２】
この記憶媒体処理システムでは、発券機、精算機、計数機、景品払出機、再プレー受付機のいずれか少なくとも１つと、台間機と、管理装置とがそれぞれ通信可能に接続され、発券機、精算機、計数機、景品払出機、再プレー受付機のいずれか少なくとも１つと、台間機および精算機の情報を管理装置で管理することができる。また、管理装置における管理情報は、会員登録を受けた遊技者にカード形状記憶媒体を、会員登録を受けていない遊技者にコイン形状記憶媒体を利用させ、会員と非会員とに利用される記憶媒体が区別されているので、会員と非会員との管理情報などを別個に管理することができ、さらに、会員と非会員との異なる管理処理などを効率よく行うことができる。
【００６３】
本発明の請求項２５記載の遊技管理方法は、有価価値を特定可能な有価価値特定情報、遊技媒体数を特定可能な遊技媒体貯数特定情報および再プレー用遊技媒体数を特定可能な再プレー用遊技媒体貯数特定情報を少なくとも管理している管理装置を用いた遊技管理方法であって、貨幣を受け入れて、該貨幣に対応する有価価値を特定する有価価値特定情報をコイン形状記憶媒体に記録して発行するコイン形状記憶媒体発行手段と、少なくとも前記有価価値特定情報の通信を行う第１通信ステップと、貨幣およびカード形状記憶媒体、または、貨幣および前記コイン形状記憶媒体を受け入れて、前記有価価値特定情報を処理することによって該貨幣に対応する有価価値を更新し、該更新された有価価値の範囲で遊技媒体を貸し出すと共に、前記有価価値特定情報を処理することによって貸し出された該遊技媒体に対応する有価価値を更新する第１の遊技媒体貸出手段と、少なくとも前記有価価値特定情報の通信を行う第２通信ステップと、遊技媒体を計数し、前記カード形状記憶媒体を受け入れた場合には、該カード形状記憶媒体より前記遊技媒体貯数特定情報を読み出して前記遊技媒体貯数を更新するか、または、前記カード形状記憶媒体を受け入れない場合には、計数された該遊技媒体の数を特定するための遊技媒体貯数特定情報を記録した記録媒体を発券する遊技媒体計数手段と、少なくとも前記遊技媒体貯数特定情報の通信を行う第３通信ステップと、前記記録媒体、または、前記カード形状記憶媒体の前記遊技媒体貯数特定情報によって特定された遊技媒体数に基づいて、景品との交換を行うか、または、景品との交換を行うために交換すべき景品の種別と交換すべき景品数を表示するか、少なくとも一方を行い、前記遊技媒体貯数特定情報を処理して交換された該景品に対応する遊技媒体数に基づいて該更新された遊技媒体貯数をさらに更新する景品払出手段と、少なくとも前記遊技媒体貯数特定情報の通信を行う第４通信ステップと、前記カード形状記憶媒体を受け入れて、前記遊技媒体計数手段において更新された遊技媒体貯数特定情報で特定された遊技媒体数の少なくとも一部を再プレー用遊技媒体貯数に変更し、該再プレー用遊技媒体貯数に基づいて、前記遊技媒体貯数特定情報を処理して前記更新された遊技媒体貯数を更新し、前記再プレー用遊技媒体貯数特定情報を処理して前記再プレー用遊技媒体貯数を更新する再プレー受付手段と、少なくとも前記遊技媒体数特定情報と前記再プレー用遊技媒体貯数特定情報の通信を行う第５通信ステップと、前記カード形状記憶媒体を受け入れて、前記再プレー用遊技媒体貯数特定情報を処理することによって前記再プレー用遊技媒体貯数の範囲で遊技媒体を貸し出すと共に、前記再プレー用遊技媒体貯数特定情報を処理することによって貸し出された該遊技媒体に対応する再プレー用遊技媒体貯数を更新する第２の遊技媒体貸出手段と、少なくとも前記再プレー用遊技媒体貯数特定情報の通信を行う第６通信ステップとを有することを特徴とする。
【００６４】
この遊技管理方法では、有価価値を特定可能な有価価値特定情報、遊技媒体数を特定可能な遊技媒体貯数特定情報および再プレー用遊技媒体数を特定可能な再プレー用遊技媒体貯数特定情報を少なくとも管理している管理装置と、例えば発券機の機能を有するコイン形状記憶媒体発行手段、例えば台間機の機能を有する第１の遊技媒体貸出手段、例えば計数機の機能を有する遊技媒体計数手段、例えば景品払出機の機能を有する景品払出手段、例えば再プレー受付機の機能を有する再プレー受付手段および例えば台間機の機能を有する第２の遊技媒体貸出手段とが通信を行い、管理装置において、それぞれの機器の情報を管理することができる。また、管理装置における管理情報は、会員登録を受けた遊技者にカード形状記憶媒体を、会員登録を受けていない遊技者にコイン形状記憶媒体を利用させ、会員と非会員とに利用される記憶媒体が区別されているので、会員と非会員との管理情報などを別個に管理することができ、さらに、会員と非会員との異なる管理処理などを効率よく行うことができる。
【００６５】
ここで、有価価値特定情報の処理とは、有価価値特定情報が有価価値の場合には、有価価値を書き込むことをいう。また、有価価値特定情報が個人を識別するＩＤの場合には、記憶媒体より有価価値特定情報を読み取り、そのＩＤに基づいて、管理装置より有価価値特定情報によって特定される有価価値を読み込み、さらに貨幣の分の有価価値を加算して再び管理装置に書き込んでもよい。遊技媒体貯数特定情報の処理とは、遊技媒体貯数特定情報が遊技媒体貯数の場合には、遊技媒体貯数を書き込むことをいう。また、遊技媒体貯数特定情報が個人を識別するＩＤの場合には、記憶媒体より遊技媒体貯数特定情報を読み取り、そのＩＤに基づいて、管理装置より遊技媒体貯数特定情報によって特定される遊技媒体貯数を読み込み、さらに貨幣の分の遊技媒体貯数を加算して再び管理装置に書き込んでもよい。再プレー用遊技媒体貯数特定情報の処理とは、再プレー用遊技媒体貯数特定情報が再プレー用遊技媒体貯数の場合には、再プレー用遊技媒体貯数を書き込むことをいう。また、再プレー用遊技媒体貯数特定情報が個人を識別するＩＤの場合には、記憶媒体より再プレー用遊技媒体貯数特定情報を読み取り、そのＩＤに基づいて、管理装置より再プレー用遊技媒体貯数特定情報によって特定される再プレー用遊技媒体貯数を読み込み、さらに貨幣の分の再プレー用遊技媒体貯数を加算して再び管理装置に書き込んでもよい。
【００６６】
また、記録媒体には、例えば、レシートなどの紙媒体であり、バーコードや表記のうち少なくとも一方を印刷することができるものが用いられる。また、記録媒体には、例えば、カードなどの磁気記憶層や非接触データキャリアなどの記憶する手段を有する記憶媒体なども用いることができる。
【００６７】
【発明の実施の形態】
以下、本発明に係る記憶媒体処理装置１の一実施の形態を図面を参照して説明する。
【００６８】
（記憶媒体処理装置１）
図１に本発明の一実施の形態の記憶媒体処理装置１の斜視図を示す。また、図２には、会員の遊技者が使用するＩＣカード４０および非会員の遊技者が使用するＩＣコイン４１の斜視図を示す。
【００６９】
ここで、会員の遊技者とは、住所、氏名、年齢、性別、好きな台、連絡先、暗証番号などの属性情報が会員の遊技者を互いに識別するＩＤに基づいて管理装置に登録され、ＩＣカード４０を有する遊技者をいう。また、非会員の遊技者とは、会員登録されていない一般の遊技者をいう。
【００７０】
まず、図２に示された（ａ）ＩＣカード４０および（ｂ）ＩＣコイン４１について説明する。
【００７１】
ＩＣカード４０は、従来から遊技システムで使用されていたＩＣチップおよびアンテナを有する記憶媒体であり、カード形状を有している。ＩＣコイン４１は、ＩＣカード４０と同様の機能を有する記憶媒体である。ＩＣカード４０と異なる点は、その形状がコイン形状であることにある。
【００７２】
コイン形状とは、硬貨やチップに類した円盤形状を意味する。このコイン形状は、リサイクル時の耐久性と搬送性を考慮して、例えば、樹脂、セラミックスなどの硬質材料で形成されている。ＩＣコイン４１を成形する材料としてプラスチックなどの軽量材料を用いる場合には、コイン形状の外周部に金属リングなどを埋め込んで重みを持たせ、搬送時に転がりやすくすることが好ましい。
【００７３】
これらのＩＣカード４０やＩＣコイン４１は、ＩＣチップ４０ａ、４１ａと、そのＩＣチップ４０ａ、４１ａを取り巻くアンテナ部４０ｂ、４１ｂとを有する非接触型の記憶媒体であり、アンテナ部４０ｂ、４１ｂを介してＩＣチップ４０ａ、４１ａに情報の読み書きをすることができる。
【００７４】
ＩＣカード４０では、交信周波数を１３．５６ＭＨｚとし、この交信周波数に共振するアンテナ部４０ｂは、コイルを５週巻くことで形成することができる。このように、ＩＣカード４０は、少ないコイルの巻数で構成することができるので、薄型に構成しやすい。
【００７５】
一方、ＩＣコイン４１は、外周部に金属リングを巻いて、装置内を転がり易く構成されているが、外周部に金属リングを巻くことによって、１３．５６ＭＨｚの周波数ではうまく交信できないので、ＩＣコイン４１の交信周波数を１２５ｋＨｚとした。この交信周波数に共振するアンテナ部４１ｂは、コイルを２００週巻くことで形成することができる。
【００７６】
なお、ＩＣカード４０およびＩＣコイン４１では、それぞれの交信周波数が異なればよく、上述した交信周波数に限るものではない。
【００７７】
次に、図１を参照して記憶媒体処理装置１について説明する。
記憶媒体処理装置１は、側壁蓋部１ａ、４つのケース部材１ｂ、１ｃ、１ｄ、１ｅおよびケース部材１ｃとケース部材１ｄとの間に設けられた制御部１６とで主に構成されている。また、記憶媒体処理装置１は、ケース部材１ａからケース部材１ｅまでの厚み、つまり記憶媒体処理装置１の厚みが３．８ｍｍであり、４ｃｍ幅の台間機に装着可能に構成されている。
【００７８】
側壁蓋部１ａは、ケース部材１ｂに、例えば、ネジなどで螺合されている。また、ケース部材１ｂとケース部材１ｃ、ケース部材１ｄとケース部材１ｅは、一端部にそれぞれ設けられたヒンジ部２と、ヒンジ部２の他端部に設けられたロック部３とによって連結されている。したがって、ロック部３のロックを解除することで、ケース部材１ｂとケース部材１ｃ、ケース部材１ｄとケース部材１ｅとの間は、ヒンジ部２を支点として開閉することができる。また、ケース部材１ｄは、ケース部材１ｃに、例えば、ネジなどで螺合されている。
【００７９】
さらに、ケース部材１ｃとケース部材１ｄとの間に挟持されように、制御部１６と電気的に接続された接続端子４が配設され、この接続端子４によって、記憶媒体処理装置１と外部との情報の入出力が電気的に行われる。
【００８０】
まず、記憶媒体処理装置１におけるＩＣコイン４１を取り扱う部分について説明する。
ここで、図３に、ケース部材１ｂとケース部材１ｃとを開いた状態におけるＡ−Ａ方向からのケース部材１ｃの側面図、図４に、その状態におけるＢ−Ｂ方向からのケース部材１ｂの側面図を示す。また、図５にロータ１３付近の構成の斜視図、さらに、図６に、側壁蓋部１ａを外した状態のＣ−Ｃ方向からのケース部材１ｂの側面図を示す。
【００８１】
図３に示すように、ケース部材１ｃの上部には、ＩＣコイン投入路５およびＩＣコイン貯留路６の一部を構成する開口部がそれぞれ形成されている。また、ケース部材１ｃの一方の側面（図１の正面）には、ＩＣコイン返却口７よりＩＣコイン４１を排出するためのＩＣコイン排出路１０が形成されている。ＩＣコイン投入路５、ＩＣコイン貯留路６およびＩＣコイン排出路１０は、それぞれが連通するように形成されている。
【００８２】
また、ケース部材１ｃの一方の側面には、後述するＩＣコイン用リーダライタ１１が取り外し可能に挿入されるＩＣコイン用リーダライタ挿入口８が形成されている。このＩＣコイン用リーダライタ挿入口８に挿入されたＩＣコイン用リーダライタ１１によって、ケース部材１ｃの壁部を介して、ＩＣコイン４１と情報の送信を行う。
【００８３】
ケース部材１ｃの内部には、ステッピングモータ９が設置され、その回転軸９ａが、ケース部材１ｂに対向するケース部材１ｃの側面を貫通して外方に突出している。回転軸９ａの先端部には、歯車９ｂが取り付けられている。また、歯車９ｂと歯合するように歯車９ｃが回転軸９ｄと共に設置されている。ここで、歯車９ｃは、後述するロータ１３と歯合するように設置されている。
【００８４】
また、ケース部材１ｂに対向するケース部材１ｃの側面には、光学センサ１２ａ、１２ｂ、１２ｃ、１２ｄ、１２ｅが設けられている。これらの光学センサ１２ａ、１２ｂ、１２ｃ、１２ｄ、１２ｅによって、ＩＣコイン４１の有無および位置が検知される。ここで、光学センサは、ケース部材１ｃの側面に設ける以外にも、ケース部材１ｃの側面には光通過孔を設け、その光通過孔を出射光が通過するように、制御部１６またはＩＣコイン用リーダライタ１１に光学センサを設けてもよい。
【００８５】
図４および５に示すように、ケース部材１ｃに対向するケース部材１ｂの側面には、ロータ１３の回転軸１３ａがケース部材１ｂの側面に対して垂直に設置され、その回転軸１３ａにロータ１３が回転可能に支持されている。
【００８６】
ロータ１３は、一端が閉鎖された環状の筒で、その一部にＩＣコイン４１を保持するＵ字状の凹部１３ｂが形成された筒体１３ｃと、筒体１３ｃの閉鎖された底面外壁に固着された円板１３ｄとで主に構成される。円板１３ｄの周縁には、前述したステッピングモータ９によって駆動される歯車９ｃと歯合する歯１３ｅが形成されている。なお、凹部１３ｂには、ロータ１３が回転する際、ケース部材１ｂの側面に対して垂直に突出して設置されたガイドピン１４が通過するための切り欠き部１３ｆが設けられている。
【００８７】
Ｕ字状の凹部１３ｂに面する円板１３ｄには、光学センサ１２ｃ、１２ｄ、１２ｅにおける出射光を通過させるための光通過孔１３ｇが設けられている。なお、光通過孔１３ｇと連通して筒体１３ｃの底部にも貫通孔が設けられている。また、ケース部材１ｃに対向するケース部材１ｂの側面は、光学センサ１２ａ、１２ｂ、１２ｃ、１２ｄ、１２ｅが設けられている。これらの光学センサ１２ａ、１２ｂ、１２ｃ、１２ｄ、１２ｅは、ケース部材１ｃの側面に設けられた光学センサ１２ａ、１２ｂ、１２ｃ、１２ｄ、１２ｅと対向するように配置され、それそれが対になってセンサとしての機能を発揮し、ＩＣコイン４１の有無および位置を検知する。ここで、２つの対になるセンサの一方は発光部、他方は受光部で構成されている。
【００８８】
図１および図６に示すように、ケース部材１ｂの側壁蓋部１ａ側の上部には、ＩＣコイン回収路１５の一部を構成する開口部が形成されている。また、ケース部材１ｂの側壁蓋部１ａ側の側面には、ＩＣコイン回収路１５が形成されている。ＩＣコイン回収路１５は、ＩＣコイン貯留路６から供給された許容貯留を超えた分のＩＣコイン４１を下方に位置するＩＣコイン回収部（図示しない）に導く搬送路である。
【００８９】
次に、記憶媒体処理装置１におけるＩＣカード４０を取り扱う部分について説明する。
ここで、図７に、ケース部材１ｄとケース部材１ｅとを開いた状態におけるＤ−Ｄ方向からのケース部材１ｄの側面図、図８に、その状態におけるＥ−Ｅ方向からのケース部材１ｅの側面図を示す。
【００９０】
図１に示すように、ケース部材１ｅの一方の側面（図１では正面）には、ＩＣカード４０を挿入するＩＣカード挿入口１８および後述するＩＣカード用リーダライタ１９を取り外し可能に挿入するＩＣカード用リーダライタ挿入口２０が形成されている。このＩＣカード用リーダライタ挿入口２０に挿入されたＩＣカード用リーダライタ１９によって、ケース部材１ｅの壁部を介して、ＩＣカード４０と情報の送信を行う。
【００９１】
搬送ベルト２１は、ケース部材１ｅと対向するケース部材１ｄの側面の開口部設けられた２つの搬送ベルト回転軸２１ａに支持されている。また、一方の搬送ベルト回転軸２１ａには、歯車２１ｂが設けられている。ケース部材１ｄの内部には、ステッピングモータ２２が設置され、その回転軸２２ａの先端部には、歯車２２ｂが取り付けられている。ステッピングモータ２２の回転動力は、歯車２２ｂおよび歯車２２ｂに歯合して設置された歯車２２ｃを介して歯車２１ｂに伝達され、搬送ベルト２１を回転する。ＩＣカード４０は、搬送ベルト２１とＩＣカード４０との間に働く摩擦力によって、搬送路２３を移動される。
【００９２】
また、ケース部材１ｅに対向するケース部材１ｄの側面には、光学センサ２４ａ、２４ｂが設けられている。これらの光学センサ２４ａ、２４ｂによって、ＩＣカード４０の有無および位置が検知される。ここで、光学センサは、ケース部材１ｄの側面に設ける以外にも、ケース部材１ｄの側面には光通過孔を設け、その光通過孔を出射光が通過するように、制御部１６またはＩＣカード用リーダライタ１９に光学センサが設けられてもよい。
【００９３】
図８に示すように、ケース部材１ｄに対向するケース部材１ｅの側面には、光学センサ２４ａ、２４ｂが設けられている。また、これらの光学センサ２４ａ、２４ｂは、ケース部材１ｄの側面に設けられた光学センサ２４ａ、２４ｂと対向するように配置され、それそれが対になってセンサとしての機能を発揮し、ＩＣカード４０の有無および位置を検知する。ここで、２つの対になるセンサの一方は発光部、他方は受光部で構成されている。
【００９４】
次に、記憶媒体処理装置１の動作について説明する。
そこで、まず、図９乃至１４を参照して、ＩＣコイン４１がＩＣコイン投入口１７から投入されてから、ＩＣコイン４１を貯留または返却する一連の記憶媒体処理装置１の動作について説明する。
【００９５】
ここで、図９は、ＩＣコイン投入路５にＩＣコイン投入口１７を設け、ＩＣコイン貯留路６とＩＣコイン回収路１５とを連通させた記憶媒体処理装置１の構成の一例を示す。また、図９乃至１４は、ケース部材１ｂに対向するケース部材１ｃの側面図を示したもので、説明の便宜上、ロータ１３も記載している。
【００９６】
ロータ１３は、通常、図１０に示すように、Ｕ字状の凹部１３ｂがＩＣコイン排出路１０に連通された状態で停止している。なお、このロータ１３の初期位置は、ＩＣコイン排出路１０に連通された状態に限るものではなく、凹部１３ｂがＩＣコイン投入路５およびＩＣコイン貯留路６に連通されず、ロータ１３がＩＣコイン投入路５およびＩＣコイン貯留路６を閉塞する位置であればよい。
【００９７】
ＩＣコイン投入口１７からＩＣコイン４１が投入されると、ＩＣコイン４１はＩＣコイン投入路５を通ってロータ１３の側壁に当たって停止する（図１０）。なお、ＩＣコイン投入口１７から投入されるコイン型記憶媒体は、通常一枚であり、この１枚を光学センサ１２ｂにて検知した場合、ＩＣコイン投入口１７をソレノイド等で封鎖し２枚目の投入を防止するようにしてもよいが、複数のＩＣコイン４１が投入されてもＩＣコイン排出路１０より２枚とも返却できるので支障はない。
【００９８】
投入されたＩＣコイン４１は、光学センサ１２ｂによって検知され、光学センサ１２ｂからの検知信号が制御部１６に出力される。光学センサ１２ｂからの検知信号が制御部１６に出力されると、制御部１６は、図１１に示すように、ステッピングモータ９を回転駆動（図１１では左回転）させて、ロータ１３の凹部１３ｂをＩＣコイン投入路５に連通させる。凹部１３ｂがＩＣコイン投入路５に連通すると、ＩＣコイン４１は、凹部１３ｂに入り込んで保持される。ＩＣコイン４１が凹部１３ｂに入り込んことは、光学センサ１２ｃによって検知され、光学センサ１２ｃからの検知信号が制御部１６に出力される。
【００９９】
制御部１６は、光学センサ１２ｃからの検知信号が入力されると、図１２に示すように、ロータ１３を右回転させて、ＩＣコイン４１をＩＣコイン用リーダライタ挿入口８に挿入されたＩＣコイン用リーダライタ１１と情報のやり取りを行える位置に移動する。ここで、光学センサ１２ｄは、ＩＣコイン４１がＩＣコイン用リーダライタ１１と交信可能な位置にあることを検知する。そして、ＩＣコイン用リーダライタ１１は、ＩＣコイン４１からＩＤやＩＤに基づく有価価値特定情報などの情報を読み取り、制御部１６に出力する。また、ＩＣコイン用リーダライタ１１によって、制御部１６からの情報などをＩＣコイン４１に書き込むこともできる。
【０１００】
次に、制御部１６からの情報に基づいて、ＩＣコイン４１をＩＣコイン貯留路６に貯留する場合には、図１３に示されるように、ロータ１３を左回転させ、凹部１３ｂをＩＣコイン貯留路６に連通させる。凹部１３ｂをＩＣコイン貯留路６に連通させるためのロータ１３の回転動作によって、ＩＣコイン４１は、ガイドピン１４に案内されて、ＩＣコイン貯留路６へ押し上げられる。図１３の状態からさらにロータ１３を左回転させ続けることで、ＩＣコイン４１は、ＩＣコイン貯留路６に完全に収容される。その後、ロータ１３は、さらに左回りに回転されて、凹部１３ｂがＩＣコイン排出路１０に連通される状態に戻る。
【０１０１】
一方、制御部１６からの情報に基づいて、ＩＣコイン用リーダライタ１１と情報のやり取りを行える位置に移動されたＩＣコイン４１を装置の外部に排出する場合には、図１２に示した状態からロータ１３を右回転させ、凹部１３ｂをＩＣコイン排出路１０に連通させる（図１４）。凹部１３ｂがＩＣコイン排出路１０に連通されると、ＩＣコイン４１はＩＣコイン排出路１０を通って、ＩＣコイン返却口７から返却される。ＩＣコイン４１が凹部１３ｂからＩＣコイン排出路１０に排出されたことは、光学センサ１２ｅによって検知され、光学センサ１２ｅからの検知信号が制御部１６に出力される。
【０１０２】
次に、図１５乃至１８を参照して、ＩＣコイン４１を発行する一連の記憶媒体処理装置１の動作について説明する。
操作が行われる前のロータ１３は、図１５に示すように、凹部１３ｂがＩＣコイン排出路１０に連通された状態（初期状態）で停止している。まず、制御部１６は、光学センサ１２ａからの情報に基づいて、ＩＣコイン貯留路６にＩＣコイン４１が貯留されているか否かを判定する。この判定で、ＩＣコイン４１がＩＣコイン貯留路６に貯留されていないことが判定された場合には、制御部１６は、例えば、表示モニタ、管理装置などにＩＣコイン４１が貯留されていないことに対応する情報を出力する。
【０１０３】
一方、ＩＣコイン４１がＩＣコイン貯留路６に貯留されていることが判定された場合には、記憶媒体処理装置１は、次の動作を行う。
【０１０４】
制御部１６は、ＩＣコイン貯留路６に貯留されているＩＣコイン４１の発行を行うべく、ロータ１３を右回転させ、凹部１３ｂをＩＣコイン貯留路６に連通させる（図１６）。ここで、ロータ１３を左回転させないのは、ＩＣコインの発行動作の途中で、例えば、ＩＣコイン投入口１７からＩＣコイン４１が投入されても、それを受け入れないためである。
【０１０５】
図１６に示すように、凹部１３ｂがＩＣコイン貯留路６に連通されると、ＩＣコイン貯留路６に貯留されたＩＣコイン４１が、凹部１３ｂに落下し、最下端に貯留されたＩＣコイン４１が凹部１３ｂに収納される。ＩＣコイン４１が凹部１３ｂに収納されたことは、光学センサ１２ａ、１２ｃによって検知され、光学センサ１２ａ、１２ｃからの検知信号が制御部１６に出力される。
【０１０６】
続いて、制御部１６は、更にロータ１３を右回転させて、凹部１３ｂに収納されたＩＣコイン４１を、ＩＣコイン用リーダライタ１１と情報のやり取りを行える位置まで移動させる（図１７）。ここで、光学センサ１２ｄは、ＩＣコイン４１がＩＣコイン用リーダライタ１１と交信可能な位置にあることを検知する。  そして、ＩＣコイン用リーダライタ１１によって、制御部１６からの情報に基づいて、情報が書き込まれる。
【０１０７】
情報が書き込まれた後、ロータ１３は、更に右回転され、凹部１３ｂがＩＣコイン排出路１０に連通されると、ＩＣコイン４１はＩＣコイン排出路１０を通って、ＩＣコイン返却口７から返却される（図１８）。ＩＣコイン４１が凹部１３ｂからＩＣコイン排出路１０に排出されたことは、光学センサ１２ｅによって検知され、光学センサ１２ｅからの検知信号が制御部１６に出力される。
【０１０８】
なお、図１２の状態で、ＩＣコイン投入口１７から情報の読み取り、書き込み、読み取りおよび書き込みがの不可能なＩＣコイン４１、または、使用できない他種のＩＣコイン４１などの不良ＩＣコインが投入されたことをＩＣコイン用リーダライタ１１が検知した場合には、ロータ１３を右回転し、凹部１３ｂをＩＣコイン排出路１０に連通して、その不良ＩＣコインをＩＣコイン返却口７から返却する。
【０１０９】
次に、図１９乃至２１を参照して、ＩＣカード４０がＩＣカード挿入口１８から挿入されてから、ＩＣカード４０を返却する一連の記憶媒体処理装置１の動作について説明する。
【０１１０】
ここで、図１９乃至２１は、ＩＣカード挿入口１８から挿入されたＩＣカード４０の動作を、搬送ベルト２１が設けられたケース部材１ｄの側面図上に示したものである。
【０１１１】
光学センサ２４ａが、ＩＣカード挿入口１８からＩＣカード４０が挿入されたことを検知すると、その検知信号を制御部１６に出力する。制御部１６は、その検知信号に基づいて、ステッピングモータ２２を駆動し、搬送ベルト２１を作動させる（図１９）。
【０１１２】
ＩＣカード４０は、搬送ベルト２１によって、ＩＣカード用リーダライタ１９と情報のやり取りを行える位置まで移動される。そして、光学センサ２４ａ、２４ｂによって、その位置にＩＣカード４０が搬送されたことが検知されると、光学センサ２４ａ、２４ｂは、その検知信号を制御部１６に出力する。制御部１６は、その検知信号に基づいて、ステッピングモータ２２の駆動を停止し、搬送ベルト２１の動作を停止させる（図２０）。
【０１１３】
そして、ＩＣカード用リーダライタ１９は、ＩＣカード４０からＩＤやＩＤに基づく有価価値特定情報などの情報を読み取り、制御部１６に出力する。また、ＩＣカード用リーダライタ１９によって、制御部１６からの情報などをＩＣカード４０に書き込むこともできる。
【０１１４】
続いて、ＩＣカード４０を装置の外部に排出する場合には、制御部１６からの情報に基づいて、ステッピングモータ２２がＩＣカード４０を取り込むときの回転とは逆回転し、ＩＣカード４０は、搬送ベルト２１によって、ＩＣカード挿入口１８から返却される（図２１）。
【０１１５】
なお、図２０の状態で、ＩＣカード挿入口１８から情報の読み取り、書き込み、読み取りおよび書き込みがの不可能なＩＣカード４０、または、使用できない他種のＩＣカード４０などの不良ＩＣカードが挿入されたことをＩＣカード用リーダライタ１９が検知した場合には、ステッピングモータ２２がＩＣカード４０を取り込むときの回転とは逆回転し、その不良ＩＣカードは、搬送ベルト２１によって、ＩＣカード挿入口１８から返却される。
【０１１６】
ここで、ＩＣカード挿入口１８からＩＣカード４０が挿入された場合に、ＩＣコイン投入口１７を、例えば、ソレノイドなどを用いてＩＣコイン４１が投入できないようにすることもできる。また、ＩＣコイン投入口１７からＩＣコイン４１が投入された場合に、ＩＣカード挿入口１８を、例えば、ソレノイドなどを用いてＩＣカード４０を挿入できないようにすることもできる。さらに、例えば、先に受け入れられたものがＩＣカード４０で、その後に、ＩＣコイン投入口１７にＩＣコイン４１が受け入れられた場合には、後に受け入れられたＩＣコイン４１を返却するように制御することもできる。
【０１１７】
次に、図２２乃至２５を参照して、ＩＣコイン用リーダライタ１１およびＩＣカード用リーダライタ１９の構成について説明する。
図２２には、ＩＣコイン用リーダライタ１１の斜視図、図２３には、ＩＣカード用リーダライタ１９の斜視図を示す。また、図２４には、ＩＣコイン用リーダライタ１１とＩＣコイン４１、および、ＩＣカード用リーダライタ１９とＩＣカード４０との交信システムの概要を示す。
【０１１８】
ＩＣコイン用リーダライタ１１は、ＩＣコイン４１と情報の交信を行うもので、図２２に示すように、コネクタ１１ａを有する薄型の板状の筐体で構成されている。この筐体内には、アンテナ部１１ｂ、ＩＣチップ１１ｃなどが設置されている。コネクタ１１ａは、ＩＣコイン用リーダライタ挿入口８によって開口された挿入路の最端部に設置されたコネクタと接続される。また、最端部に設置されたコネクタは、制御部１６と電気的に接続され、ＩＣコイン用リーダライタ１１と制御部１６との情報のやり取りを可能にしている。なお、ＩＣコイン用リーダライタ挿入口８は、ＩＣコイン用リーダライタ１１挿入後、遊技者などがＩＣコイン用リーダライタ１１を引き抜くことができないように、例えば、蓋などによって螺設され封鎖される。
【０１１９】
一方、ＩＣカード用リーダライタ１９は、ＩＣカード４０と情報の交信を行うもので、図２３に示すように、コネクタ１９ａを有する薄型の筐体で構成されている。この筐体内には、アンテナ部１９ｂ、ＩＣチップ１９ｃなどが設置されている。コネクタ１９ａは、ＩＣカード用リーダライタ挿入口２０によって開口された挿入路の最端部に設置されたコネクタと接続される。また、最端部に設置されたコネクタは、制御部１６と電気的に接続され、ＩＣカード用リーダライタ１９と制御部１６との情報のやり取りを可能にしている。なお、ＩＣカード用リーダライタ挿入口２０は、ＩＣカード用リーダライタ１９挿入後、遊技者などがＩＣカード用リーダライタ１９を引き抜くことができないように、例えば、蓋などによって螺設され封鎖される。
【０１２０】
次に、ＩＣコイン用リーダライタ１１とＩＣコイン４１、および、ＩＣカード用リーダライタ１９とＩＣカード４０との交信システムについて説明する。
図２４に示すように、この交信システムは、ＩＣコイン用リーダライタ１１またはＩＣカード用リーダライタ１９としての質問器３０と、ＩＣコイン４１またはＩＣカード４０としての応答器４０で構成される。
【０１２１】
質問器３０は、質問器３０の全体制御を行う主制御部３１と、制御部１６との情報の入出力を制御するインターフェース部３２と、応答器４０より受信した情報などを蓄積する読み出しおよび書き込み可能なＲＡＭなどの記憶部３３と、送信情報をパラレル信号からシリアル信号に変換し、かつ応答器４０からの受信信号をシリアル信号からパラレル信号に変換する信号変換部３４と、送信信号を例えばＡＳＫ（Ａｍｐｌｉｔｕｄｅ  Ｓｈｉｆｔ  Ｋｅｙｉｎｇ）方式、ＦＳＫ（Ｆｒｅｑｕｅｎｃｙ  Ｓｈｉｆｔ  Ｋｅｙｉｎｇ）方式などで伝送用の信号に変調する変調部３５と、受信信号を復調する復調部３６と、送信アンテナ３７と、受信アンテナ３８とを備えて構成されている。
【０１２２】
応答器４０は、この応答器４０の全体制御を行う主制御部４１と、情報を蓄積するＥＥＰＲＯＭなどの電源バックアップ不要な記憶部４２と、送信情報をパラレル信号からシリアル信号に変換し、かつ質問器３０からの受信信号をシリアル信号からパラレル信号に変換する信号変換部４３と、送信信号をＡＳＫ方式、ＦＳＫ方式等で伝送用の信号に変調する変調部４４と、受信信号を復調する復調部４５と、送信アンテナ４６と、受信アンテナ４７とを備えて構成される。
【０１２３】
次に、この交信システムの基本的な交信手順について説明する。
質問器３０は、まず応答器４０に対する情報を読み取るための質問信号を発信する。応答器４０は、その質問信号の受信可能な範囲に入ると、これを受信して、記憶部４２に記憶されている情報を応答信号として発信する。この応答信号を質問器３０が受信し、信号処理を行って制御部１６に出力する。ここで、記憶媒体処理装置１内部に、ＩＣカード４０およびＩＣコイン４１のいずれが導入されたかについての判定は、質問器３０からの所定の周波数における発信による応答器４０の対応信号、または、光学センサ１２ｂ、２４ａにおける検知信号などに基づいて行うことができる。
【０１２４】
ここで、ＩＣコイン用リーダライタ１１とＩＣコイン４１とで交信する交信周波数は１２５ｋＨｚに、ＩＣカード用リーダライタ１９とＩＣカード４０とで交信する交信周波数は１３．５６ＭＨｚに設定されている。なお、交信周波数は、ＩＣコイン用リーダライタ１１とＩＣコイン４１との間で交信される周波数と、ＩＣカード用リーダライタ１９とＩＣカード４０との間でで交信される周波数とが異なればよく、上述した交信周波数に限るものではない。
【０１２５】
また、ＩＣコイン用リーダライタ１１およびＩＣカード用リーダライタ１９は、図２５に示すように、ＩＣコイン用リーダライタ１１に取り外し可能にＩＣカード用リーダライタ１９を装着することができる１つの併設用リーダライタ５０で構成することもできる。
【０１２６】
併設用リーダライタ５０は、ＩＣコイン４１と交信するためのアンテナ部５０ｂと、アンテナ部５０ｂと電気的に接続されたＩＣチップ５０ｃと、ＩＣチップ５０ｃと電気的に接続されたコネクタ５０ａで構成されている。また、アンテナ部５０ｂの中には、ＩＣカード用リーダライタ５１を取り外し可能に装着するため凹部で形成されるＩＣカード用リーダライタ装着部５０ｄが設けられている。
【０１２７】
さらに、アンテナ部５０ｂに影響されることなく、ＩＣカード用リーダライタ５１からの信号をコネクタ５０ａに伝えるために、光通信部５０ｅをＩＣカード用リーダライタ装着部５０ｄとコネクタ５０ａに設けている。この光通信部５０ｅを介して、ＩＣカード用リーダライタ５１からの信号がコネクタ５０ａに光通信される。
【０１２８】
なお、ＩＣカード用リーダライタ５１とコネクタ５０ａとの間の通信は、光通信に限るものではなく、アンテナ部５０ｂに影響されることなく、ＩＣカード用リーダライタ５１とコネクタ５０ａとの間の通信が行える構成ならばよい。例えば、併設用リーダライタ５０のＩＣカード用リーダライタ装着部５０ｄにＩＣカード用リーダライタ５１を嵌合する際、併設用リーダライタ５０の回路基板の裏面に、第２のコネクタを設けて同時に嵌合するようにしてもよい。第２のコネクタは交信するアンテナに対し、伝送経路である金属体が垂直方向に存在しているので電磁波特性に悪影響を及ぼさない。また、併設用リーダライタ５０には金属が隣接しても影響の少ない１２５ｋＨｚとし、パチンコ店の場合に最初に導入される貯留再発行が容易な非会員向けコイン形状ＩＣタグに適用することが望ましい。この１２５ｋＨｚを選択する限り、上記した光通信部５０ｅや、第２のコネクタは使用しないでコネクタ５０ａからコネクタ５０ａにかけてそのまま電線で接続しても支障なく通信することができる。
【０１２９】
ＩＣカード用リーダライタ５１は、ＩＣカード４０と交信するためのアンテナ部５１ｂと、アンテナ部５１ｂと電気的に接続されたＩＣチップ５１ｃと、ＩＣチップ５１ｃと電気的に接続されたコネクタ５１ａで構成されている。ＩＣカード用リーダライタ５１は、併設用リーダライタ５０のＩＣカード用リーダライタ装着部５０ｄに装着して使用される。
【０１３０】
このように、ＩＣコイン用リーダライタ１１に取り外し可能にＩＣカード用リーダライタ１９を装着することができる１つの併設用リーダライタ５０を設けることによって、始めはＩＣコイン用リーダライタ１１用のリーダライタとして用い、必要に応じて後からＩＣカード用リーダライタ１９を増設することができる。また、このＩＣカード用リーダライタ１９の増設は、簡易に行うことができ、さらに、増設によって、リーダライタのサイズが大きくなることはない。
【０１３１】
なお、併設用リーダライタ５０をＩＣカード用リーダライタとし、それに取り外し可能に設置されるリーダライタをＩＣコイン用リーダライタとすることもできる。
【０１３２】
ここで、併設用リーダライタ５０を取り外し可能に装着する記憶媒体処理装置１の例を図２６および２７に示す。
【０１３３】
図２６に示された記憶媒体処理装置１では、ＩＣカード４０の搬送路と、ＩＣカード４０の搬送路に並設されたＩＣコイン４１の搬送路とにおける情報の交信を行う位置をそれぞれが対向する位置に設定されている。さらに、その交信を行う位置に対向するケース部材１ｅ内に、併設用リーダライタ５０が設置できるように、ケース部材１ｅの一方の側面（図２６の正面）には、併設用リーダライタ５０を挿入する併設用リーダライタ挿入口５２が設けられている。また、図１においてケース部材１ｃとケース部材１ｄとの間に設置されていた制御部１６は、ケース部材１ｅ内に移動されている。
【０１３４】
また、図２７に示された記憶媒体処理装置１では、ＩＣカード４０の搬送路とＩＣコイン４１の搬送路における情報の交信を行う位置をそれぞれが対向する位置に設定し、その間に併設用リーダライタ５０を設置できるように、併設用リーダライタ挿入口５２が設けられている。この場合、ＩＣカード４０またはＩＣコイン４１と、併設用リーダライタ５０との交信を確実に行うために、図１においてケース部材１ｄ内に設けられていたステッピングモータ２２は、ケース部材１ｅ内に、ケース部材１ｄの側面に設けられていた搬送ベルト２１は、ケース部材１ｄの側面と対向するケース部材１ｅの側面に移動されてもよい。また、図１においてケース部材１ｃとケース部材１ｄとの間に設置されていた制御部１６は、ケース部材１ｅ内に移動されている。
【０１３５】
（その他の記憶媒体処理装置の実施の形態）
図２８に、他の実施の形態の記憶媒体処理装置５３の外観の斜視図を示す。
記憶媒体処理装置５３は、例えば、ＩＣチップおよびアンテナを有するＩＣタグが取り付けられた商品と、情報の交信を行うもので、ハンディ形状を有している。また、記憶媒体処理装置５３は、ＩＣタグと交信した情報を、例えば、記憶媒体処理装置５３とは別個に設けられたホストコンピュータ（図示しない）などに送信する。記憶媒体処理装置５３は、ホストコンピュータと無線または有線で情報のやり取りを行う。ホストコンピュータでは、記憶媒体処理装置５３からの情報を管理しており、例えば、商品の在庫管理、取り付けられたＩＣタグ毎の情報などを画面に表示したり、プリントアウトしたりすることができる。
【０１３６】
記憶媒体処理装置５３の記憶媒体処理部本体５４は、入力部５４ａ、表示部５４ｂ、コネクタ部５４ｃ、制御部５４ｄで主に構成されている。また、記憶媒体処理部本体５４のコネクタ部５４ｃには、カセット状のリーダライタ５５が取り外し可能に装着される。
【０１３７】
入力部５４ａは、複数の操作ボタンなどで構成され、例えば、商品に取り付けられたＩＣタグの読み込みや書き込みの指示、商品の登録、数値入力、入力された情報の取り消しなどを行うものである。入力部５４ａで入力された情報は、制御部５４ｄに出力される。
【０１３８】
表示部５４ｂは、例えば、記憶媒体処理装置５３で読み取った情報の表示、読み取りエラーの表示、商品の登録項目の表示、数値入力値の表示などを行うものである。表示部５４ｂに表示する情報は、制御部５４ｄから出力される。
【０１３９】
コネクタ部５４ｃは、リーダライタ５５を取り外し可能に装着するもので、そのリーダライタ５５が装着される他端は、制御部５４ｄと接続されている。
【０１４０】
制御部５４ｄは、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部５４ｄでは、入力部５４ａ、表示部５４ｂ、コネクタ部５４ｃの各機部間の信号の出入力、および、ホストコンピュータ（図示しない）との間の信号の出入力を制御している。
【０１４１】
リーダライタ５５は、例えば、商品に取り付けられたＩＣタグと交信するもので、リーダライタ５５に設けられたコネクタ部５５ｂが記憶媒体処理装置５３のコネクタ部５４ｃに取り外し可能に装着されている。また、リーダライタ５５には、例えば、コネクタ部５５ａの他端に、他のリーダライタ５６を取り外し可能に装着するためのコネクタ部５５ｂが設けられている。なお、図２８では、リーダライタ５５のコネクタ部５５ａを有する端部が、記憶媒体処理部本体５４のコネクタ部５４ｃが設けられた端部と継合するように構成されているが、この構成に限るものではなく、コネクタ部５４ｃとコネクタ部５５ａとが安定して装着されていればよい。
【０１４２】
また、図２８では、２つのリーダライタ５５、５６が装着された記憶媒体処理部本体５４を示している。ここでは、リーダライタ５５の交信周波数を１３．５６ＭＨｚ、リーダライタ５６の交信周波数を１２５ｋＨｚとした。なお、記憶媒体処理部本体５４には、さらに他のリーダライタを装着することも可能である。また、交信周波数は、上述した周波数に限るものではなく、それぞれのリーダライタが異なる交信周波数を有するように設定されたものならばよい。
【０１４３】
なお、例えば、商品に取り付けられたＩＣタグに、リーダライタ５５、５６を近づけることで、交信を行うことができる。
【０１４４】
また、記憶媒体処理装置５３は、図２９に示すように、記憶媒体処理部本体５４に、カセット状のリーダライタを挿入するリーダライタ挿入口５７を構成することもできる。この場合、リーダライタ５８は、板状の筐体で構成され、その筐体の端部に設けられたコネクタ部と、リーダライタ挿入口５７の端部に設けられたコネクタ部とが装着するようになっている。
【０１４５】
（記憶媒体処理システム６０）
以下、本発明に係る記憶媒体処理システム６０の一実施の形態を図３０を参照して説明する。なお、この記憶媒体処理システム６０を構成する台間機６２、６３、６５、発券機６８および精算機７１には、上述した記憶媒体処理装置１が装備されている。
【０１４６】
この一実施の形態の記憶媒体処理システム６０では、複数のパチンコ機６１および複数のパチンコ機６１のそれぞれに接続された台間機６２、６３、複数のスロットマシン機６４およびスロットマシン機６４間に接続された台間機６５が島コンピュータ６６を介してネットワーク６７に接続されている。また、ネットワーク６７には、発券機６８、再プレー受付機６９、計数機７０、精算機７１、景品管理機（ＰＯＳ）７２、データ表示機７３、データ公開機７４なども接続されている。
【０１４７】
これらの機器からの情報は、ネットワーク６７を介して管理装置７５に出力され、さらに、プロトコルコンバータ７６、モデム７７を介してカードセンタ７８に送信される。また、管理装置７５は、例えば、パーソナルコンピュータ７９などとも接続されている。また、管理装置７５からの情報は、ネットワーク６７を介して各機器に出力される。
【０１４８】
以下に、本発明の一実施の形態の記憶媒体処理システム６０を構成する記憶媒体や各機器のそれぞれについて説明する。
【０１４９】
図２に示されたＩＣカード４０またはＩＣコイン４１を用いた管理システムにおいては、それぞれについて、次に示した管理システムの内のいずれか１つを採用することができる。なお、ここでは、会員の遊技者がＩＣカード４０を、非会員の遊技者がＩＣコイン４１を使用するものとする。
【０１５０】
ＩＣカード４０は、（１）ＩＤだけの記録情報を有し、その他の情報は管理装置７５において管理されるシステム、または、（２）ＩＤ以外に度数などの有価情報などの情報を有し、さらに、その情報は管理装置７５においても管理されるシステムを採用することができる。
【０１５１】
ここで、ＩＣカード４０を用いた場合の情報とは、ＩＤ、度数、貸玉、アウト（発射玉）、セーフ（遊技機への供給玉、つまり遊技の上皿への供給玉：遊技者の獲得玉）、勝敗（セーフからアウトを減じたもの）、入金、追加入金、貸玉数、貯玉数、再プレー用貯玉数、再プレー手数料、ポイント、遊技台種別などの情報、これらの情報を履歴情報、日毎情報、週毎情報とした情報、住所、氏名、年齢、性別、好きな台、連絡先、暗証番号などの会員情報などをいう。また、これらに限るものではなく、遊技管理を行う上で必要な情報であれば管理することができる。さらに、これらの情報は、ＩＣカード４０を用いた場合の会員として処理される情報である。
【０１５２】
また、上記ポイントには、来店ポイント（台間機６２、６３、６５に会員が用いるＩＣカードを差し込むと付与されるポイント）、貸玉ポイント（貸し玉数に応じて付与されるポイント）、勝敗ポイント（アウト数からセーフ数の差に応じて、負けた客に付与されるポイント）、稼動ポイント（アウト数に応じて付与されるポイント）などがある。また、ＩＣカード４０を用いた場合の管理装置７５によって管理される情報は、これらに限るものではなく、遊技管理を行う上で必要な情報であれば管理することができる。
【０１５３】
ＩＣコイン４１は、（３）ＩＤだけの記録情報を有し、その他の情報は管理装置７５において管理されるシステム、（４）度数などの有価情報などの情報を有し、管理装置７５においてはその情報を管理しないシステム、（５）ＩＤ以外に度数などの有価情報などの情報を有し、さらに、その情報は管理装置７５においても管理されるシステムを採用することができる。（４）は、管理装置７５において情報の管理をする必要があるＩＣカード４０には採用されない。
【０１５４】
ここで、ＩＣコイン４１を用いた場合の情報とは、度数、貸玉、入金、追加入金、貸玉数などの情報、これらの情報を所定の期間に限って管理する情報などをいう。これらの情報は、ＩＣコイン４１を用いた場合の非会員として処理される情報である。また、これらの情報には、アウト（発射玉）、セーフ（遊技機への供給玉、つまり遊技の上皿への供給玉：遊技者の獲得玉）、勝敗（セーフからアウトを減じたもの）、貯玉数、再プレー用貯玉数、再プレー手数料、ポイント、遊技台種別などが含まれない点でＩＣカード４０を用いた場合の会員として処理される情報と異なる。また、ＩＣコイン４１を用いた場合の管理装置７５によって管理されている情報は、これらに限るものではなく、遊技管理を行う上で必要な情報であれば管理することができる。
【０１５５】
（発券機６８）
図３１は、発券機６８の外観を示す側面図、図３２は、発券機６８に搭載された記憶媒体処理装置におけるＩＣコイン４１の搬送部の側面図を示す。また、図３３は、発券機６８の構成部を示す図、図３４は、発券機６８における動作の流れを示す図である。
【０１５６】
まず、図３１を参照して、発券機６８の構成について説明する。
図３１には、発券機６８を側面から見た図が示されており、ＩＣカード挿入口６８ａ、ＩＣコイン発券口６８ｂ、紙幣挿入口６８ｃ、購入度数ボタン６８ｄで主に構成されている。
【０１５７】
発券機６８は、ＩＣカード４０がＩＣカード挿入口６８ａより挿入された場合には、紙幣挿入口６８ｃから挿入された紙幣額に対して購入度数ボタン６８ｄで選択された金額に対応する度数を、ＩＣカード４０に更新する。また、ＩＣカード挿入口６８ａより挿入された場合には、その金額に対応する度数が記録されたＩＣコイン４１をＩＣコイン発券口６８ｂから発行する。
【０１５８】
ここで、度数とは、入金された金額を度数化したもので、例えば、１万円を度数化すると１００度数となる。また、発券機６８では、ＩＣカード４０を利用する場合に、来店ポイントが付与される。付与された来店ポイントは、管理装置７５において、ＩＣカード４０のＩＤに基づいて管理されているポイント数に加算される。
【０１５９】
次に、図３２を参照して、発券機６８に搭載された記憶媒体処理装置におけるＩＣコイン４１の搬送部について、前述した記憶媒体処理装置１のＩＣコイン４１の搬送部と異なる部分を説明する。なお、ＩＣカード４０の搬送部の構成は、前述した記憶媒体処理装置１と同じである。
【０１６０】
ＩＣコイン投入路５は、ＩＣコイン４１を貯留するＩＣコイン貯留庫（図示しない）と連通し、ＩＣコイン投入路５には、ＩＣコイン貯留庫（図示しない）から常時ＩＣコイン４１が供給されている。そして、ＩＣコイン用リーダライタ１１によって、ＩＤや有価価値特定情報などが書き込まれたＩＣコイン４１は、ＩＣコイン発券口６８ｂから排出される。一方、ＩＣコイン貯留路６は、ＩＣコイン投入路５から供給されたＩＣコイン４１が、情報の読み取り、書き込み、読み取りおよび書き込みがの不可能な不良のＩＣコイン４１であった場合に、その不良のＩＣコイン４１は、ＩＣコイン貯留路６に導かれ、さらにＩＣコイン貯留路６から回収部（図示しない）に導かれる。
【０１６１】
図３３に示すように、発券機６８は、制御部１００、ＩＣカード処理部１０１、ＩＣコイン発行部１０２、選択ボタン検知部１０３、貨幣識別部１０４、位置検知部１０５から構成されている。
【０１６２】
制御部１００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部１００では、ＩＣカード処理部１０１、ＩＣコイン発行部１０２、選択ボタン検知部１０３、貨幣識別部１０４の各機部間の信号の出入力、および、ネットワーク６７を介して管理装置７５との間の信号の出入力を制御している。
【０１６３】
ＩＣカード処理部１０１は、ＩＣカード挿入口６８ａから挿入されたＩＣカード４０に記憶された、例えば、ＩＤやそのＩＤで管理されている有価情報などの読み取り、その読み取った情報の制御部１００への出力、制御部１００からの更新された有価情報などのＩＣカード４０への書き込みなどを行うもので、ＩＣカード用リーダライタ１９などで構成される。
【０１６４】
ＩＣコイン発行部１０２は、紙幣挿入口６８ｃから挿入された紙幣額に対して購入度数ボタン６８ｄで選択された金額に対応する度数をＩＣコイン４１に記録し、さらにＩＤを付与して発行を行うもので、ＩＣコイン用リーダライタ１１などで構成される。
【０１６５】
選択ボタン検知部１０３は、購入度数ボタン６８ｄ、取消／釣りボタン６８ｅが押されたことを検知し、その押された信号に基づいて、制御部１００に信号を出力するものである。
【０１６６】
貨幣識別部１０４は、紙幣挿入口６８ｃから挿入される４種類の紙幣を識別し、識別した紙幣の情報を制御部１００に出力するものである。また、制御部１００からの情報に基づいて、紙幣返却口６８ｆから紙幣を返却する。
【０１６７】
位置検知部１０５は、記憶媒体処理装置１内にＩＣカード４０またはＩＣコイン４１が存在するか否かの検知やＩＣカード４０またはＩＣコイン４１の記憶媒体処理装置１内での位置の検知し、その情報を制御部１００に出力するものである。位置検知部１０５は、光学センサ１２ａ、１２ｂ、１２ｃ、１２ｄ、１２ｅ、２４ａ、２４ｂなどで構成される。
【０１６８】
そして、制御部１００によって制御される、ＩＣカード処理部１０１、ＩＣコイン発行部１０２、選択ボタン検知部１０３、貨幣識別部１０４、位置検知部１０５の各機器部は、次のように動作する（図３４）。
【０１６９】
以下に、図３４を参照してその動作を説明する。
位置検知部１０５は、ＩＣカード挿入口１８よりＩＣカード４０が挿入されたか否かを判定する（ステップＳ１１０）。ステップＳ１１０の判定でＮｏの場合には、ステップＳ１１５の判定を行う。
【０１７０】
ステップＳ１１０の判定でＹｅｓの場合には、位置検知部１０５（光学センサ２４ａ）は、その検知情報を制御部１００に出力する（ステップＳ１１１）。そして、制御部１００は、ステッピングモータ２２を駆動させる信号をステッピングモータ２２に出力し、搬送ベルト２１を回転させ、ＩＣカード４０をＩＣカード用リーダライタ１９と交信できる位置まで移動させる（ステップＳ１１１）。位置検知部１０５（光学センサ２４ａ、２４ｂ）によって、ＩＣカード４０がＩＣカード用リーダライタ１９と交信する所定の位置に移動されたことが検知されると、位置検知部１０５（光学センサ２４ａ、２４ｂ）は、その情報を制御部１００に出力する。制御部１００は、その情報に基づいて、ステッピングモータ２２に駆動を停止する信号を出力する（ステップＳ１１１）。なお、ステップＳ１１１におけるＩＣカード４０の搬送の際、搬送不良を生じた場合には、位置検知部１０５（光学センサ２４ａ、２４ｂ）からの情報に基づいて、制御部１００は、その情報を、例えば、表示部６８ｇに出力し、表示部６８ｇは、「搬送不良」などの表示する（ステップＳ１１１）。
【０１７１】
続いて、ＩＣカード処理部１０１は、ＩＣカード４０に書き込まれているＩＤなどの情報を読み取ることができるか否かを判定する（ステップＳ１１２）。
【０１７２】
ステップＳ１１２の判定で、Ｎｏの場合には、ＩＣカード処理部１０１は、その情報を制御部１００に出力する（ステップＳ１１３）。そして、制御部１００は、その情報に基づいて、ステッピングモータ２２を、ＩＣカード４０を返却する方向に駆動させる信号をステッピングモータ２２に出力し、ＩＣカード４０は、ステッピングモータ２２によって回転される搬送ベルト２１によってＩＣカード挿入口１８より返却される（ステップＳ１１３）。
【０１７３】
ステップＳ１１２の判定で、Ｙｅｓの場合には、ＩＣカード処理部１０１は、ＩＣカード４０からＩＤを読み取り、その読み取ったＩＤの情報を制御部１００に出力する（ステップＳ１１４）。
【０１７４】
続いて、貨幣識別部１０４は、紙幣が入金された否かを判定する（ステップＳ１１５）。ステップＳ１１５の判定でＮｏの場合には、制御部１００は待機状態となり、例えば、この状態で取消／釣りボタン６８ｅが押されたことがステップＳ１３０で判定されると、入金された紙幣は紙幣返却口６８ｆから返却される（ステップＳ１３１）。
【０１７５】
ステップＳ１１５の判定でＹｅｓの場合には、貨幣識別部１０４は、入金された紙幣の識別を行い、その識別情報を制御部１００に出力する（ステップＳ１１６）。また、貨幣識別部１０４で識別された紙幣は、発券機６８内の紙幣回収部（図示しない）に回収される（ステップＳ１１６）。
【０１７６】
購入度数ボタン６８ｄで希望のボタンが押されたが否かを選択ボタン検知部１０３が判定する（ステップＳ１１７）。ステップＳ１１７の判定で、ＯＦＦのままの場合には、制御部１００は待機状態となり、例えば、この状態で取消／釣りボタン６８ｅが押されたことがステップＳ１３０で判定されると、入金された紙幣は紙幣返却口６８ｆから返却される（ステップＳ１３１）。
【０１７７】
ステップＳ１１７の判定で、希望の金額の購入度数ボタン６８ｄが押されたことが選択ボタン検知部１０３で判定された場合には、例えば、購入度数ボタン６８ｄが連続して押されていても同じ動作を繰り返さないようにするために、購入度数ボタン６８ｄのＯＮ履歴がクリアされる（ステップＳ１１８）。そして、選択された購入度数ボタン６８ｄの情報は、制御部１００に出力される。
【０１７８】
次に、制御部１００は、貨幣識別部１０４で識別された紙幣の金額と選択ボタン検知部１０３から出力された選択された購入度数ボタン６８ｄの金額の情報に基づいて、比較判定を行う（ステップＳ１１９）。
【０１７９】
ステップＳ１１９の判定で、識別された紙幣の金額が購入度数ボタン２０ｃの金額より小さい場合（Ｎｏの場合）には、制御部１００は待機状態となり、例えば、この状態で取消／釣りボタン６８ｅが押されたことがステップＳ１３０で判定されると、入金された紙幣は紙幣返却口６８ｆから返却される（ステップＳ１３１）。
【０１８０】
一方、ステップＳ１１９の判定で、識別された紙幣の金額が購入度数ボタン６８ｄの金額以上の場合（Ｙｅｓの場合）には、ＩＣカード処理部１０１は、ＩＣカード４０が挿入されているか否かを判定する（ステップＳ１２０）。
【０１８１】
ステップＳ１２０の判定で、Ｙｅｓの場合、制御部１００は、ステップＳ１１４でＩＣカード処理部１０１によって読み取られたＩＤ、貨幣識別部１０４で識別された紙幣の金額、選択された購入度数ボタン６８ｄの金額をネットワーク６７を介して管理装置７５に送信する（ステップＳ１２１）。また、ＩＣカード４０を利用の場合に付与される来店ポイントが付与され、付与された来店ポイントは、管理装置７５において、ＩＣカード４０のＩＤに基づいて管理されているポイント数に加算される（ステップＳ１２１）。管理装置７５は、読み取られたＩＤの度数残高に、購入した度数を追加し、その更新された情報をネットワーク６７を介して制御部１００に出力する（ステップＳ１２１）。制御部１００は、その情報をカード処理部１０１に出力し、カード処理部１０１は、その情報を表示部６８ｇに出力し、表示部６８ｇは、例えば、度数残高などを表示する（ステップＳ１２１）。
【０１８２】
そして、制御部１００は、ステッピングモータ２２を、ＩＣカード４０を返却する方向に駆動させる信号をステッピングモータ２２に出力し、ＩＣカード４０は、ステッピングモータ２２によって回転される搬送ベルト２１によってＩＣカード挿入口１８より返却される（ステップＳ１２２）。
【０１８３】
一方、ステップＳ１２０の判定で、Ｎｏの場合、ＩＣカード処理部１０１は、その情報を制御部１００に出力する（ステップＳ１２３）。制御部１００は、ステッピングモータ９を駆動させる信号をステッピングモータ９に出力し、ステッピングモータ９の駆動によってロータ１３を回転させて、ＩＣコイン投入路５からロータ１３の凹部１３ｂにＩＣコイン４１を取り出す（ステップＳ１２３）。さらに、ロータ１３は回転し、ＩＣコイン４１をＩＣコイン用リーダライタ１１と交信できる位置まで移動させる（ステップＳ１２３）。位置検知部１０５（光学センサ１２ｄ）によって、ＩＣコイン４１がＩＣコイン用リーダライタ１１と交信する所定の位置に移動されたことが検知されると、位置検知部１０５（光学センサ１２ｄ）は、その情報を制御部１００に出力する。制御部１００は、その情報に基づいて、ステッピングモータ９に駆動を停止する信号を出力する（ステップＳ１２３）。
【０１８４】
続いて、ＩＣコイン発行部１０２は、ＩＣコイン４１に書き込まれているＩＤなどの情報を読み取ることができるか否かを判定する（ステップＳ１２４）。
【０１８５】
ステップＳ１２４の判定で、Ｎｏの場合には、ＩＣコイン発行部１０２は、その情報を制御部１００に出力する（ステップＳ１２８）。そして、制御部１００は、その情報に基づいて、ステッピングモータ９を駆動させる信号をステッピングモータ９に出力し、ロータ１３を回転させる。そして、ＩＣコイン４１は、ロータ１３の凹部１３ｂからＩＣコイン貯留路６に移動され、回収部（図示しない）に導かれる（ステップＳ１２８）。
【０１８６】
ステップＳ１２４の判定で、Ｙｅｓの場合には、ＩＣコイン発行部１０２は、ＩＣコイン４１にＩＤを付与し、その情報を制御部１００に出力する（ステップＳ１２５）。
【０１８７】
制御部１００は、そのＩＤ情報、貨幣識別部１０４で識別された紙幣の金額、選択された購入度数ボタン６８ｄの金額をネットワーク６７を介して管理装置７５に送信する（ステップＳ１２６）。
【０１８８】
また、ＩＣコイン発行部１０２は、付与されたＩＤをＩＣコイン４１に書き込み、そのＩＣコイン４１をＩＣコイン発券口６８ｂから発行する（ステップＳ１２７）。
【０１８９】
ここで、制御部１００において、貨幣識別部１０４で識別された紙幣の金額から選択された購入度数ボタン６８ｄの金額を減じ、残金額に対応する情報を表示部６８ｇに出力する（ステップＳ１２９）。そして、制御部１００から出力された残金額に対応する情報に基づいて、表示部６８ｇでは、その残金額を表示する（ステップＳ１２９）。
【０１９０】
ここで、ステップＳ１３０において、選択ボタン検知部１０３によって、取消／釣りボタン６８ｅが押されたことが判定（Ｙｅｓの場合）されると、その情報は制御部１００に出力される。制御部１００は、貨幣識別部１０４に残金を返却するための情報を出力する。そして、貨幣識別部１０４は、その情報に基づいて、残金を紙幣返却口６８ｆから返却する（ステップＳ１３１）。一方、ステップＳ１３０の判定がＮｏの場合、制御部１００は待機状態となる。
【０１９１】
なお、ステッピングモータ９、２２は、位置検知部１０５の情報を有しなくても、ＩＣコインまたはＩＣカードを任意の位置に移動することはできる。
【０１９２】
（再プレー受付機６９）
図３５は、再プレー受付機６９の外観を示す側面図、図３６は再プレー受付機６９の構成部を示す図、図３７は再プレー受付機６９における動作の流れを示す図である。
【０１９３】
まず、図３５を参照して、再プレー受付機６９の構成について説明する。
図３５には、再プレー受付機６９を側面から見た図が示されており、ＩＣカード挿入口６９ａ、暗証番号入力用テンキーボード６９ｂ、端玉／端メダル返却ボタン６９ｃ、カード返却ボタン６９ｄ、再プレー受付ボタン６９ｅ、端玉／端メダル受取口６９ｆ、表示部６９ｇで主に構成されている。
【０１９４】
再プレー受付機６９は、ＩＣカード４０に記憶されたＩＤと共に、管理装置７５の再プレーＦＬＧ、貯玉数および再プレー用貯玉数の情報を書き換えるための要求信号を、ネットワーク６７を介して管理装置７５に送信し、再プレーを行える状態にするものである。
【０１９５】
再プレーＦＬＧは、管理装置７５に書き込まれている情報で、再プレーを可能にしたり、不可能にしたりするものであり、例えば、１が書き込まれていれば再プレー可能、０が書き込まれていれば再プレー不可能になる。ここで、再プレーとは、計数機７０において計数され貯玉された貯玉数のうち所定の金額（例えば１万円）に相当する玉数を再プレー用貯玉数とし、その再プレー用貯玉数分の貸玉の貸し出しによって、遊技をすることをいう。また、再プレー受付機６９では、ＩＣカード４０の利用によって付与されるポイントを、例えば、再プレー用貯玉数に還元することもできる。
【０１９６】
図３６に示すように、再プレー受付機６９は、制御部１５０、ＩＣカード処理部１５１、端玉返却部１５２、選択ボタン検知部１５３から構成されている。
【０１９７】
制御部１５０は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部１５０では、ＩＣカード処理部１５１、端玉返却部１５２、選択ボタン検知部１５３の各機部間の信号の出入力、および、ネットワーク６７を介して管理装置７５との間の信号の出入力を制御している。
【０１９８】
ＩＣカード処理部１５１は、ＩＣカード挿入口６９ａから挿入されたＩＣカード４０に記憶された、例えば、ＩＤやそのＩＤで管理されている有価情報などの読み取り、その読み取った情報の制御部１５０への出力、制御部１５０からの更新された有価情報などのＩＣカード４０への書き込みなどを行うもので、例えば、リーダライタなどで構成される。
【０１９９】
選択ボタン検知部１５３は、暗証番号入力用テンキーボード６９ｂ、端玉／端メダル返却ボタン６９ｃ、カード返却ボタン６９ｄ、再プレー受付ボタン６９ｅが押されたことを検知し、その押された信号に基づいて、制御部１５０に信号を出力するものである。
【０２００】
そして、制御部１５０によって制御される、ＩＣカード処理部１５１、端玉返却部１５２、選択ボタン検知部１５３の各機器部は、次のように動作する（図３７）。
【０２０１】
以下に、図３７を参照してその動作を説明する。
ＩＣカード処理部１５１は、ＩＣカード４０が挿入されているか否かを判定する（ステップＳ１６０）。ステップＳ１６０の判定で、Ｎｏの場合、制御部１５０は待機状態となる。一方、ステップＳ１６０の判定で、Ｙｅｓの場合、ＩＣカード処理部１５１は、ＩＣカード４０に記憶されたＩＤおよび暗証番号を読み取り、制御部１５０に出力する（ステップＳ１６１）。
【０２０２】
次に、選択ボタン検知部１５３は、暗証番号入力用テンキーボード６９ｂで入力された暗証番号を検知し、その検知信号を制御部１５０に出力する。制御部１５０は、ＩＣカード４０から読み取られた暗証番号と暗証番号入力用テンキーボード６９ｂで入力された暗証番号とを比較判定する（ステップＳ１６３）。
【０２０３】
ステップＳ１６３の判定で、双方の番号が一致しない場合（ＮＧの場合）は、ＩＣカード処理部１５１によって、ＩＣカード４０をＩＣカード挿入口６９ａから返却する（ステップＳ１６４）。
【０２０４】
一方、ステップＳ１６３の判定で、双方の番号が一致した場合（ＯＫの場合）は、ＩＣカード処理部１５１は、読み取ったＩＤを、制御部１５０に出力し、さらに制御部１５０は、そのＩＤをネットワーク６７を介して管理装置７５に送信する（ステップＳ１６５）。そして、管理装置７５は、そのＩＤで管理されている貯玉数などを読み取る（ステップＳ１６５）。
【０２０５】
次に、選択ボタン検知部１５３は、端玉／端メダル返却ボタン６９ｃ、カード返却ボタン６９ｄ、再プレー受付ボタン６９ｅのいずれかのボタンが押されたことを検知し、押されたボタンを判定する（ステップＳ１６６）。
【０２０６】
ステップＳ１６６の判定で、端玉／端メダル返却ボタン６９ｃが押されたことが判定されると、その検知信号は、制御部１５０に出力され、さらに、制御部１５０からネットワーク６７を介して管理装置７５に出力される。そして、管理装置７５から端玉分の返却信号が、制御部１５０を介して端玉返却部１５２に出力され、端玉返却部１５２によって、端玉が端玉／端メダル受取口６９ｆから返却される（ステップＳ１６７）。ここで、端玉／端メダル返却ボタン６９ｃは、貯玉数が少数で、その貯玉を再プレー受付をせずに返却したい場合に押されるもので、それによって、端玉／端メダル受取口６９ｆから返却されるのが端玉である。
【０２０７】
ステップＳ１６６の判定で、カード返却ボタン６９ｄが押されたことが判定されると、ＩＣカード処理部１５１は、ＩＣカード４０をＩＣカード挿入口６９ａから返却する（ステップＳ１６８）。
【０２０８】
ステップＳ１６８の判定で、再プレー受付ボタン６９ｅが押されたことが判定されると、その検知信号は、制御部１５０に出力され、さらに、制御部１５０からネットワーク６７を介して管理装置７５に出力される。そして、管理装置７５において、ステップＳ１６５でＩＤに基づいて読み取られた貯玉数（Ｘ１）が次の式（１）（パチンコの場合）を満たすか否かが判定される（ステップＳ１６９）。
Ｘ１  ≧  ２５００＋２５００×手数料レート  …  式（１）
【０２０９】
ステップＳ１６９の判定で、Ｎｏの場合、再プレー用貯玉数（Ｙ１）が次の式（２）から算出される（ステップＳ１７０）。
Ｙ１  ＝  Ｘ１  −  Ｘ１×（手数料レート）  …  式（２）
ここで、手数料レートは、例えば、０．３７５などであり、この値は任意に変更される。
【０２１０】
そして、管理装置７５において、ＩＤに基づいて再プレー用貯玉数（Ｙ１）が登録され、貯玉数は０と書き換えられる（ステップＳ１７０、ステップＳ１７１）。
【０２１１】
ステップＳ１６９の判定で、Ｙｅｓの場合、管理装置７５において、貯玉数（Ｘ２）は次の式（３）の値に書き換えられ、再プレー用貯玉数が２５００に登録される（ステップＳ１７２、ステップＳ１７３）。
Ｘ２  ＝  Ｘ１−２５００−２５００×（手数料レート）  …  式（３）
【０２１２】
ステップＳ１７０またはステップＳ１７３で、再プレー用貯玉数が登録されると、ＩＤに基づいて管理装置７５の再プレーＦＬＧを１に書き換え、再プレー可能な状態にする（ステップＳ１７４）。
【０２１３】
また、上記式（１）、（２）、（３）はパチンコ台を対象としたものであるが、スロットマシンのを対象とする場合、２５００玉に代えて１万円分の５００メダルとすることができる。再プレー受付機６９に切替ボタンなどを設け、その切替ボタンで、パチンコ台およびスロットマシンのどちらの再プレー受付をするかを選択できるようにすることもできる。また、それぞれ、別体式の再プレー受付機６９として設けられてもよい。
【０２１４】
ここで、再プレー受付機６９における処理は、上記処理に限るものではない。例えば、再プレー用貯玉を、再プレー受付機６９の端玉／端メダル受取口６９ｆに排出させてもよい。また、再プレー受付機６９は単独で構成されるものに限らず、例えば、台間機６２、６３、６５に併設されてもよい。この場合、台間機６２、６３、６５には、暗証番号入力用テンキーボードなどがさらに設けられる。
【０２１５】
（台間機６２、６３、６５）
次に、記憶媒体処理装置１を搭載した台間機６２、６３、６５について、図３８に示された台間機６２、６３、６５の平面図および図３０を参照して説明する。
【０２１６】
図３８には、３種類の台間機６２、６３、６５を正面から見た図が示されており、（ａ）の台間機６２（ユニット）および（ｂ）の台間機６３（サンド）はパチンコ用であり、（ｃ）の台間機６５（台間メダル貸し機）はスロットマシン用である。
【０２１７】
台間機６２（ユニット）は、パチンコ機６１と情報通信ができるので、パチンコ機６１の貸玉ボタンが押されると、パチンコ機６１内部からパチンコ機６１の上皿へ直接パチンコ玉を供給することができる。一方、台間機６３（サンド）は、パチンコ機６１と情報通信ができないので、パチンコ玉は、サンドのノズルよりパチンコ機６１の上皿へ供給される。
【０２１８】
また、台間機６５（台間メダル貸し機）は、台間機６３（サンド）と同様に遊技機と情報通信ができないので、メダルは、台間機６５（台間メダル貸し機）のメダル払出口に供給され、遊技者によってスロットマシン機６４に移動される。なお、台間機６５（台間メダル貸し機）のメダル払出口にノズルを取り付け、自動的にメダルがスロットマシン機６４のメダル払出口に供給されるようにしてもよい。
【０２１９】
また、各台間機６２、６３、６５には、ＩＣカード挿入口６２ａ、６３ａ、６５ａ、ＩＣコイン投入口６２ｂ、６３ｂ、６５ｂ、ＩＣコイン返却口６２ｈ、６３ｈ、６５ｈ、貸玉ボタン６２ｃ、６３ｃ（パチンコ機６１に貸玉ボタンを有しているので台間機６２（ユニット）にはない場合もある。）、再プレー用貸玉ボタン６２ｄ、６３ｄ、貸メダルボタン６５ｃ、再プレー用貸メダルボタン６５ｄ、返却ボタン６２ｅ、６３ｅ、６５ｅ、表示部６２ｆ、６３ｆ、６５ｆ、ランプ６２ｇ、６３ｇ、６５ｇ、回収箱６２ｉ、６３ｉ、６５ｉなどが設けられている。これらの各台間機６２、６３、６５では、ＩＣカード挿入口６２ａ、６３ａ、６５ａと、ＩＣコイン投入口６２ｂ、６３ｂ、６５ｂとがそれぞれ別個に設けられている。
【０２２０】
ＩＣカード挿入口６２ａ、６３ａ、６５ａは、台間機６２、６３、６５へのＩＣカード４０の挿入、または、返却ボタン６２ｅ、６３ｅ、６５ｅが操作されることで台間機６２、６３、６５からのＩＣカード４０の取出しを行うところである。
【０２２１】
ここで、１枚のＩＣカード４０がＩＣカード挿入口６２ａ、６３ａ、６５ａから挿入されると、ソレノイドなどの機械的な挿入防止手段６２ｊ、６３ｊ、６５ｊによって、ＩＣカード挿入口６２ａ、６３ａ、６５ａが封鎖されるようにしてもよい。これによって、他のＩＣカード４０を挿入することはできなくなり、複数のＩＣカード４０がＩＣカード挿入口６２ａ、６３ａ、６５ａに挿入されることで生じるカード詰りなどを防止することができる。
【０２２２】
ＩＣコイン投入口６２ｂ、６３ｂ、６５ｂは、台間機６２、６３、６５へのＩＣコイン４１の投入を、ＩＣコイン返却口６２ｈ、６３ｈ、６５ｈは、台間機６２、６３、６５からのＩＣコイン４１の取り出しを行うところである。なお、ＩＣコイン返却口６２ｈ、６３ｈ、６５ｈからのＩＣコイン４１の返却は、返却ボタン６２ｅ、６３ｅ、６５ｅの操作によって行われる。ここで、１枚のＩＣコイン４１がＩＣコイン投入口６２ｂ、６３ｂ、６５ｂから投入されると、ソレノイドなどの機械的な挿入防止手段６２ｊ、６３ｊ、６５ｊによって、ＩＣコイン投入口６２ｂ、６３ｂ、６５ｂが封鎖されるようにしてもよい。これによって、他のＩＣコイン４１を投入することはできなくなり、複数のＩＣコイン４１がＩＣコイン挿入口６２ｂ、６３ｂ、６５ｂに挿入されることで生じるコイン詰りなどを防止することができる。
【０２２３】
貸玉ボタン６２ｃ、６３ｃは、遊技者がパチンコ玉の貸し出しを要求するときに、押されるボタンである。例えば、貸玉ボタン６２ｃ、６３ｃが１回押されると５００円分のパチンコ玉が貸し出しされる。なお、パチンコ玉の貸し出しは、５００円単位で行われる。
【０２２４】
貸メダルボタン６５ｃは、遊技者がメダルの貸し出しを要求するときに押されるボタンである。例えば、貸メダルボタン６５ｃが１回押されると１０００円分のメダルが貸し出しされる。なお、メダルの貸し出しは、１０００円単位で行われる。
【０２２５】
再プレー用貸玉ボタン６２ｄ、６３ｄおよび再プレー用貸メダルボタン６５ｄは、再プレー受付機６９において再プレー手続が行われたＩＣカード４０使用時にのみ利用され、再プレー用に利用することができるパチンコ玉またはメダルを貸し出しするときに押される。
【０２２６】
表示部６２ｆ、６３ｆ、６５ｆは、例えば、度数などを表示する。これによって、度数を確認でき、入金のタイミングを図ることができる。また、表示部６２ｆ、６３ｆ、６５ｆには、度数以外の情報を表示してもよい。
【０２２７】
ランプ６２ｇ、６３ｇ、６５ｇは、遊技している遊技者が、会員または非会員なのかを識別するためのもので、例えば、会員の場合は赤色、非会員の場合は青色が発光する。
【０２２８】
また、図３０に示すように、２台の台間機６２、６３、６５に対し１台の割合で台間機６２、６３、６５の上部のランプ板部（呼出ランプの付く固定板）に、貯留機構付き紙幣識別装置８０が設置されている。この貯留機構付き紙幣識別装置８０は、４種類の紙幣に対応できるコンパクトサイズの紙幣識別機であり、台間機６２、６３、６５および島コンピュータ６６と情報通信ができるように接続されている。
【０２２９】
また、貯留機構付き紙幣識別装置８０は、２台の台間機６２、６３、６５に対して１台の割合で設けられているため、貯留機構付き紙幣識別装置８０の紙幣挿入口８０ａに入金されたときには、２台の台間機６２、６３、６５の内どちらの台間機６２、６３、６５への入金かを判定する必要がある。そこで、貯留機構付き紙幣識別装置８０に２個の台間機指定ボタン８０ｂを設け、入金された側の台間機指定ボタン８０ｂを押すことによって、入金された側の台間機６２、６３、６５の指定を行う。また、図３９に示した（ａ）の台間機６２（ユニット）の一例のように、貯留機構付き紙幣識別装置８０の機能は、台間機６２、６３、６５の本体に一体的に構成することもできる。
【０２３０】
また、台間機６２、６３、６５では、会員登録した遊技者に付与されるＩＣカード４０が用いられた場合には、貸し出されたパチンコ玉またはメダルなどの遊技媒体数に対応して付与される貸玉ポイント、来店することによって付与される来店ポイント、ＩＣカード４０が台間機６２、６３、６５に挿入されていた時間に対応して付与される時間ポイント、貯玉数に対応して付与される貯玉ポイント、勝敗に対応して付与される勝敗ポイントなどが特典として付与される。
【０２３１】
次に、図４０および４１を参照して、台間機６２、６３、６５の動作について説明する。各台間機６２、６３、６５における基本的な動作は同じなので、ここでは、一例として台間機６２（ユニット）における動作について説明する。また、ここでは、ＩＣカード４０またはＩＣコイン４１は、ＩＤだけを有し、その他の情報は管理装置７５において管理されるシステムにおける動作の説明をする。さらに、この説明では、ＩＣカード４０を利用する場合には、再プレー受付機６９で再プレー受付された後においては、再プレーＦＬＧが１、再プレーに利用可能な玉数を再プレー用貯玉数として管理装置７５が有しているシステムであることを前提とする。
【０２３２】
また、台間機６２に搭載された記憶媒体処理装置におけるＩＣカード４０およびＩＣコイン４１の搬送部は、記憶媒体処理装置１で説明したものと同じである。
【０２３３】
図４０に示すように、台間機６２は、制御部３００、ＩＣカード処理部３０１、ＩＣコイン処理部３０２、選択ボタン検知部３０３、貨幣識別部３０４、位置検知部３０５から構成されている。
【０２３４】
制御部３００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部３００では、ＩＣカード処理部３０１、ＩＣコイン処理部３０２、選択ボタン検知部３０３、貨幣識別部３０４、位置検知部３０５の各機部間の信号の出入力、および、島コンピュータ６６、ネットワーク６７を介して管理装置７５との間の信号の出入力を制御している。ここで、島コンピュータ６６は、パチンコ機６１、スロットマシン機６４および台間機６２、６３、６５と、ネットワーク６７との間の情報の通信を行うもので、データロガなどで構成されている。
【０２３５】
ＩＣカード処理部３０１は、ＩＣカード挿入口６２ａから挿入されたＩＣカード４０に記憶された、例えば、ＩＤやそのＩＤで管理されている有価情報などの読み取り、その読み取った情報の制御部３００への出力、制御部３００からの更新された有価情報などのＩＣカード４０への書き込みなどを行うもので、ＩＣカード用リーダライタ１９などで構成される。
【０２３６】
ＩＣコイン処理部３０２は、ＩＣコイン挿入口６２ｂから挿入されたＩＣコイン４１に記憶された、例えば、ＩＤやそのＩＤで管理されている有価情報などの読み取り、その読み取った情報の制御部への出力、制御部からの更新された有価情報などのＩＣコイン４１への書き込みなどを行うもので、ＩＣコイン用リーダライタ１１などで構成される。また、ＩＣコイン処理部３０２は、貯留機付き紙幣識別装置８０に紙幣を挿入し、遊技を行うＩＣコイン４１を持たない非会員の遊技者に対し、遊技終了後、度数残高があるときに、制御部３００からの情報に基づいてＩＤをＩＣコイン４１に記録し、発行することも行う。
【０２３７】
選択ボタン検知部３０３は、貸玉ボタン６２ｃ、再プレー用貸玉ボタン６２ｄ、返却ボタン６２ｅが押されたことを検知し、その押された信号に基づいて、制御部３００に信号を出力するものである。
【０２３８】
貨幣識別部３０４は、貯留機構付き紙幣識別装置８０からの信号に基づき４種類の紙幣を識別し、識別した紙幣の情報を制御部３００に出力するものである。ここでは、貨幣識別部３０４は、台間機６２に一体的に構成されている。
【０２３９】
位置検知部３０５は、記憶媒体処理装置１内にＩＣカード４０またはＩＣコイン４１が存在するか否かの検知やＩＣカード４０またはＩＣコイン４１の記憶媒体処理装置１内での位置の検知し、その情報を制御部１００に出力するものである。位置検知部３０５は、光学センサ１２ａ、１２ｂ、１２ｃ、１２ｄ、１２ｅ、２４ａ、２４ｂなどで構成される。
【０２４０】
そして、制御部３００によって制御される、ＩＣカード処理部３０１、ＩＣコイン処理部３０２、選択ボタン検知部３０３、貨幣識別部３０４、位置検知部３０５の各機器部は、次のように動作する。
【０２４１】
以下に、図４１を参照してその動作を説明する。
位置検知部３０５（光学センサ１２ａ）は、ＩＣコイン貯留路６にＩＣコイン４１が貯留されているか否かを判定する（ステップＳ３１０）。ステップＳ３１０の判定でＮｏの場合には、位置検知部３０５（光学センサ１２ａ）は、その検知情報を制御部３００に出力する（ステップＳ３１１）。そして、制御部３００は、その情報を、例えば、表示部６２ｆに出力し、表示部６２ｆは、「貯留ＩＣコインなし」などの表示する（ステップＳ３１１）。
【０２４２】
ステップＳ３１０の判定でＹｅｓの場合には、位置検知部３０５（光学センサ１２ａ）は、その検知情報を制御部３００に出力する（ステップＳ３１１）。位置検知部３０５（光学センサ２４ａ）は、ＩＣカード挿入口６２ａよりＩＣカード４０が挿入されたか否かを判定する（ステップＳ３１２）。
【０２４３】
ステップＳ３１２の判定でＮｏの場合には、位置検知部３０５（光学センサ２４ａ）は、その検知情報を制御部３００に出力する（ステップＳ３１１）。続いて、位置検知部３０５（光学センサ１２ｂ）は、ＩＣコイン投入口６２ｂよりＩＣコイン４１が投入されたか否かを判定する（ステップＳ３１３）。
【０２４４】
ステップＳ３１３の判定で、Ｎｏの場合には、位置検知部３０５（光学センサ１２ｂ）は、その情報を制御部３００に出力する（ステップＳ１２３）。続いて、貨幣識別部３０４は、紙幣が入金された否かを判定する（ステップＳ３１４）。ステップＳ３１４の判定でＮｏの場合には、ステップＳ３３１の判定を行う。
【０２４５】
ステップＳ３１４の判定でＹｅｓの場合には、貨幣識別部３０４は、入金された紙幣の識別を行い、その識別情報を制御部３００に出力する（ステップＳ３１５）。また、貨幣識別部３０４で識別された紙幣は、台間機６２内の紙幣回収部（図示しない）に回収される。さらに、制御部３００は、ステッピングモータ９を駆動させる信号をステッピングモータ９に出力し、ステッピングモータ９の駆動によってロータ１３を回転させて、ＩＣコイン貯留路６からロータ１３の凹部１３ｂにＩＣコイン４１を取り出す（ステップＳ３１５）。そして、ロータ１３は回転し、ＩＣコイン４１をＩＣコイン用リーダライタ１１と交信できる位置まで移動させる（ステップＳ３１５）。位置検知部３０５（光学センサ１２ｄ）によって、ＩＣコイン４１がＩＣコイン用リーダライタ１１と交信する所定の位置に移動されたことが検知されると、位置検知部３０５（光学センサ１２ｄ）は、その情報を制御部３００に出力する。制御部３００は、その情報に基づいて、ステッピングモータ９に駆動を停止する信号を出力する（ステップＳ３１５）。
【０２４６】
そして、ＩＣコイン処理部３０２は、ＩＣコイン４１にＩＤを付与し、その情報を制御部３００に出力する（ステップＳ３１６）。制御部３００は、そのＩＤ情報、貨幣識別部３０４で識別された紙幣の金額をネットワーク６７を介して管理装置７５に送信する（ステップＳ３１６）。
【０２４７】
ステップＳ３１３の判定で、ＩＣコイン投入口６２ｂよりＩＣコイン４１が投入されたことが判定された場合（Ｙｅｓの場合）には、位置検知部３０５（光学センサ１２ｂ）は、その情報を制御部３００に出力する（ステップＳ３１７）。そして、制御部３００は、ステッピングモータ９を駆動させる信号をステッピングモータ９に出力し、ステッピングモータ９の駆動によってロータ１３を回転させて、ＩＣコイン投入口６２ｂからロータ１３の凹部１３ｂにＩＣコイン４１を取り出す（ステップＳ３１７）。そして、ロータ１３は回転し、ＩＣコイン４１をＩＣコイン用リーダライタ１１と交信できる位置まで移動させる（ステップＳ３１７）。位置検知部３０５（光学センサ１２ｄ）によって、ＩＣコイン４１がＩＣコイン用リーダライタ１１と交信する所定の位置に移動されたことが検知されると、位置検知部３０５（光学センサ１２ｄ）は、その情報を制御部３００に出力する。制御部３００は、その情報に基づいて、ステッピングモータ９に駆動を停止する信号を出力する（ステップＳ３１７）。
【０２４８】
続いて、ＩＣコイン処理部３０２は、ＩＣコイン４１に書き込まれているＩＤなどの情報を読み取ることができるか否かを判定する（ステップＳ３１８）。
【０２４９】
ステップＳ３１８の判定で、Ｎｏの場合には、ＩＣコイン処理部３０２は、その情報を制御部３００に出力する（ステップＳ３１９）。そして、制御部３００は、その情報に基づいて、ステッピングモータ９を駆動させ、ロータ１３を回転して、ＩＣコイン４１を保持しているロータ１３の凹部１３ｂをＩＣコイン排出路１０に連通させ、ＩＣコイン４１をＩＣコイン返却口６２ｈから返却する（ステップＳ３１９）。
【０２５０】
一方、ステップＳ３１８の判定で、Ｙｅｓの場合には、ＩＣコイン処理部３０２は、ＩＣコイン４１からＩＤを読み取り、その情報を制御部３００に出力する（ステップＳ３２０）。
【０２５１】
続いて、貨幣識別部３０４は、紙幣が入金された否かを判定する（ステップＳ３２１）。ステップＳ３２１の判定でＮｏの場合には、ステップＳ３３１の判定を行う。
【０２５２】
ステップＳ３２１の判定でＹｅｓの場合には、貨幣識別部３０４は、入金された紙幣の識別を行い、その識別情報を制御部３００に出力する（ステップＳ３２２）。また、貨幣識別部３０４で識別された紙幣は、台間機６２内の紙幣回収部（図示しない）に回収される。そして、制御部３００は、ＩＣコイン処理部３０２で読み取ったＩＣコイン４１のＩＤ情報、貨幣識別部３０４で識別された紙幣の金額をネットワーク６７を介して管理装置７５に送信する（ステップＳ３２２）。
【０２５３】
ステップＳ３１２の判定で、ＩＣカード挿入口６２ａよりＩＣカード４０が挿入されたことが判定された場合には、位置検知部３０５（光学センサ２４ａ）は、その検知情報を制御部３００に出力する。続いて、位置検知部３０５（光学センサ１２ｂ）は、ＩＣコイン投入口６２ｂよりＩＣコイン４１が投入されたか否かを判定する（ステップＳ３２３）。
【０２５４】
ステップＳ３２３の判定で、Ｙｅｓの場合には、つまり、すでにＩＣコイン４１がＩＣコイン投入口６２ｂより投入されている場合には、位置検知部３０５（光学センサ１２ｂ）は、その情報を制御部３００に出力する（ステップＳ３２４）。そして、制御部３００は、その情報に基づいて、ステッピングモータ２２を、ＩＣカード４０を返却する方向に駆動させる信号をステッピングモータ２２に出力し、ＩＣカード４０は、ステッピングモータ２２によって回転される搬送ベルト２１によってＩＣカード挿入口６２ａより返却される（ステップＳ３２４）。
【０２５５】
ステップＳ３２３の判定で、Ｎｏの場合には、位置検知部３０５（光学センサ１２ｂ）は、その情報を制御部３００に出力する（ステップＳ３２５）。そして、制御部３００は、ステッピングモータ２２を駆動させる信号をステッピングモータ２２に出力し、搬送ベルト２１を回転させ、ＩＣカード４０をＩＣカード用リーダライタ１９と交信できる位置まで移動させる（ステップＳ３２５）。位置検知部３０５（光学センサ２４ａ、２４ｂ）によって、ＩＣカード４０がＩＣカード用リーダライタ１９と交信する所定の位置に移動されたことが検知されると、位置検知部３０５（光学センサ２４ａ、２４ｂ）は、その情報を制御部３００に出力する。制御部３００は、その情報に基づいて、ステッピングモータ２２に駆動を停止する信号を出力する（ステップＳ３２５）。
【０２５６】
なお、ステップＳ３２３の判定後に、ＩＣコイン投入口６２ｂよりＩＣコイン４１が投入されたことが、位置検知部３０５（光学センサ１２ｂ）によって検知された場合には、位置検知部３０５（光学センサ１２ｂ）は、その情報を制御部３００に出力する。そして、制御部３００は、その情報に基づいて、ステッピングモータ９を駆動させ、ロータ１３を回転して、その投入されたＩＣコイン４１をＩＣコイン返却口６２ｈから返却する。
【０２５７】
続いて、ＩＣカード処理部３０１は、ＩＣカード４０に書き込まれているＩＤなどの情報を読み取ることができるか否かを判定する（ステップＳ３２６）。
【０２５８】
ステップＳ３２６の判定で、Ｎｏの場合には、ＩＣカード処理部３０１は、その情報を制御部３００に出力する（ステップＳ３２７）。そして、制御部３００は、その情報に基づいて、ステッピングモータ２２を、ＩＣカード４０を返却する方向に駆動させる信号をステッピングモータ２２に出力し、ＩＣカード４０は、ステッピングモータ２２によって回転される搬送ベルト２１によってＩＣカード挿入口６２ａより返却される（ステップＳ３２７）。
【０２５９】
一方、ステップＳ３２６の判定で、Ｙｅｓの場合には、ＩＣカード処理部３０１は、ＩＣカード４０からＩＤを読み取り、その情報を制御部３００に出力する（ステップＳ３２８）。
【０２６０】
続いて、貨幣識別部３０４は、紙幣が入金された否かを判定する（ステップＳ３２９）。ステップＳ３２９の判定でＮｏの場合には、ステップＳ３３１の判定を行う。
【０２６１】
ステップＳ３２９の判定でＹｅｓの場合には、貨幣識別部３０４は、入金された紙幣の識別を行い、その識別情報を制御部３００に出力する（ステップＳ３３０）。また、貨幣識別部３０４で識別された紙幣は、台間機６２内の紙幣回収部（図示しない）に回収される。そして、制御部３００は、ＩＣカード処理部３０１で読み取ったＩＣカード４０のＩＤ情報、貨幣識別部３０４で識別された紙幣の金額をネットワーク６７を介して管理装置７５に送信する（ステップＳ３３０）。
【０２６２】
選択ボタン検知部３０３で、遊技者が貸玉ボタン６２ｃを選択することに基づく貸玉要求信号が入力されたか否かが判定される（ステップＳ３３１）。ステップＳ３３１の判定がＹｅｓの場合には、その貸玉要求信号が制御部３００に出力される。（ステップＳ３３２）。
【０２６３】
制御部３００は、ＩＣカード４０またはＩＣコイン４１のＩＤに対応する度数残高を管理装置７５から読み出し、この度数残高と貸玉要求信号に相当する度数とを比較し、度数残高が貸玉要求信号に相当する度数より大きければ、その貸玉要求信号に基づく貸玉排出動作信号をパチンコ機６１の制御部に送信し、所定数のパチンコ玉のパチンコ機６１の上皿への貸し出しを行わせる（ステップＳ３３２）。また、制御部３００は、度数残高から貸玉要求信号に相当する度数が減算し、その減算した度数残高を管理装置７５へ出力する。管理装置７５は、その出力された情報をＩＤ毎に管理する（ステップＳ３３２）。
【０２６４】
さらに、ＩＣカード４０が利用されている場合には、管理装置７５では、貸玉要求信号に相当する度数に応じて付与されるポイントをＩＤに基づいて加算する（ステップＳ３３３）。
【０２６５】
ステップＳ３３１の判定がＮｏの場合には、選択ボタン検知部３０３で、遊技者が再プレー用貸玉ボタン６２ｄを選択することに基づく再プレー用貸玉要求信号が入力されたか否かが判定される（ステップＳ３３４）。
【０２６６】
ステップＳ３３４の判定がＹｅｓの場合には、再プレー用貸玉要求信号がＩＤに基づいて、制御部３００から管理装置７５に送信される。管理装置７５は、ＩＤに基づいて管理されている再プレーＦＬＧの値を制御部３００に出力する。  制御部３００では、管理装置７５からの再プレーＦＬＧの値を判定する（ステップＳ３３５）。再プレー受付機６９で受付されたときには、管理装置７５内の記録値である再プレーＦＬＧが１となり、受付されていないときには、再プレーＦＬＧが０となっている。
【０２６７】
ステップＳ３３５の判定において、再プレーＦＬＧが１であることが制御部３００によって判定された場合、制御部３００は、再プレー用貸玉要求信号をパチンコ機６１の制御部に出力する（ステップＳ３３６）。パチンコ機６１の制御部は、パチンコ機６１から所定数のパチンコ玉の貸し出しを行わせる（ステップＳ３３６）。また、制御部３００は、再プレー用貸玉要求信号に相当する玉数の情報を管理装置７５に出力する。そして、管理装置７５では、再プレー用貯玉数から再プレー用貸玉要求信号に相当する玉数が減算され、減算後の再プレー用貯玉数がＩＤ毎に書き込まれる（ステップＳ３３６）。
【０２６８】
一方、ステップＳ３３５の判定において、再プレーＦＬＧが０であることが制御部３００によって判定された場合、パチンコ玉の貸し出しは行われず、ステップＳ３３９の判定を行う。このときには、例えば、制御部３００は、表示部６２ｆに「再プレーできません」などの表示をさせることもできる。
【０２６９】
ステップＳ３３４で、再プレー用貸玉ボタン６２ｄが選択されていないと判定された場合には（Ｎｏの場合）、ステップＳ３３７の判定を行う。
【０２７０】
続いて、制御部３００は、管理装置７５から再プレー用貯玉数の情報を受信し、  との通信によって得た再プレー用貯玉数が０か否かを判定する（ステップＳ３３７）。ステップＳ３３７の判定において、Ｙｅｓの場合には、制御部３００は、再プレーＦＬＧの数値を０に書き換える情報を管理装置７５に出力する（ステップＳ３３８）。そして、管理装置７５では、ＩＤに基づいて再プレーＦＬＧの数値が０に書き換える（ステップＳ３３８）。
【０２７１】
ステップＳ３３７の判定において、Ｎｏの場合には、選択ボタン検知部３０３で、返却ボタン６２ｅを選択することに基づく返却要求信号が入力されたか否かが判定される（ステップＳ３３９）。
【０２７２】
ステップＳ３３９の判定において、Ｎｏの場合には、選択ボタン検知部３０３は、その情報を制御部３００に出力する。そして、位置検知部３０５は、ＩＣカード４０が挿入されているか否かを判定する（ステップＳ３４０）。
【０２７３】
ステップＳ３４０の判定において、Ｙｅｓの場合には、位置検知部３０５は、その情報を制御部３００に出力する。そして、制御部３００は、ランプ６２ｇに赤色を点灯させ（ステップＳ３４１）、ソレノイドでＩＣカード挿入口６２ａを封鎖させる（ステップＳ３４２）。
【０２７４】
一方、ステップＳ３４０の判定において、Ｎｏの場合には、位置検知部３０５は、その情報を制御部３００に出力する。
【０２７５】
続いて、位置検知部３０５は、ＩＣコイン４１が投入されているか否かを判定する（ステップＳ３４３）。
【０２７６】
ステップＳ３４３の判定において、Ｙｅｓの場合には、位置検知部３０５は、その情報を制御部３００に出力する。そして、制御部３００は、ランプ６２ｇに青色を点灯させ（ステップＳ３４４）、ソレノイドでＩＣコイン投入口６２ｂを封鎖させる（ステップＳ３３０）。ステップＳ３４３の判定において、Ｎｏの場合には、リターンしてスタートに戻る。
【０２７７】
ステップＳ３３９の判定において、返却ボタン６２ｅが選択されたことを判定した場合には（Ｙｅｓの場合）、その情報は制御部３００に出力される。そして、位置検知部３０５が、ＩＣコイン４１があるか否かを判定する（ステップＳ３４５）。
【０２７８】
ステップＳ３４５における判定で、Ｎｏの場合には、位置検知部３０５は、その情報を制御部３００に出力する（ステップＳ３４６）。そして、制御部３００は、その情報に基づいて、ステッピングモータ２２を、ＩＣカード４０を返却する方向に駆動させる信号をステッピングモータ２２に出力し、ＩＣカード４０は、ステッピングモータ２２によって回転される搬送ベルト２１によってＩＣカード挿入口６２ａより返却される（ステップＳ３４６）。
【０２７９】
一方、ステップＳ３４５における判定で、Ｙｅｓの場合には、さらに、ＩＣコイン処理部３０２は、ＩＣコイン４１に度数残高があるか否かが判定する（ステップＳ３４７）。ステップＳ３４７の判定において、Ｙｅｓの場合には、ＩＣコイン処理部３０２は、その情報を制御部３００に出力する（ステップＳ３４８）。そして、制御部３００は、その情報に基づいて、ステッピングモータ９を駆動させ、ロータ１３を回転して、ＩＣコイン４１を保持しているロータ１３の凹部１３ｂをＩＣコイン排出路１０に連通させ、ＩＣコイン４１をＩＣコイン返却口６２ｈから返却する（ステップＳ３４８）。
【０２８０】
ステップＳ３４７の判定において、Ｎｏの場合には、ＩＣコイン処理部３０２は、その情報を制御部３００に出力する（ステップＳ３４９）。そして、制御部３００は、その情報に基づいて、ステッピングモータ９を駆動させる信号をステッピングモータ９に出力し、ロータ１３を回転させる。そして、度数残高がなくなったＩＣコイン４１は、ロータ１３の凹部１３ｂからＩＣコイン貯留路６に移動される（ステップＳ３４９）。
【０２８１】
なお、ステップＳ３１３の判定で、ＩＣコイン挿入口６２ｂよりＩＣコイン４１が投入されていると判定された場合（Ｙｅｓの場合）には、ＩＣカード４０が、ＩＣカード挿入口６２ａに挿入されないように、ＩＣカード挿入口６２ａに、例えば、ソレノイドなどを設けて、ＩＣカード挿入口６２ａを封鎖するステップを設けてもよい。このステップを設けるとともに、ステップＳ３１２の判定で、ＩＣカード挿入口６２ａよりＩＣカード４０が挿入されたことが判定された場合（Ｙｅｓの場合）に、ＩＣコイン４１が、ＩＣコイン挿入口６２ｂに挿入されないように、ＩＣコイン挿入口６２ｂに、例えば、ソレノイドなどを設けて、ＩＣコイン挿入口６２ｂを封鎖するステップを設けてもよい。この場合、前述した、ステップＳ３１２の判定でＹｅｓの場合に行われる、ＩＣコイン投入口６２ｂよりＩＣコイン４１が投入されたか否かを判定するステップＳ３２３、および、ステップＳ３２３に伴いＩＣカード４０を返却するステップＳ３２４は削除される。
【０２８２】
（計数機７０）
図４２は、計数機７０の外観を示す斜視図、図４３は、計数機７０の構成部を示す図、図４４は、計数機７０における動作の流れを示す図である。
【０２８３】
まず、図４２を参照して、計数機７０の構成について説明する。
図４２には、計数機７０の斜視図が示されており、ＩＣカード挿入口７０ａ、遊技媒体投入部７０ｂ、全部ボタン７０ｃ、計数結果表示部７０ｄ、返却ボタン７０ｅ、レシート発券口７０ｆから主に構成されている。
【０２８４】
計数機７０は、パチンコ玉またはメダルの数量を計数するものである。ＩＣカード４０のみを受け入れるＩＣカード挿入口７０ａにＩＣカード４０が挿入された場合には、ＩＣカード４０に記憶されたＩＤを読み取り、計数された計数値が貯玉数としてそのＩＤに基づき管理装置７５に記憶される。また、計数機７０では、ＩＣカード４０の利用によって付与されるポイントを、例えば、玉数として還元し、計数機７０によって計数された玉数にその還元された玉数を加算することもできる。
【０２８５】
一方、ＩＣカード４０がＩＣカード挿入口７０ａに挿入されない場合には、計数された情報を、例えば、バーコードとしてレシートに記録し、そのレシートがレシート発券口７０ｆから発行される。また、このレシートには、簡易管理用ＩＤが記録され、その簡易管理用ＩＤは、そのレシートを用いて景品交換されるまで、管理装置７５で計数機７０で計数された玉数とともに管理される。
【０２８６】
図４３に示すように、計数機７０は、制御部４００、ＩＣカード処理部４０１、記録媒体処理部４０２、選択ボタン検知部４０３、計数処理部４０４から構成されている。
【０２８７】
制御部４００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部４００では、ＩＣカード処理部４０１、記録媒体処理部４０２、選択ボタン検知部４０３、計数処理部４０４の各機部間の信号の出入力、および、ネットワーク６７を介して管理装置７５との間の信号の出入力を制御している。
【０２８８】
ＩＣカード処理部４０１は、ＩＣカード挿入口７０ａから挿入されたＩＣカード４０に記憶された、例えば、ＩＤやそのＩＤで管理されている有価情報などの読み取り、その読み取った情報の制御部４００への出力、制御部４００からの更新された有価情報などのＩＣカード４０への書き込みなどを行うもので、例えば、リーダライタなどで構成される。
【０２８９】
記録媒体処理部４０２は、計数処理部４０４で計数された玉数および簡易管理用ＩＤをレシートに、例えば、バーコードとして記録し、その記録されたレシートをレシート発券口７０ｆから発券するものである。
【０２９０】
選択ボタン検知部４０３は、全部ボタン７０ｃ、返却ボタン７０ｅが押されたことを検知し、その押された信号に基づいて、制御部４００に信号を出力するものである。
【０２９１】
計数処理部４０４は、遊技媒体投入部７０ｂに投入された玉数を計数し、その計数した情報を制御部４００へ出力するものである。計数処理部４０４で計数された結果は、例えば、計数結果表示部７０ｄに表示することもできる。
【０２９２】
そして、制御部４００によって制御される、ＩＣカード処理部４０１、記録媒体処理部４０２、選択ボタン検知部４０３、計数処理部４０４の各機器部は、次のように動作する（図４４）。
【０２９３】
以下に、図４４を参照してその動作を説明する。
計数処理部４０４において、遊技媒体投入部７０ｂに投入された遊技媒体の計数を行う（ステップＳ４１０）。計数処理部４０４で計数された結果は、制御部４００に出力される。制御部４００は、その係数結果を、例えば、計数結果表示部７０ｄに表示するための情報を計数結果表示部７０ｄに出力することもできる。
【０２９４】
そして、全部ボタン７０ｃが押されたが否かを選択ボタン検知部４０３が判定する（ステップＳ４１１）。ステップＳ４１１の判定で、Ｎｏの場合には、リターンしスタートに戻る。ステップＳ４１１の判定で、Ｙｅｓの場合には、その情報を制御部４００に出力する。
【０２９５】
続いて、ＩＣカード処理部４０１においてＩＣカード４０が挿入されているか否かが判定される（ステップＳ４１２）。
【０２９６】
ステップＳ４１２の判定で、Ｎｏの場合には、制御部４００は、計数処理部４０４で計数された玉数および簡易管理用ＩＤの情報をネットワーク６７を介して管理装置７５に出力するとともに、記録媒体処理部４０２に制御部４００から計数処理部４０４で計数された玉数および簡易管理用ＩＤの情報が出力される。記録媒体処理部４０２では、制御部４００から出力された情報に基づいて、レシートに玉数および簡易管理用ＩＤを、例えば、バーコードとして記録し、レシート発券口７０ｆからレシートを発券する（ステップＳ４１３）。
【０２９７】
ステップＳ４１２の判定で、Ｙｅｓの場合には、ＩＣカード処理部４０１は、ＩＣカード４０に記憶されたＩＤを読み取り、読み取ったＩＤを制御部４００に出力する（ステップＳ４１４）。
【０２９８】
次に、返却ボタン７０ｅが押されたが否かを選択ボタン検知部４０３が判定する（ステップＳ４１５）。
【０２９９】
ステップＳ４１５の判定で、Ｎｏの場合には、リターンしスタートに戻る。ステップＳ４１５の判定で、Ｙｅｓの場合には、ＩＣカード処理部４０１は、ＩＣカード挿入口７０ａからＩＣカード４０を返却する。制御部４００は、ＩＣカード処理部４０１で読み取られたＩＤおよび計数処理部４０４で計数された玉数をネットワーク６７を介して管理装置７５に送信する（ステップＳ４１７）。そして、管理装置７５では、ＩＤに基づいて、すでに記憶されている貯玉数に計数処理部４０４で計数された玉数が加算される（ステップＳ４１７）。
【０３００】
なお、ステップＳ４１７で、加算後の貯玉数を表示させるようにすると、遊技客に全貯玉数がトータルいくらになったのかが把握できるので好ましい。また、計数機７０は、パチンコ玉用と、スロットマシンで用いられるメダル用とがある。
【０３０１】
（景品管理機（ＰＯＳ）７２）
図４５は、景品管理機（ＰＯＳ）７２の外観を示す側面図、図４６は、景品管理機（ＰＯＳ）７２の構成部を示す図、図４７は、景品管理機（ＰＯＳ）７２における動作の流れを示す図である。
【０３０２】
まず、図４５を参照して、景品管理機（ＰＯＳ）７２の構成について説明する。
図４５には、景品管理機（ＰＯＳ）７２を側面から見た図が示されており、ＩＣカード挿入口７２ａ、暗証番号入力用テンキーボード７２ｂ、バーコードリーダ７２ｃ、表示部７２ｄ、特殊景品ボタン７２ｅ、一般景品選択部７２ｆで主に構成されている。
【０３０３】
景品管理機（ＰＯＳ）７２は、ＩＣカード挿入口７２ａより挿入されたＩＣカード４０より、ＩＤに基づき貯玉数を参照し、貯玉数とその貯玉数により交換される景品種別と数量の表示を行い、景品払出機８１が併設される場合、景品払出機８１へ払い出す景品の種別と数量を指示するものである。また、計数機７０で発券されたレシートを用いる場合には、バーコードリーダ７２ｃでレシートに記録された情報を読み取り、その情報に基づく貯玉数の範囲で貯玉数と景品との交換を行うものである。
【０３０４】
特殊景品ボタン７２ｅが押された場合の景品は、例えば、大景品（２５００円）、小景品（１０００円）などがあり、貯玉数より端玉（景品と交換後の残り玉）を最小にするよう計算されて、例えば、景品払出機８１が併設されている場合には、景品が自動的に払い出される。景品払出機８１が併設されていない場合には、表示された交換される景品の種別と数量の表示に基づいて、店員などによって景品が払い出される。また、例えば、タバコ、ジュースなどの一般景品と交換する場合には、一般景品選択部７２ｆにより、交換したい景品や個数を選択し、景品交換を行う。一般景品と交換する場合には、店員などが景品を払い出すことが多いが、景品払出機などで自動的に景品を払い出すこともできる。
【０３０５】
また、景品管理機（ＰＯＳ）７２では、ＩＣカード４０の利用によって付与されるポイントと、例えば、タバコ、ジュースなどの賞品と交換することができるようにしてもよい。
【０３０６】
図４６に示すように、景品管理機（ＰＯＳ）７２は、制御部５００、ＩＣカード処理部５０１、記録媒体処理部５０２、選択ボタン検知部５０３、景品払出処理部５０４から構成されている。
【０３０７】
制御部５００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部５００では、ＩＣカード処理部５０１、記録媒体処理部５０２、選択ボタン検知部５０３、景品払出処理部５０４の各機部間の信号の出入力、および、ネットワーク６７を介して管理装置７５との間の信号の出入力を制御している。
【０３０８】
ＩＣカード処理部５０１は、ＩＣカード挿入口７２ａから挿入されたＩＣカード４０に記憶された、例えば、ＩＤやそのＩＤで管理されている有価情報などの読み取り、その読み取った情報の制御部５００への出力、制御部５００からの更新された有価情報などのＩＣカード４０への書き込みなどを行うもので、例えば、リーダライタなどで構成される。
【０３０９】
記録媒体処理部５０２は、バーコードリーダ７２ｃなどによって、レシートに記録された玉数および簡易管理用ＩＤを読み取り、その読み取った情報を制御部５００に出力するものである。
【０３１０】
ＩＣカード処理部５０１や記録媒体処理部５０２で読み取られた、例えば、計数された玉数などの情報は、表示部７２ｄに表示される。また、表示部７２ｄには、景品交換される景品の種類や個数なども表示させる。
【０３１１】
選択ボタン検知部５０３は、暗証番号入力用テンキーボード７２ｂ、特殊景品ボタン７２ｅ、一般景品選択部７２ｆの選択ボタンが押されたことを検知し、その押された信号に基づいて、制御部５００に信号を出力するものである。
【０３１２】
景品払出処理部５０４は、選択ボタン検知部５０３で検知された信号に基づいて、例えば、表示部７２ｄや景品払出機８１に払い出される特殊景品の種類や個数などの景品払出情報を出力するものである。
【０３１３】
そして、制御部５００によって制御される、ＩＣカード処理部５０１、記録媒体処理部５０２、選択ボタン検知部５０３、景品払出処理部５０４の各機器部は、次のように動作する（図４７）。
【０３１４】
以下に、図４７を参照してその動作を説明する。
ＩＣカード処理部５０１においてＩＣカード４０が挿入されているか否かが判定される（ステップＳ５１０）。
【０３１５】
ステップＳ５１０の判定で、Ｎｏの場合には、バーコードリーダによって、レシートに記録された玉数および簡易管理用ＩＤを読み取る（ステップＳ５１１）。ＩＣカード処理部５０１において読み取られた簡易管理用ＩＤは、制御部５００に出力され、さらに、制御部５００からネットワーク６７を介して管理装置７５に出力される（ステップＳ５１１）。そして、管理装置７５に記憶されている簡易管理用ＩＤに基づく玉数を管理装置からネットワーク６７を介して制御部５００に出力する（ステップＳ５１１）。
【０３１６】
制御部５００では、レシートに記録された簡易管理用ＩＤに基づく玉数と管理装置７５から出力された簡易管理用ＩＤに基づく玉数とを比較し、それぞれが一致するか否かを判定する（ステップＳ５１２）。
【０３１７】
ステップＳ５１２の判定で、Ｎｏの場合には、制御部５００は待機状態となる。ステップＳ５１２の判定で、Ｙｅｓの場合には、ステップＳ５１８に進む。
【０３１８】
ステップＳ５１０の判定で、Ｙｅｓの場合には、ＩＣカード処理部５０１は、ＩＣカード４０に記憶されたＩＤおよび暗証番号を読み取り、読み取ったＩＤおよび暗証番号を制御部５００に出力する（ステップＳ５１３）。
【０３１９】
また、選択ボタン検知部５０３は、暗証番号入力用テンキーボード７２ｂで入力された暗証番号を検知し、その検知信号を制御部５００に出力する（ステップＳ５１４）。制御部５００は、ＩＣカード４０から読み取られた暗証番号と暗証番号入力用テンキーボード７２ｂで入力された暗証番号とを比較判定する（ステップＳ５１５）。
【０３２０】
ステップＳ５１５の判定で、双方の番号が一致しない場合（ＮＧの場合）には、ＩＣカード処理部５０１は、ＩＣカード４０をカード挿入口７２ａから返却する（ステップＳ５１６）。ただし、ここで、ＩＣカード４０を返却せずに、店員に暗証番号が一致しない旨を報知し、店員がそのＩＣカード４０を利用した遊技者に、例えば、生年月日や電話番号などを質問し、遊技者による回答が、実際に登録されているものと一致すれば、忘れた暗証番号の変更手続きを取れるようにしてもよい。
【０３２１】
一方、ステップＳ５１５の判定で、双方の番号が一致した場合（ＯＫの場合）には、制御部５００は、ステップＳ５１３で読み取られたＩＤをネットワーク６７を介して管理装置７５に送信する（ステップＳ５１７）。そして、管理装置７５は、そのＩＤで管理されている貯玉数などを読み取る（ステップＳ５１７）。
【０３２２】
次に、特殊景品ボタン７２ｅが押されたが否かを選択ボタン検知部５０３が判定する（ステップＳ５１８）。
【０３２３】
ステップＳ５１８の判定で、Ｎｏの場合には、景品交換が要求されているものが、一般景品の例えば、タバコやジュースなどであり、一般景品選択部７２ｆで選択された景品および数量の情報を選択ボタン検知部５０３が判定する（ステップＳ５１９）。
【０３２４】
選択ボタン検知部５０３で判定された検知信号は、制御部５００を介して景品払出処理部５０４に出力される。選択された一般景品は、その種別と数量が表示部７２ｄに表示される（ステップＳ５２０）。
【０３２５】
そして、制御部５００において、払出景品在庫数から払い出された景品の数量を差し引き、その情報を景品払出処理部５０４に出力し、景品払出処理部５０４では払出景品在庫数の情報を更新する（ステップＳ５２１）。
【０３２６】
ステップＳ５１８の判定で、Ｙｅｓの場合には、景品払出処理部５０４において、景品払出機８１が併設されているか否かが判定される（ステップＳ５２２）。
【０３２７】
ステップＳ５２２の判定で、Ｙｅｓの場合には、制御部５００は、ＩＤまたは簡易管理用ＩＤに基づいて管理装置７５から読み取られた貯玉数の情報から、払い出される景品の種類およびその個数などの情報を景品払出処理部５０４に出力するとともに表示部７２ｄに表示する（ステップＳ５２３）。景品払出処理部５０４では、その情報を景品払出機８１にに出力し、景品払出機８１から景品を払い出させる（ステップＳ５２３）。
【０３２８】
ステップＳ５２２の判定で、Ｎｏの場合には、制御部５００は、ＩＤまたは簡易管理用ＩＤに基づいて管理装置７５から読み取られた貯玉数の情報から、払い出される景品の種類およびその個数などの情報を景品払出処理部５０４に出力する。そして、景品払出処理部５０４は、その情報を表示部７２ｄに表示する（ステップＳ５２４）。この場合には、店員などによって、その表示部７２ｄの表示に基づいて、景品が払い出される。
【０３２９】
そして、制御部５００において、特殊景品在庫数から払い出された特殊景品の数量を差し引き、その情報を景品払出処理部５０４に出力し、景品払出処理部５０４では特殊景品在庫数の情報を更新する（ステップＳ５２５）。
【０３３０】
次に、再度、ＩＣカード処理部５０１においてＩＣカード４０が挿入されているか否かが判定される（ステップＳ５２６）。
【０３３１】
ステップＳ５２６の判定で、Ｎｏの場合には、簡易管理用ＩＤに基づいて、景品と交換された玉数および払い出された景品の種類や個数は、景品払出処理部５０４に記憶される（ステップＳ５２７）。なお、景品払出処理部５０４に記憶されたこれらの情報は、所定期間記憶されている。また、管理装置７５に記憶されていた簡易管理用ＩＤと玉数の情報は消去される（ステップＳ５２７）。
【０３３２】
ステップＳ５２６の判定で、Ｙｅｓの場合には、景品と交換された玉数および払い出された景品の種類や個数は、ＩＤに基づいて、制御部５００からネットワーク６７を介して管理装置７５に送信され、管理装置７５でＩＤ毎に記憶される（ステップＳ５２８）。
【０３３３】
（精算機７１）
次に、記憶媒体処理装置１を搭載した精算機７１について、図４８乃至５０を参照して説明する。
【０３３４】
図４８は、精算機７１の外観を示す側面図、図４９は精算機７１の構成部を示す図、図５０は精算機７１における動作の流れを示す図である。
【０３３５】
まず、図４８を参照して、精算機７１の構成について説明する。
図４８には、精算機７１を側面から見た図が示されており、ＩＣカード挿入口７１ａ、ＩＣコイン投入口７１ｂ、暗証番号入力用テンキーボード７１ｃ、紙幣返却口７１ｄ、釣銭受７１ｅ、精算ボタン７１ｆ、取消ボタン７１ｇ、表示部７１ｈで主に構成されている。
【０３３６】
精算機７１は、ＩＣカード挿入口７１ａより挿入されたＩＣカード４０またはＩＣコイン投入口１０ｂより投入されたＩＣコイン４１の度数残高を現金で返却するものである。ここで、度数とは、入金された金額を度数化したもので、例えば、１万円を度数化すると１００度数となる。度数残高とは、度数から使用した度数分を差し引いた残りの度数である。
【０３３７】
また、精算機７１では、ＩＣカード４０の利用によって付与されるポイントを、例えば、現金化によって還元してもよい。
【０３３８】
ＩＣカード４０が挿入された場合は、精算機７１に設けられた暗証番号入力用テンキーボード７１ｃによって暗証番号が入力されると、ＩＣカード４０に記憶された暗証番号と入力された暗証番号との照合が行われ、それらが一致すれば精算動作を行う。これによって、会員の遊技者の場合には、例えば、ＩＣカード４０を落として、第三者にＩＣカード４０が渡っても、暗証番号がわからない限りは、度数残高が現金化されることはない。このようにすると遊技者が、例えば、トイレに行くためなどで離席した場合、ＩＣカード４０を盗まれても度数残高を現金化されることはない。
【０３３９】
また、第三者にＩＣカード４０が渡った場合、第三者に度数残高分を遊技に使用されることが考えられるが、台間機６２、６３、６５と管理装置７５とが連携して、例えば、台間機６２、６３、６５にて入力した会員番号や暗証番号に基づいて、そのＩＣカード４０を各機器に使用できないように制御することなどもできる。
【０３４０】
ＩＣコイン４１を用いる場合には、度数残高として保持できる期間が、例えば、１日などのように限られているため、その期間内でなければ、精算機７１で度数残高を精算し、現金化することができない。これによって、製造コストが高いＩＣコイン４１が、パチンコホールやスロットマシンホールの外部に持ち出され、紛失したり、傷つけられたりするのを防止することができる。
【０３４１】
図４９に示すように、精算機７１は、制御部６００、ＩＣカード処理部６０１、ＩＣコイン処理部６０２、貨幣処理部６０３、選択ボタン検知部６０４、位置検知部６０５から構成されている。
【０３４２】
制御部６００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部６００では、ＩＣカード処理部６０１、ＩＣコイン処理部６０２、貨幣処理部６０３、選択ボタン検知部６０４、位置検知部６０５の各機部間の信号の出入力、および、ネットワーク６７を介して管理装置７５との間の信号の出入力を制御している。
【０３４３】
ＩＣカード処理部６０１は、ＩＣカード挿入口７１ａから挿入されたＩＣカード４０に記憶された、例えば、ＩＤやそのＩＤで管理されている有価情報などの読み取り、その読み取った情報の制御部６００への出力、制御部６００からの更新された有価情報などのＩＣカード４０への書き込みなどを行うもので、ＩＣカード用リーダライタ１９などで構成される。
【０３４４】
ＩＣコイン処理部６０２は、ＩＣコイン投入口７１ｂから投入されたＩＣコイン４１に記憶された、例えば、ＩＤやそのＩＤで管理されている有価情報などの読み取り、その読み取った情報の制御部６００への出力、制御部６００からの更新された有価情報などのＩＣコイン４１への書き込みなどを行うもので、ＩＣコイン用リーダライタ１１などで構成される。
【０３４５】
貨幣処理部６０３は、ＩＣカード処理部６０１やＩＣコイン処理部６０２で読み取られたＩＤに基づいて、管理装置７５から読み取った有価情報の度数に対応する金額を紙幣返却口７１ｄ、釣銭受７１ｅから返金するものである。また、貨幣処理部６０３は、度数残高や返金額などの情報を表示部７１ｈに出力し、表示部７１ｈに度数残高や返金額などを表示させることもできる。
【０３４６】
選択ボタン検知部６０４は、暗証番号入力用テンキーボード７１ｃ、精算ボタン７１ｆ、取消ボタン７１ｇが押されたことを検知し、その押された信号に基づいて、制御部６００に信号を出力するものである。
【０３４７】
位置検知部６０５は、精算機７１に搭載された記憶媒体処理装置１内にＩＣカード４０またはＩＣコイン４１が存在するか否かの検知やＩＣカード４０またはＩＣコイン４１の記憶媒体処理装置１内での位置の検知し、その情報を制御部６００に出力するものである。位置検知部６０５は、光学センサ１２ａ、１２ｂ、１２ｃ、１２ｄ、１２ｅ、２４ａ、２４ｂなどで構成される。
【０３４８】
そして、制御部６００によって制御される、ＩＣカード処理部６０１、ＩＣコイン処理部６０２、貨幣処理部６０３、選択ボタン検知部６０４、位置検知部６０５の各機器部は、次のように動作する（図５０）。
【０３４９】
位置検知部６０５（光学センサ１２ｂ）は、ＩＣコイン投入口７１ｂよりＩＣコイン４１が投入されたか否かを判定する（ステップＳ６１０）。
【０３５０】
ステップＳ６１０の判定でＮｏの場合には、位置検知部６０５（光学センサ１２ｂ）は、その検知情報を制御部６００に出力する。そして、位置検知部６０５（光学センサ２４ａ）は、ＩＣカード投入口７１ａよりＩＣカード４０が挿入されたか否かを判定する（ステップＳ６１１）。ステップＳ６１１の判定でＮｏの場合には、制御部６００は、待機状態となる。
【０３５１】
ステップＳ６１１の判定でＹｅｓの場合には、その検知情報を制御部６００に出力する（ステップＳ６１２）。そして、制御部６００は、ステッピングモータ２２を駆動させる信号をステッピングモータ２２に出力し、搬送ベルト２１を回転させ、ＩＣカード４０をＩＣカード用リーダライタ１９と交信できる位置まで移動させる（ステップＳ６１２）。位置検知部６０５（光学センサ２４ａ、２４ｂ）によって、ＩＣカード４０がＩＣカード用リーダライタ１９と交信する所定の位置に移動されたことが検知されると、位置検知部６０５（光学センサ２４ａ、２４ｂ）は、その情報を制御部６００に出力する。制御部６００は、その情報に基づいて、ステッピングモータ２２に駆動を停止する信号を出力する（ステップＳ６１２）。
【０３５２】
続いて、ＩＣカード処理部６０１は、ＩＣカード４０に書き込まれているＩＤなどの情報を読み取ることができるか否かを判定する（ステップＳ６１３）。
【０３５３】
ステップＳ６１３の判定で、Ｎｏの場合には、ＩＣカード処理部６０１は、その情報を制御部６００に出力する（ステップＳ６１４）。そして、制御部６００は、その情報に基づいて、ステッピングモータ２２を、ＩＣカード４０を返却する方向に駆動させる信号をステッピングモータ２２に出力し、ＩＣカード４０は、ステッピングモータ２２によって回転される搬送ベルト２１によってＩＣカード挿入口７１ａより返却される（ステップＳ６１４）。
【０３５４】
一方、ステップＳ６１３の判定で、Ｙｅｓの場合には、ＩＣカード処理部６０１は、ＩＣカード４０に記憶されたＩＤおよび暗証番号を読み取り、読み取ったＩＤおよび暗証番号を制御部６００に出力する（ステップＳ６１５）。また、制御部６００に出力されたＩＤは、ネットワーク６７を介して管理装置７５に出力される（ステップＳ６１５）。そして、管理装置７５に記憶されているＩＣカード４０のＩＤに基づく度数残高を管理装置７５からネットワーク６７を介して制御部６００に出力する（ステップＳ６１５）。
【０３５５】
次に、選択ボタン検知部６０４は、暗証番号入力用テンキーボード７１ｃで入力された暗証番号を検知し、その検知信号を制御部６００に出力する（ステップＳ６１６）。
【０３５６】
制御部６００は、ＩＣカード４０から読み取られた暗証番号と暗証番号入力用テンキーボード７１ｃで入力された暗証番号とを比較判定する（ステップＳ６１７）。
【０３５７】
ステップＳ６１７の判定で、双方の番号が一致しない場合（ＮＧの場合）には、制御部６００は、ステッピングモータ２２を、ＩＣカード４０を返却する方向に駆動させる信号をステッピングモータ２２に出力し、ＩＣカード４０は、ステッピングモータ２２によって回転される搬送ベルト２１によってＩＣカード挿入口７１ａより返却される（ステップＳ６１４）。
【０３５８】
一方、ステップＳ６１７の判定で、双方の番号が一致した場合（ＯＫの場合）には、制御部６００は、ステップＳ６１５で管理装置７５からネットワーク６７を介して制御部６００に出力された度数残高の情報を貨幣処理部６０３に出力する。さらに、制御部６００は、その度数残高の情報を表示部７１ｈに出力し、表示部７１ｈは、その度数残高を表示する（ステップＳ６１８）。
【０３５９】
また、ステップＳ６１０の判定で、ＩＣコイン投入口７１ｂよりＩＣコイン４１が投入されたことが判定された場合（Ｙｅｓの場合）には、位置検知部６０５（光学センサ１２ｂ）は、その検知情報を制御部６００に出力する。そして、位置検知部６０５（光学センサ２４ａ）は、ＩＣカード投入口７１ａよりＩＣカード４０が挿入されたか否かを判定する（ステップＳ６１９）。
【０３６０】
ステップＳ６１９の判定でＹｅｓの場合には、位置検知部６０５（光学センサ２４ａ）は、その検知情報を制御部６００に出力する。そして、制御部６００は、その情報に基づいて、ステッピングモータ９を駆動させ、ロータ１３を回転して、ＩＣコイン４１をロータ１３の凹部１３ｂに保持し、ロータ１３の凹部１３ｂをＩＣコイン排出路１０に連通させ、ＩＣコイン４１をＩＣコイン返却口７１ｉから返却する（ステップＳ６２０）。
【０３６１】
ステップＳ６２０において、返却されたＩＣコイン４１よりも先にＩＣカード投入口７１ａより挿入されたＩＣカード４０に対して、前述したステップＳ６１２からステップＳ６１８の動作が行われる。
【０３６２】
一方、ステップＳ６１９の判定でＮｏの場合には、位置検知部６０５（光学センサ２４ａ）は、その検知情報を制御部６００に出力する。そして、制御部６００は、ステッピングモータ９を駆動させる信号をステッピングモータ９に出力し、ステッピングモータ９の駆動によってロータ１３を回転させて、ＩＣコイン投入口７１ｂからロータ１３の凹部１３ｂにＩＣコイン４１を取り出す（ステップＳ６２１）。そして、ロータ１３は回転し、ＩＣコイン４１をＩＣコイン用リーダライタ１１と交信できる位置まで移動させる（ステップＳ６２１）。位置検知部６０５（光学センサ１２ｄ）によって、ＩＣコイン４１がＩＣコイン用リーダライタ１１と交信する所定の位置に移動されたことが検知されると、位置検知部６０５（光学センサ１２ｄ）は、その情報を制御部６００に出力する。制御部６００は、その情報に基づいて、ステッピングモータ９に駆動を停止する信号を出力する（ステップＳ６２１）。
【０３６３】
なお、ステップＳ６１９の判定後に、ＩＣカード挿入口７１ａよりＩＣカード４０が挿入されたことが、位置検知部３０５（光学センサ２４ａ）によって検知された場合には、位置検知部３０５（光学センサ２４ａ）は、その情報を制御部６００に出力する。そして、制御部６００は、その情報に基づいて、ステッピングモータ２２を、ＩＣカード４０を返却する方向に駆動させる信号をステッピングモータ２２に出力し、ＩＣカード４０は、ステッピングモータ２２によって回転される搬送ベルト２１によってＩＣカード挿入口７１ａより返却される。
【０３６４】
続いて、ＩＣコイン処理部６０２は、ＩＣコイン４１に書き込まれているＩＤなどの情報を読み取ることができるか否かを判定する（ステップＳ６２２）。
【０３６５】
ステップＳ６２２の判定で、Ｎｏの場合には、ＩＣコイン処理部６０２は、その情報を制御部３００に出力する（ステップＳ６２３）。そして、制御部６００は、その情報に基づいて、ステッピングモータ９を駆動させ、ロータ１３を回転して、ＩＣコイン４１を保持しているロータ１３の凹部１３ｂをＩＣコイン排出路１０に連通させ、ＩＣコイン４１をＩＣコイン返却口７１ｉから返却する（ステップＳ６２３）。
【０３６６】
一方、ステップＳ６２２の判定で、Ｙｅｓの場合には、ＩＣコイン処理部６０２は、ＩＣコイン４１からＩＤを読み取り、その情報を制御部６００に出力する（ステップＳ６２４）。また、制御部６００に出力されたＩＤは、ネットワーク６７を介して管理装置７５に出力される（ステップＳ６２４）。そして、管理装置７５に記憶されているＩＣコイン４１のＩＤに基づく度数残高を管理装置７５からネットワーク６７を介して制御部６００に出力する（ステップＳ６２４）。
【０３６７】
また、制御部６００は、ステップＳ６２４で管理装置７５からネットワーク６７を介して制御部６００に出力された度数残高の情報を貨幣処理部６０３に出力する。さらに、制御部６００は、その度数残高の情報を表示部７１ｈに出力し、表示部７１ｈは、その度数残高を表示する（ステップＳ６１８）。
【０３６８】
次に、精算ボタン７１ｆが押されたが否かを選択ボタン検知部６０４が判定する（ステップＳ６２５）。
【０３６９】
ステップＳ６２５の判定で、Ｎｏの場合には、その情報は制御部６００に出力される。続いて、取消ボタン７１ｇが押されたが否かを選択ボタン検知部６０４が判定する（ステップＳ６２６）。
【０３７０】
ステップＳ６２６の判定で、Ｎｏの場合には、制御部６００は待機状態となる。ステップＳ６２６の判定で、Ｙｅｓの場合には、選択ボタン検知部６０４はその情報を制御部６００に出力する（ステップＳ６２７）。そして、制御部６００は、ＩＣカード４０を返却する場合には、ステッピングモータ２２を、ＩＣカード４０を返却する方向に駆動させる信号をステッピングモータ２２に出力し、ＩＣカード４０は、ステッピングモータ２２によって回転される搬送ベルト２１によってＩＣカード挿入口７１ａより返却される（ステップＳ６２７）。また、ＩＣコイン４１を返却する場合には、制御部６００は、ステッピングモータ９を駆動させ、ロータ１３を回転して、ＩＣコイン４１を保持しているロータ１３の凹部１３ｂをＩＣコイン排出路１０に連通させ、ＩＣコイン４１をＩＣコイン返却口７１ｉから返却する（ステップＳ６２７）。
【０３７１】
ステップＳ６２５の判定で、精算ボタン７１ｆが押されたことが判定された場合（Ｙｅｓの場合）には、選択ボタン検知部６０４は、その情報を制御部６００に出力する。そして、制御部６００は、貨幣処理部６０３に、ＩＤに基づいて管理装置７５から読み取られた残高度数に対応する金額を返金する情報を出力する。貨幣処理部６０３は、その情報に基づいて、紙幣返却口７１ｄ、釣銭受７１ｅから貨幣を返金する（ステップＳ６２６）。
【０３７２】
ＩＣカード４０またはＩＣコイン４１のＩＤに基づいて、精算された金額は、制御部６００からネットワーク６７を介して管理装置７５に出力され、それぞれのＩＤに基づいて、度数残高から精算された度数が減じられる。基本的には、度数残高のすべてが精算されるため、度数残高は０となる（ステップＳ６２７）。
【０３７３】
ステップＳ６２７の処理が終わると、制御部６００は、ステッピングモータ２２を、ＩＣカード４０を返却する方向に駆動させる信号をステッピングモータ２２に出力し、ＩＣカード４０は、ステッピングモータ２２によって回転される搬送ベルト２１によってＩＣカード挿入口７１ａより返却される（ステップＳ６２８）。
【０３７４】
また、ＩＣコイン４１は、度数残高のすべてが精算され、度数残高が０となり、制御部６００は、その情報に基づいて、ステッピングモータ９を駆動させる信号をステッピングモータ９に出力し、ロータ１３を回転させる。そして、度数残高がなくなったＩＣコイン４１は、ロータ１３の凹部１３ｂからＩＣコイン貯留路６に移動される（ステップＳ６２９）。
【０３７５】
なお、ステップＳ６１０の判定でＹｅｓの場合には、ＩＣカード４０が、ＩＣカード挿入口７１ａに挿入されないように、ＩＣカード挿入口７１ａに、例えば、ソレノイドなどを設けて、ＩＣカード挿入口７１ａを封鎖するステップを設けてもよい。このステップを設けるとともに、ステップＳ６１１の判定で、ＩＣカード挿入口７１ａよりＩＣカード４０が挿入されたことが判定された場合に、ＩＣコイン４１が、ＩＣコイン投入口７１ｂに挿入されないように、ＩＣコイン投入口７１ｂに、例えば、ソレノイドなどを設けて、ＩＣコイン投入口７１ｂを封鎖するステップを設けてもよい。この場合、前述した、ステップＳ６１０の判定でＹｅｓの場合に行われる、ＩＣカード挿入口７１ａよりＩＣカード４０が挿入されたか否かを判定するステップＳ６１９、および、ステップＳ６１９に伴いＩＣコイン４１を返却するステップＳ６２０は削除される。
【０３７６】
（管理装置７５）
図５１は、管理装置７５の構成部を示す図、図５２は、管理装置７５における動作の流れを示す図である。
【０３７７】
図３０に示されているように、管理装置７５は、複数のパチンコ機６１、複数のパチンコ機６１のそれぞれに接続された台間機６２、６３、複数のスロットマシン機６４、スロットマシン機６４間に接続された台間機６５と島コンピュータ６６およびネットワーク６７を介して接続されている。また、管理装置７５は、発券機６８、再プレー受付機６９、計数機７０、精算機７１、景品管理機（ＰＯＳ）７２、データ表示機７３、データ公開機７４などともネットワーク６７を介して接続されている。
【０３７８】
さらに、ネットワーク６７を介して管理装置７５に入力された情報は、プロトコルコンバータ７６、モデム７７を介してカードセンタ７８に送信される。また、管理装置７５は、例えば、パーソナルコンピュータ７９などとも接続され、パーソナルコンピュータ７９で管理装置７５の情報を見ることができる。また、パーソナルコンピュータ７９は、管理装置７５で管理している各情報にアクセスことができるので、各情報の表示や印刷をすることができる。さらに、パーソナルコンピュータ７９では、例えば、再プレー手数料の設定などの管理装置７５の種々の設定や会員登録などを行うこともできる。
【０３７９】
管理装置７５は、台間機６２、６３、６５、発券機６８、再プレー受付機６９、計数機７０、精算機７１、景品管理機（ＰＯＳ）７２、データ表示機７３、データ公開機７４などの機器からの情報を管理するものである。前述した各機器毎の管理装置７５との情報の通信に基づいて、管理装置７５には後述するような様々な情報が記憶されている。
【０３８０】
また、管理装置７５は、各遊技機における、例えば、スランプグラフ、スタート回数、大当たり回数などの情報を各遊技機の上部に取り付けられたデータ表示機７３に出力することもできる。データ表示機７３では、こられの情報を表示部に表示して、遊技台の情報を遊技者に提供する。
【０３８１】
さらに、管理装置７５は、例えば、各遊技機におけるスランプグラフ、スタート回数、大当たり回数などの情報、遊技台ランキング、遊技台毎の勝敗などの情報をデータ公開機７４に出力することもできる。データ公開機７４では、こられの情報を表示部に表示して、遊技台の情報を遊技者に提供する。
【０３８２】
図５１に示すように、管理装置７５は、制御部７００、ＩＣカード情報管理部７０１、ＩＣコイン情報管理部７０２、出力処理部７０３から構成されている。
【０３８３】
制御部７００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部７００では、ＩＣカード情報管理部７０１、ＩＣコイン情報管理部７０２、出力処理部７０３の各機部間の信号の出入力、および、ネットワーク６７を介して各機器との間の信号の出入力を制御している。また、制御部７００は、管理装置７５とネットワーク６７を介して各機器の制御部と通信できるように接続されている。
【０３８４】
なお、ここで管理装置７５は役割分担した同一ネットワーク上の複数のコンピュータシステムで構成することもできる。例えば、カード管理用、顧客管理用、遊技台管理用、データ表示機管理用などの複数のコンピュータシステムを用いれば、それだけ各役割を高速に実行することができる。
【０３８５】
ＩＣカード情報管理部７０１は、各機器にＩＣカード４０が用いられたときの情報を管理するもので、図５３に情報管理一覧表７５０の一例を示す。図５３に示された情報管理一覧表７５０は、管理装置７５に接続された、例えば、パーソナルコンピュータ７９などで見ることができる。
【０３８６】
ＩＣカード４０が用いられた場合には、管理装置７５は、ＩＣカード４０のＩＤに基づき、情報管理一覧表７５０に記載されているような、例えば、貯玉数、度数残高、再プレー用貯玉数、ポイント、台間機又は発券機に挿入した金額、精算金額などを管理している。これらのデータは、ＩＣカード４０のＩＤ毎に管理され、さらに、履歴情報、日毎情報、週毎情報などとしても管理されている。図５３に示された情報管理一覧表７５０は、日毎情報の一例である。
【０３８７】
なお、ＩＣカード４０を用いた会員の遊技者用の管理項目は、図５３の情報管理一覧表７５０に記載された管理項目に限るものではなく、例えば、遊技した遊技台種毎のアウト（発射玉）、セーフ（遊技の上皿への供給玉、つまり遊技者の獲得玉）、勝敗情報（セーフからアウトを減じたもの）、大当たり回数、ＣＲ機売上などの情報や、会員の遊技者の住所、氏名、年齢、好きな台、連絡先なども管理項目とすることもできる。
【０３８８】
ＩＣコイン情報管理部７０２は、各機器にＩＣコイン４１が用いられたときの情報を管理するもので、図５４に情報管理一覧表７５１の一例を示す。図５４に示された情報管理一覧表７５１は、管理装置７５に接続された、例えば、パーソナルコンピュータ７９などで見ることができる。
【０３８９】
ＩＣコイン４１が用いられた場合には、管理装置７５は、ＩＣコイン４１のＩＤに基づき、情報管理一覧表７５１に記載されているような、例えば、度数残高、台間機又は発券機に挿入した金額、精算金額などを管理している。これらのデータは、ＩＣコイン４１のＩＤ毎に管理される。ＩＣコイン４１を用いる場合には、度数残高を保持できる期間が、例えば、１日などのように限られている。そのため、その期間内でなければ、精算機７１で度数残高を精算し、現金化することができない。
【０３９０】
ＩＣコイン４１が用いられた場合には、度数残高を保持できる期間に対応した情報が管理されている。図５４に示された情報管理一覧表７５１は、その管理期間における情報の一例である。なお、レシート発券時の簡易管理用ＩＤおよび玉数（計数機７０で計数されたもの）の情報は、偽造されたレシートが使用されるのを防ぐために、一時的に管理されている。したがって、景品管理機（ＰＯＳ）７２における景品交換時において、レシートの適正を確認した後には、簡易管理用ＩＤおよび玉数の情報は、管理装置７５から消去される。
【０３９１】
ここで、ＩＣコイン４１が用いられた場合には、アウト（発射玉）、セーフ（遊技の上皿への供給玉、つまり遊技者の獲得玉）、勝敗（セーフからアウトを減じたもの）、貯玉数、再プレー用貯玉数、再プレー手数料、ポイント、遊技台種別、大当たり回数、ＣＲ機売上などの情報が含まれない点で、ＩＣカード４０のを用いた場合の情報とは異なる。
【０３９２】
出力処理部７０３は、カードセンタ７８に送信する、例えば、一日の営業結果などの情報を、ＩＣカード情報管理部７０１およびＩＣコイン情報管理部７０２に管理されているデータに基づいて管理している。例えば、パーソナルコンピュータ７９などから終業処理の信号が管理装置７５に入力されると、カードセンタ７８に送信する情報を制御部７００を介してプロトコルコンバータ７６に出力する。プロトコルコンバータ７６に出力された情報は、モデム７７を介してカードセンタ７８に送信される。
【０３９３】
そして、制御部７００によって制御される、ＩＣカード情報管理部７０１、ＩＣコイン情報管理部７０２、出力処理部７０３の各機器部は、次のように動作する（図５２）。なお、各機器との情報の通信についての動作は、各機器の説明部分で述べたので、ここでは、管理装置７５に入力された情報の管理動作について主に説明する。
【０３９４】
以下に、図５２を参照してその動作を説明する。
管理装置７５の制御部７００に、台間機６２、６３、６５、発券機６８、再プレー受付機６９、計数機７０、精算機７１、景品管理機（ＰＯＳ）７２などからの情報が入力される（ステップＳ７１０）。
【０３９５】
ステップＳ７１０で入力された情報は、制御部７００で、ＩＣカード４０のを用いた場合の情報か否かが判定される（ステップＳ７１１）。
【０３９６】
ステップＳ７１１の判定で、Ｙｅｓの場合には、入力された情報は、ＩＣカード情報管理部７０１に出力される（ステップＳ７１２）。ＩＣカード情報管理部７０１では、その入力された情報に基づいて、例えば、図５３に示すように、ＩＤおよび項目毎に入力情報が管理される（ステップＳ７１２）。
【０３９７】
ステップＳ７１１の判定で、Ｎｏの場合には、入力された情報は、ＩＣコイン情報管理部７０２に出力される（ステップＳ７１３）。ＩＣコイン情報管理部７０２では、その入力された情報に基づいて、例えば、図５４に示すように、ＩＤおよび項目毎に入力情報が管理される（ステップＳ７１３）。
【０３９８】
次に、出力処理部７０３において、パーソナルコンピュータ７９などから終業処理信号が管理装置７５に入力されたか否かが判定される（ステップＳ７１４）。
【０３９９】
ステップＳ７１４の判定で、Ｎｏの場合には、制御部７００は待機状態となる。ステップＳ７１４の判定で、Ｙｅｓの場合には、出力処理部７０３から、例えば、ＩＣカード情報管理部７０１およびＩＣコイン情報管理部７０２で管理されているデータに基づいて集計された一日の営業結果などの情報が、制御部７００、プロトコルコンバータ７６およびモデム７７を介してカードセンタ７８に送信される（ステップＳ７１５）。
【０４００】
次に、出力処理部７０３において、パーソナルコンピュータ７９などからデータ送信要求信号が管理装置７５に入力されたか否かが判定される（ステップＳ７１６）。
【０４０１】
ステップＳ７１６の判定で、Ｎｏの場合には制御部７００は待機状態となる。ステップＳ７１６の判定で、Ｙｅｓの場合には、ＩＣカード情報管理部７０１およびＩＣコイン情報管理部７０２に管理されているデータに基づいて、例えば、図５３や図５４に示すようなデータを、パーソナルコンピュータ７９などに出力する（ステップＳ７１７）。ＩＣカード情報管理部７０１およびＩＣコイン情報管理部７０２に管理されているデータに基づいて、出力されたデータは、パーソナルコンピュータ７９の画面に表示される。
【０４０２】
次に、始業処理を実施する（ステップＳ７１８）。始業処理とは、上記した各機器との通信がネットワーク６７を介して可能か否かどうか、および、各機器の自己診断機能により、各機器における故障の有無を確認する。この確認において、各機器との通信ができない場合や各機器で故障があると判断された場合には、店員に報知される。
【０４０３】
以上、記憶媒体処理装置、記憶媒体処理方法、台間機、発券機、精算機、記憶媒体処理システムおよび遊技管理方法について説明した。
【０４０４】
本発明の記憶媒体処理装置、記憶媒体処理方法、台間機、発券機、精算機、記憶媒体処理システムおよび遊技管理方法においては、異なる周波数で交信する複数のリーダライタを備えることで、複数の記憶媒体と交信することができる。また、少なくとも一方のリーダライタが取り外し可能に設けられているので、さらに異なる周波数で交信するリーダライタを任意に取り付けることができる。また、１つのリーダライタのみ設けて、必要に応じて、他のリーダライタを増設するようなリーダライタの段階的な導入もできる。
【０４０５】
また、記憶媒体処理装置に装着されるすべてのリーダライタを取り外し可能に設することによって、異なる周波数で交信するリーダライタを任意に取り付けることができる。さらに、リーダライタを薄型の筐体で構成することができ、装置の小型化を図ることができる。
【０４０６】
さらに、ＩＣカードとＩＣコインが用いられる記憶媒体処理装置では、ＩＣカードとＩＣコインが、それぞれ異なる搬送部によって搬送され、それそれが別個に異なる周波数で処理されるため、ＩＣカードとＩＣコインとが混在することなく、また、それぞれの情報を的確に区分して管理することができる。
【０４０７】
また、上記した記憶媒体処理装置では、それぞれ異なる周波数で交信する２つのリーダライタと、そのそれぞれに対応して交信する２種類の記憶媒体を用いた一例を示したが、これに限るものではなく、さらに複数のリーダライタと、その複数のリーダライタのそれぞれに対応する複数の記憶媒体を用いた構成にすることもできる。
【０４０８】
また、記憶媒体処理装置が搭載された台間機、発券機および精算機を備える記憶媒体処理システムにおいては、非会員の遊技者が、券売機まで行ってプリペイドカードを購入せずに、直接遊技台に向かい、台間機と情報通信ができるように接続された貯留機構付き紙幣識別装置の紙幣挿入口に、例えば、１万円などの現金を入金して遊技することができるので、遊技を不便なく快適に行うことができる。また、これによって、遊技者による遊技の停止時間を削減でき、遊技機の稼働率の向上を図ることができ、遊技場の経営の側においては、効率のよい運営をすることができる。
【０４０９】
さらに、有価価値を有しないＩＣコインは、返却されずにＩＣコイン貯留路に貯留されるので、ＩＣコインを紛失するなどの問題を解消することができる。
【０４１０】
また、外部から読み取りまたは書き込みが不可能である不良のＩＣカードまたはＩＣコインが挿入されたときには、不良のＩＣカードは返却され、また、不良のＩＣコインは回収または返却されるので、特に、ＩＣコインの場合に、不良のＩＣコインがＩＣコイン貯留路に貯留されるのを防止することができる。また、貯留されているＩＣコインに不良があっても排除することができる。
【０４１１】
さらに、会員の遊技者と非会員の遊技者とを、ＩＣカードまたはＩＣコインの利用によって、区別して管理することができるので、会員の遊技者に特典を付与するなどして、会員の遊技者と非会員の遊技者との差別化を図ることができる。
【０４１２】
また、上記したように、会員としての処理、非会員としての処理に差を持たせ、会員の処理を優遇することで、再来店を促すようにしているが、会員としての処理、非会員としての処理は前述した処理に限るものではなく、会員としての処理と非会員としての処理に差があればよい。
【０４１３】
また、管理装置により、各機器の情報を管理しているので、管理装置に接続されているパーソナルコンピュータなどで、各遊技機毎や遊技ホール全体としての売上状況、各会員の遊技者の利用状況などを一括して把握することができる。
【０４１４】
ここでは、ＩＣカードまたはＩＣコインは、ＩＤだけを有し、その他の情報は管理装置において管理されるシステムを示したが、上記した実施の形態に何ら限定されるものではなく、構成、システムの制御等は本発明の技術的思想の範囲で拡張、変更することができる。
【０４１５】
そして、この拡張、変更した実施の形態も本発明の技術的範囲に含まれる。例えば、ＩＣカードまたはＩＣコインのそれ自身にも情報を記憶させておくこともできる。その場合には、ＩＣカードまたはＩＣコインの返却前に、ＩＣカードまたはＩＣコインに最新情報の書き込みが行われ、その後返却される。
【０４１６】
さらに、上記した一実施の形態の台間機では、遊技媒体としてパチンコ玉が使用された場合について説明したが、勿論、遊技媒体にメダルを使用した場合にも同様の作用効果を得ることができる。
【０４１７】
【発明の効果】
本発明の記憶媒体処理装置、記憶媒体処理方法、台間機、発券機、精算機、記憶媒体処理システムおよび遊技管理方法によれば、複数のリーダライタを装着して、台間機のような薄型装置、または小型の装置に搭載することができ、異なる周波数で交信する複数の記憶媒体を処理することができる。さらに、装着されるリーダライタを容易に取り外すことができ、リーダライタの種類の変更、増設などを任意に行うことができる。
【図面の簡単な説明】
【図１】本発明の一実施の形態の記憶媒体処理装置１の斜視図。
【図２】ＩＣカードおよびＩＣコインの斜視図。
【図３】Ａ−Ａ方向からのケース部材１ｃの側面図。
【図４】Ｂ−Ｂ方向からのケース部材１ｂの側面図。
【図５】ロータ付近の構成の斜視図。
【図６】側壁蓋部１ａを外した状態のＣ−Ｃ方向からのケース部材１ｂの側面図。
【図７】Ｄ−Ｄ方向からのケース部材１ｄの側面図。
【図８】Ｅ−Ｅ方向からのケース部材１ｅの側面図。
【図９】ＩＣコイン投入口を備え、ＩＣコイン貯留路とＩＣコイン回収路とを連通させた記憶媒体処理装置１の構成の一例を示す側面図。
【図１０】ＩＣコインを貯留または返却する一連の記憶媒体処理装置の動作を示すケース部材１ｃの側面図。
【図１１】ＩＣコインを貯留または返却する一連の記憶媒体処理装置の動作を示すケース部材１ｃの側面図。
【図１２】ＩＣコインを貯留または返却する一連の記憶媒体処理装置の動作を示すケース部材１ｃの側面図。
【図１３】ＩＣコインを貯留または返却する一連の記憶媒体処理装置の動作を示すケース部材１ｃの側面図。
【図１４】ＩＣコインを貯留または返却する一連の記憶媒体処理装置の動作を示すケース部材１ｃの側面図。
【図１５】ＩＣコインを発行する一連の記憶媒体処理装置の動作を示すケース部材１ｃの側面図。
【図１６】ＩＣコインを発行する一連の記憶媒体処理装置の動作を示すケース部材１ｃの側面図。
【図１７】ＩＣコインを発行する一連の記憶媒体処理装置の動作を示すケース部材１ｃの側面図。
【図１８】ＩＣコインを発行する一連の記憶媒体処理装置の動作を示すケース部材１ｃの側面図。
【図１９】ＩＣカードがカード挿入口から挿入され、返却されるまでの一連の記憶媒体処理装置の動作を示すケース部材１ｄの側面図。
【図２０】ＩＣカードがカード挿入口から挿入され、返却されるまでの一連の記憶媒体処理装置の動作を示すケース部材１ｄの側面図。
【図２１】ＩＣカードがカード挿入口から挿入され、返却されるまでの一連の記憶媒体処理装置の動作を示すケース部材１ｄの側面図。
【図２２】ＩＣコイン用リーダライタの斜視図。
【図２３】ＩＣカード用リーダライタの斜視図。
【図２４】ＩＣコイン用リーダライタとＩＣコインおよびＩＣカード用リーダライタとＩＣカードとの交信システムの概要を示す図。
【図２５】併設用リーダライタの構成を示す側面図。
【図２６】併設用リーダライタを取り外し可能に装着する記憶媒体処理装置の一例を示す斜視図。
【図２７】併設用リーダライタを取り外し可能に装着する記憶媒体処理装置の一例を示す斜視図。
【図２８】他の実施の形態の記憶媒体処理装置の外観の斜視図。
【図２９】他の実施の形態の記憶媒体処理装置の外観の斜視図。
【図３０】本発明の一実施の形態の記憶媒体処理システムの概要図。
【図３１】発券機の外観を示す側面図。
【図３２】発券機に搭載された記憶媒体処理装置におけるＩＣコインの搬送部の側面図。
【図３３】発券機の構成部を示す図。
【図３４】発券機における動作の流れを示す図。
【図３５】再プレー受付機の外観を示す側面図。
【図３６】再プレー受付機の構成部を示す図。
【図３７】再プレー受付機における動作の流れを示す図。
【図３８】台間機の平面図。
【図３９】台間機（ユニット）の一例を示す平面図。
【図４０】台間機の構成部を示す図。
【図４１】台間機における動作の流れを示す図。
【図４２】計数機の外観を示す斜視図。
【図４３】計数機の構成部を示す図。
【図４４】計数機における動作の流れを示す図。
【図４５】景品管理機（ＰＯＳ）の外観を示す側面図。
【図４６】景品管理機（ＰＯＳ）の構成部を示す図。
【図４７】景品管理機（ＰＯＳ）における動作の流れを示す図。
【図４８】精算機の外観を示す側面図。
【図４９】精算機の構成部を示す図。
【図５０】精算機における動作の流れを示す図。
【図５１】管理装置の構成部を示す図。
【図５２】管理装置における動作の流れを示す図。
【図５３】ＩＣカードが用いられた場合の情報管理一覧表の一例を示す図。
【図５４】ＩＣコインが用いられた場合の情報管理一覧表の一例を示す図。
【符号の説明】
１…記憶媒体処理装置
１ａ…側壁蓋部
１ｂ、１ｃ、１ｄ、１ｅ…ケース部材
２…ヒンジ部
３…ロック部
４…接続端子
５…ＩＣコイン投入路
６…ＩＣコイン貯留路
７…ＩＣコイン返却口
８…ＩＣコイン用リーダライタ挿入口
９…ステッピングモータ
９ａ、９ｄ…回転軸
９ｂ、９ｃ…歯車
１０…ＩＣコイン排出路
１１…ＩＣコイン用リーダライタ
１２ａ、１２ｂ、１２ｃ、１２ｄ、１２ｅ…光学センサ
１３…ロータ
１３ａ…回転軸
１３ｂ…凹部
１３ｃ…筒体
１３ｄ…円板
１３ｅ…歯
１３ｆ…切り欠き部
１４…ガイドピン
１５…ＩＣコイン回収路
１６…制御部
１８…ＩＣカード挿入口
１９…ＩＣカード用リーダライタ
２０…ＩＣカード用リーダライタ挿入口
４０…ＩＣカード
４１…ＩＣコイン
【図１】
2004313353.tif 000003
【図２】
2004313353.tif 000004
【図３】
2004313353.tif 000005
【図４】
2004313353.tif 000006
【図５】
2004313353.tif 000007
【図６】
2004313353.tif 000008
【図７】
2004313353.tif 000009
【図８】
2004313353.tif 000010
【図９】
2004313353.tif 000011
【図１０】
2004313353.tif 000012
【図１１】
2004313353.tif 000013
【図１２】
2004313353.tif 000014
【図１３】
2004313353.tif 000015
【図１４】
2004313353.tif 000016
【図１５】
2004313353.tif 000017
【図１６】
2004313353.tif 000018
【図１７】
2004313353.tif 000019
【図１８】
2004313353.tif 000020
【図１９】
2004313353.tif 000021
【図２０】
2004313353.tif 000022
【図２１】
2004313353.tif 000023
【図２２】
2004313353.tif 000024
【図２３】
2004313353.tif 000025
【図２４】
2004313353.tif 000026
【図２５】
2004313353.tif 000027
【図２６】
2004313353.tif 000028
【図２７】
2004313353.tif 000029
【図２８】
2004313353.tif 000030
【図２９】
2004313353.tif 000031
【図３０】
2004313353.tif 000032
【図３１】
2004313353.tif 000033
【図３２】
2004313353.tif 000034
【図３３】
2004313353.tif 000035
【図３４】
2004313353.tif 000036
【図３５】
2004313353.tif 000037
【図３６】
2004313353.tif 000038
【図３７】
2004313353.tif 000039
【図３８】
2004313353.tif 000040
【図３９】
2004313353.tif 000041
【図４０】
2004313353.tif 000042
【図４１】
2004313353.tif 000043
【図４２】
2004313353.tif 000044
【図４３】
2004313353.tif 000045
【図４４】
2004313353.tif 000046
【図４５】
2004313353.tif 000047
【図４６】
2004313353.tif 000048
【図４７】
2004313353.tif 000049
【図４８】
2004313353.tif 000050
【図４９】
2004313353.tif 000051
【図５０】
2004313353.tif 000052
【図５１】
2004313353.tif 000053
【図５２】
2004313353.tif 000054
【図５３】
2004313353.tif 000055
【図５４】
2004313353.tif 000056